(57)【要約】  本発明は、サービス伝送方法及び装置を提供し、当該方法は、第１移動局は、ネットワークデバイスから、Ｎ個のリソース割り当てパラメータ集合を取得することと、当該第１移動局は、当該ネットワークデバイスに第１指示情報を送信することと、当該第１移動局は、当該ネットワークデバイスより送信された第２指示情報を受信することと、当該第１移動局は、当該Ｎ個のリソース割り当てパラメータ集合から、当該第１サービスのサービス情報に適合する第１リソース割り当てパラメータ集合を確定し、当該第１リソース割り当てパラメータ集合に基づいて当該第１ターゲットリソースを利用して当該第１サービスを伝送することと、を含み、当該第１指示情報が当該第１移動局の伝送する必要がある第１サービスのサービス情報を示すために用いられ、当該第２指示情報が、第１ターゲットリソースを示すために用いられる。それによって、異なるサービスで準静的スケジューリングに対して異なる要求を柔軟、迅速に対応することができる。
2019510386.tif 000002
【特許請求の範囲】
【請求項１】
サービス伝送方法であって、
第１移動局は、ネットワークデバイスから、Ｎ個のリソース割り当てパラメータ集合を取得することと、
前記第１移動局は、前記ネットワークデバイスに第１指示情報を送信することと、
前記第１移動局は、前記ネットワークデバイスより送信された第２指示情報を受信することと、
前記第１移動局は、前記Ｎ個のリソース割り当てパラメータ集合から、第１サービスのサービス情報に適合する第１リソース割り当てパラメータ集合を確定し、前記第１リソース割り当てパラメータ集合と第１ターゲットリソースを使用して、前記ネットワークデバイスと前記第１サービスを伝送することと、
を含み、ここで、各リソース割り当てパラメータ集合が、少なくとも一つのリソース割り当てパラメータを含み、Ｎ≧２であり、
前記第１指示情報が前記第１移動局の伝送する必要がある前記第１サービスのサービス情報を示すために用いられ、
前記第２指示情報が、第１ターゲットリソースを示すために用いられる、
ことを特徴とする前記サービス伝送方法。
【請求項２】
前記第１ターゲットリソースは、前記ネットワークデバイスが前記第１サービスのサービス情報及び／又は前記第１リソース割り当てパラメータ集合に基づいて、前記第１移動局に割り当てられたものである、
ことを特徴とする請求項１に記載のサービス伝送方法。
【請求項３】
前記第１移動局が、ネットワークデバイスから、Ｎ個のリソース割り当てパラメータ集合を取得することは、
前記第１移動局は、ネットワークデバイスから、Ｎ個のリソース割り当てパラメータ集合とＭ個のサービス情報との対応関係を取得すること、を含み、
ここで、Ｍ≧Ｎであり、前記Ｍ個のサービス情報のうちの各サービス情報が１個のリソース割り当てパラメータ集合に対応し、
前記第１移動局が、前記Ｎ個のリソース割り当てパラメータ集合から、前記第１サービスのサービス情報に適合する第１リソース割り当てパラメータ集合を確定することは、
前記第１移動局は、Ｎ個のリソース割り当てパラメータ集合とＭ個のサービス情報との対応関係と、前記第１サービスのサービス情報とに基づいて、前記Ｎ個のリソース割り当てパラメータ集合から、前記第１サービスのサービス情報に適合する第１リソース割り当てパラメータ集合を確定することを含む、
ことを特徴とする請求項１又は２に記載のサービス伝送方法。
【請求項４】
前記第１移動局は、前記ネットワークデバイスより送信された第３指示情報を受信することをさらに含み、
前記第３指示情報が、第１移動局が前記第１リソース割り当てパラメータ集合を利用して前記第１サービスを伝送するように指示するために用いられ、
前記第１移動局が、前記Ｎ個のリソース割り当てパラメータ集合から、前記第１サービスのサービス情報に適合する第１リソース割り当てパラメータ集合を確定することは、
前記第１移動局は、前記第３指示情報に基づいて、前記Ｎ個のリソース割り当てパラメータ集合から、前記第１サービスのサービス情報に適合する第１リソース割り当てパラメータ集合を確定することを含む、
ことを特徴とする請求項１又は２に記載のサービス伝送方法。
【請求項５】
前記第１移動局が、前記ネットワークデバイスより送信された第３指示情報を受信することは、
前記第１移動局は、ダウンリンク制御チャネルを介して、前記ネットワークデバイスより送信された第３指示情報を受信することを含む、
ことを特徴とする請求項４に記載のサービス伝送方法。
【請求項６】
前記第１移動局が、ダウンリンク制御チャネルを介して、前記ネットワークデバイスより送信された第３指示情報を受信することは、
前記第１移動局は、前記ダウンリンク制御チャネル内の第１リザーブリソースを介して、前記第３指示情報を受信すること、又は、
前記第１移動局は、第１予め設定されたフォーマットを確定し、前記ダウンリンク制御チャネル内の、フォーマットが前記第１予め設定されたフォーマットである情報を前記第３指示情報とすること、又は、
前記第１移動局は、第１予め設定された無線ネットワーク一時識別子（ＲＮＴＩ）を確定し、前記ダウンリンク制御チャネル内の、前記第１予め設定されたＲＮＴＩを含む情報を前記第３指示情報とすること、を含む、
ことを特徴とする請求項５に記載のサービス伝送方法。
【請求項７】
前記第１移動局が、ネットワークデバイスから、Ｎ個のリソース割り当てパラメータ集合を取得することは、
前記第１移動局は、ネットワークデバイスから、Ｎ個のリソース割り当てパラメータ集合とＮ個のインデックス識別子との１対１の対応関係を取得することを含み、
前記第３指示情報が、前記第１リソース割り当てパラメータ集合に対応するインデックス識別子を含む、
ことを特徴とする請求項４〜６のいずれか１項に記載のサービス伝送方法。
【請求項８】
前記インデックス識別子は、番号又は無線ネットワーク一時識別子（ＲＮＴＩ）を含む、
ことを特徴とする請求項７に記載のサービス伝送方法。
【請求項９】
第１移動局が、ネットワークデバイスから、Ｎ個のリソース割り当てパラメータ集合を取得する前に、前記方法は、
前記ネットワークデバイスがＴ個のサービス情報に基づいて、前記Ｎ個のリソース割り当てパラメータ集合を確定し、それを前記移動局に送信することができるように、第１移動局は、前記ネットワークデバイスに前記第１移動局のサポート可能なＴ個のサービス情報を報告することをさらに含み、ここで、Ｔ≧Ｎであり、前記Ｔ個のサービス情報のうちの各サービス情報が１個のリソース割り当てパラメータ集合に対応する、
ことを特徴とする請求項１〜８のいずれか１項に記載のサービス伝送方法。
【請求項１０】
第１移動局が、前記ネットワークデバイスに前記第１移動局のサポート可能なＴ個のサービス情報を報告する前に、前記方法は、
前記第１移動局は第１マッピング関係情報を取得することと、
前記第１移動局が前記第１マッピング関係情報に基づいて、前記第１移動局のサポート可能なＫ個のサービスに対応するＴ個のサービス情報を確定することと、
をさらに含み、ここで、前記第１マッピング関係情報が、複数のサービスのうちの各サービスのサービス情報を示すために用いられ、前記第１マッピング関係が第２マッピング関係と同じであり、前記第２マッピング関係情報が、前記ネットワークデバイスが前記複数のサービスのうちの各サービスのサービス情報を確定する時に使用される情報であり、Ｋ≧Ｔである、
ことを特徴とする請求項９に記載のサービス伝送方法。
【請求項１１】
前記第１移動局が、前記ネットワークデバイスに前記第１移動局のサポート可能なＴ個のサービス情報を報告することは、
前記第１移動局はアクセス層（ＡＳ）シグナリングによって、前記ネットワークデバイスに前記第１移動局のサポート可能なＴ個のサービス情報を報告すること、又は、
前記第１移動局は非アクセス層（ＮＡＳ）シグナリングによって、前記ネットワークデバイスに前記第１移動局のサポート可能なＴ個のサービス情報を報告すること、
を含む、
ことを特徴とする請求項９又は１０に記載のサービス伝送方法。
【請求項１２】
前記第１移動局が、前記ネットワークデバイスに第１指示情報を送信することは、
前記第１移動局はアップリンクデータチャネルを介して、前記ネットワークデバイスに、前記第１指示情報を含むデータパケットを送信し、前記第１指示情報が前記データパケットのメディアアクセス制御（ＭＡＣ）層にベアラされること、又は、
前記第１移動局はアップリンク制御チャネルを介して、前記ネットワークデバイスに、前記第１指示情報を送信すること、又は、
前記第１移動局は無線リソース制御（ＲＲＣ）シグナリングによって、前記ネットワークデバイスに前記第１指示情報を送信すること、
を含む、
ことを特徴とする請求項１〜１１のいずれか１項に記載のサービス伝送方法。
【請求項１３】
前記方法は、さらに、
前記第１移動局は、前記ネットワークデバイスより送信された第４指示情報を受信することと、
前記第１移動局は、前記第４指示情報に基づいて、前記第１リソース割り当てパラメータ集合に基づくサービス伝送を停止することと、を含み、
前記第４指示情報は、前記第１リソース割り当てパラメータ集合に基づくサービス伝送を停止するように前記第１移動局に指示するために用いられる、
ことを特徴とする請求項１〜１２のいずれか１項に記載のサービス伝送方法。
【請求項１４】
前記第１移動局が、前記ネットワークデバイスより送信された第４指示情報を受信することは、
前記第１移動局はダウンリンク制御チャネルを介して、前記ネットワークデバイスより送信された第４指示情報を受信することを含む、
ことを特徴とする請求項１３に記載のサービス伝送方法。
【請求項１５】
前記第１移動局がダウンリンク制御チャネルを介して、前記ネットワークデバイスより送信された第４指示情報を受信することは、
前記第１移動局は前記ダウンリンク制御チャネル内の第２リザーブリソースによって、前記第４指示情報を受信すること、又は、
前記第１移動局は、第２予め設定されたフォーマットを確定し、前記ダウンリンク制御チャネル内の、フォーマットが前記第２予め設定されたフォーマットである情報を前記第４指示情報とすること、又は、
前記第１移動局は第２予め設定されたＲＮＴＩを確定し、前記ダウンリンク制御チャネル内の、前記第２予め設定されたＲＮＴＩを含む情報を前記第４指示情報とすること、
を含む、
ことを特徴とする請求項１４に記載のサービス伝送方法。
【請求項１６】
各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む、
ことを特徴とする請求項１〜１５のいずれか１項に記載のサービス伝送方法。
【請求項１７】
前記方法は、
前記第１移動局は、前記第１サービスを伝送する時間帯内において、前記第１リソース割り当てパラメータ集合以外のリソース割り当てパラメータ集合に基づくサービス伝送を避けることをさらに含む、
ことを特徴とする請求項１〜１６のいずれか１項に記載のサービス伝送方法。
【請求項１８】
前記Ｎ個のサービス情報に基本サービス情報が含まれ、前記基本サービス情報に対応するリソース割り当てパラメータ集合は、周期スケジューリングに基づくサービス伝送のためのすべてのパラメータを含む、
ことを特徴とする請求項１〜１７のいずれか１項に記載のサービス伝送方法。
【請求項１９】
前記第１リソース割り当てパラメータ集合が周期スケジューリングに基づくサービス伝送のための一部のパラメータを含む場合、前記第１移動局が、前記第１リソース割り当てパラメータ集合に基づいて、前記第１ターゲットリソースを利用して前記第１サービスを伝送することは、
前記第１移動局は、前記第１リソース割り当てパラメータ集合、前記基本サービス情報に対応するリソース割り当てパラメータ集合、及び前記第１ターゲットリソースに基づいて、前記第１サービスを伝送すること、
を含む、
ことを特徴とする請求項１８に記載のサービス伝送方法。
【請求項２０】
前記第１移動局が、ネットワークデバイスから、Ｎ個のリソース割り当てパラメータ集合を取得することは、
前記第１移動局は、ネットワークデバイスより送信された、Ｎ個のリソース割り当てパラメータ集合をベアラするｎ個の構成情報を受信することを含み、ここで、各構成情報に少なくとも一つのリソース割り当てパラメータ集合がベアラされ、Ｎ≧ｎ≧１である、
ことを特徴とする請求項１〜１９のいずれか１項に記載のサービス伝送方法。
【請求項２１】
サービス伝送方法であって、
ネットワークデバイスは、第１移動局にＮ個のリソース割り当てパラメータ集合を送信することと、
前記ネットワークデバイスは、前記第１移動局より送信された第１指示情報を受信することと、
前記ネットワークデバイスは前記第１指示情報に基づいて、前記Ｎ個のリソース割り当てパラメータ集合から、前記第１サービスのサービス情報に適合する第１リソース割り当てパラメータ集合を確定することと、
前記ネットワークデバイスは第１ターゲットリソースを確定し、前記第１移動局に前記第１ターゲットリソースを示すための第２指示情報を送信することと、
前記ネットワークデバイスは、前記第１リソース割り当てパラメータ集合と前記第１ターゲットリソースを使用して、前記第１移動局と前記第１サービスを伝送することと、
を含み、
ここで、各リソース割り当てパラメータ集合が、少なくとも一つのリソース割り当てパラメータを含み、Ｎ≧２であり、
前記第１指示情報が、前記第１移動局の伝送する必要がある第１サービスのサービス情報を示すために用いられる、
ことを特徴とする前記サービス伝送方法。
【請求項２２】
前記ネットワークデバイスが第１ターゲットリソースを確定することは、
前記ネットワークデバイスは、前記第１サービスのサービス情報及び／又は前記第１リソース割り当てパラメータ集合に基づいて、前記第１ターゲットリソースを確定することを含む、
ことを特徴とする請求項２１に記載のサービス伝送方法。
【請求項２３】
前記ネットワークデバイスが、第１移動局にＮ個のリソース割り当てパラメータ集合を送信することは、
ネットワークデバイスは、第１移動局に、Ｎ個のリソース割り当てパラメータ集合とＭ個のサービス情報との対応関係を送信することを含み、ここで、Ｍ≧Ｎであり、前記Ｍ個のサービス情報のうちの各サービス情報が１個のリソース割り当てパラメータ集合に対応する、
ことを特徴とする請求項２１又は２２に記載のサービス伝送方法。
【請求項２４】
前記ネットワークデバイスは、前記第１移動局に第３指示情報を送信することをさらに含み、前記第３指示情報が、第１移動局が前記第１リソース割り当てパラメータ集合を利用して前記第１サービスを伝送するように指示するために用いられる、
ことを特徴とする請求項２１又は２２に記載のサービス伝送方法。
【請求項２５】
前記ネットワークデバイスが前記第１移動局に第３指示情報を送信することは、
前記ネットワークデバイスはダウンリンク制御チャネルを介して前記第１移動局に第３指示情報を送信すること、
を含む、
ことを特徴とする請求項２４に記載のサービス伝送方法。
【請求項２６】
前記ネットワークデバイスがダウンリンク制御チャネルを介して前記第１移動局に第３指示情報を送信することは、
前記ネットワークデバイスは、ダウンリンク制御チャネル内の第１リザーブリソースによって、前記第１移動局に第３指示情報を送信すること、又は、
前記ネットワークデバイスは第１予め設定されたフォーマットを確定し、前記第１予め設定されたフォーマットに基づいて、第３指示情報を生成して送信すること、又は、
前記第１移動局は、第１予め設定された無線ネットワーク一時識別子（ＲＮＴＩ）を確定し、前記第１予め設定されたＲＮＴＩを前記第３指示情報にベアラし、前記第１移動局に送信すること、
を含む、
ことを特徴とする請求項２５に記載のサービス伝送方法。
【請求項２７】
前記ネットワークデバイスが、第１移動局にＮ個のリソース割り当てパラメータ集合を送信することは、
前記ネットワークデバイスは、第１移動局に、Ｎ個のリソース割り当てパラメータ集合とＮ個のインデックス識別子との１対１の対応関係を送信することを含み、
前記第３指示情報が、前記第１リソース割り当てパラメータ集合に対応するインデックス識別子を含む、
ことを特徴とする請求項２４〜２６のいずれか１項に記載のサービス伝送方法。
【請求項２８】
前記インデックス識別子は、番号又は無線ネットワーク一時識別子（ＲＮＴＩ）を含む、
ことを特徴とする請求項２７に記載のサービス伝送方法。
【請求項２９】
前記ネットワークデバイスが、第１移動局にＮ個のリソース割り当てパラメータ集合を送信する前に、前記方法は、
前記ネットワークデバイスは、前記第１移動局から前記第１移動局のサポート可能なＴ個のサービス情報を取得することと、
前記ネットワークデバイスは、前記Ｔ個のサービス情報に基づいて、前記Ｎ個のリソース割り当てパラメータ集合を確定することと、
をさらに含み、
ここで、Ｔ≧Ｎであり、前記Ｔ個のサービス情報のうちの各サービス情報が１個のリソース割り当てパラメータ集合に対応する、
ことを特徴とする請求項２１〜２８のいずれか１項に記載のサービス伝送方法。
【請求項３０】
前記ネットワークデバイスが、前記第１移動局から前記第１移動局のサポート可能なＴ個のサービス情報を取得することは、
前記ネットワークデバイスは、アクセス層（ＡＳ）シグナリングによって、前記第１移動局より報告された前記第１移動局のサポート可能なＴ個のサービス情報を取得すること、又は、
前記ネットワークデバイスは、非アクセス層（ＮＡＳ）シグナリングによって、前記第１移動局より報告された前記第１移動局のサポート可能なＴ個のサービス情報を取得すること、
を含む、
ことを特徴とする請求項２９に記載のサービス伝送方法。
【請求項３１】
前記ネットワークデバイスが、前記第１移動局より送信された第１指示情報を受信することは、
前記ネットワークデバイスはアップリンクデータチャネルを介して、前記第１移動局より送信された第１指示情報を受信し、前記第１指示情報が前記データパケットのメディアアクセス制御（ＭＡＣ）層にベアラされること、又は、
前記ネットワークデバイスはアップリンク制御チャネルを介して、前記第１移動局より送信された第１指示情報を受信すること、又は、
前記ネットワークデバイスは無線リソース制御（ＲＲＣ）シグナリングによって、前記第１移動局より送信された第１指示情報を受信すること、
を含む、
ことを特徴とする請求項２１〜３０のいずれか１項に記載のサービス伝送方法。
【請求項３２】
前記ネットワークデバイスは、前記第１移動局に第４指示情報を送信することを含み、
前記第４指示情報が、前記第１リソース割り当てパラメータ集合に基づくサービス伝送を停止するように前記第１移動局に指示するために用いられる、
ことを特徴とする請求項２１〜３１のいずれか１項に記載のサービス伝送方法。
【請求項３３】
各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む、
ことを特徴とする請求項２１〜３２のいずれか１項に記載のサービス伝送方法。
【請求項３４】
前記ネットワークデバイスが、第１移動局にＮ個のリソース割り当てパラメータ集合を送信することは、
前記ネットワークデバイスは、第１移動局に、Ｎ個のリソース割り当てパラメータ集合をベアラするｎ個の構成情報を送信することを含み、ここで、各構成情報に少なくとも一つのリソース割り当てパラメータ集合がベアラされ、Ｎ≧ｎ≧１である、
ことを特徴とする請求項２１〜３３のいずれか１項に記載のサービス伝送方法。
【請求項３５】
前記ネットワークデバイスは、第２マッピング関係情報を取得することをさらに含み、ここで、前記第２マッピング関係情報が、複数のサービスのうちの各サービスのサービス情報を示すために用いられ、前記第２マッピング関係が第１マッピング関係と同じであり、前記第１マッピング関係情報が、前記第１移動局が前記複数のサービスのうちの各サービスのサービス情報を確定する時に使用される情報である、
ことを特徴とする請求項２１〜３４のいずれか１項に記載のサービス伝送方法。
【請求項３６】
サービス伝送装置であって、
ネットワークデバイスからＮ個のリソース割り当てパラメータ集合を取得するように構成される取得ユニットと、
前記ネットワークデバイスに第１指示情報を送信し、前記ネットワークデバイスより送信された第２指示情報を受信するように構成される通信ユニットと、
前記Ｎ個のリソース割り当てパラメータ集合から、第１サービスのサービス情報に適合する第１リソース割り当てパラメータ集合を確定するように構成される確定ユニットと、
を含み、ここで、各リソース割り当てパラメータ集合が、少なくとも一つのリソース割り当てパラメータを含み、Ｎ≧２であり、
前記第１指示情報は、前記装置の伝送する必要がある前記第１サービスのサービス情報を示すために用いられ、前記第２指示情報が、第１ターゲットリソースを示すために用いられ、
前記通信ユニットは、前記第１リソース割り当てパラメータ集合と前記第１ターゲットリソースとを使用して、前記ネットワークデバイスと前記第１サービスを伝送するようにさらに構成される、
ことを特徴とする前記サービス伝送装置。
【請求項３７】
前記第１ターゲットリソースは、前記ネットワークデバイスが、前記第１サービスのサービス情報及び／又は前記第１リソース割り当てパラメータ集合に基づいて、前記装置に割り当てられたものである、
ことを特徴とする請求項３６に記載のサービス伝送装置。
【請求項３８】
前記取得ユニットは、具体的に、ネットワークデバイスからＮ個のリソース割り当てパラメータ集合とＭ個のサービス情報との対応関係を取得するように構成され、ここで、Ｍ≧Ｎであり、前記Ｍ個のサービス情報のうちの各サービス情報が１個のリソース割り当てパラメータ集合に対応し、
前記確定ユニットは、具体的に、Ｎ個のリソース割り当てパラメータ集合とＭ個のサービス情報との対応関係、及び前記第１サービスのサービス情報に基づいて、前記Ｎ個のリソース割り当てパラメータ集合から、前記第１サービスのサービス情報に適合する第１リソース割り当てパラメータ集合を確定するように構成される、
ことを特徴とする請求項３６又は３７に記載のサービス伝送装置。
【請求項３９】
前記通信ユニットは、前記ネットワークデバイスより送信された第３指示情報を受信するようにさらに構成され、前記第３指示情報が、前記第１リソース割り当てパラメータ集合を使用して前記第１サービスを伝送するように装置に指示するために用いられ、
前記確定ユニットは、前記第３指示情報に基づいて、前記Ｎ個のリソース割り当てパラメータ集合から、前記第１リソース割り当てパラメータ集合を確定するように構成される、
ことを特徴とする請求項３６又は３７に記載のサービス伝送装置。
【請求項４０】
前記通信ユニットは、具体的に、ダウンリンク制御チャネルを介して、前記ネットワークデバイスより送信された第３指示情報を受信するように構成される、
ことを特徴とする請求項３９に記載のサービス伝送装置。
【請求項４１】
前記通信ユニットは、具体的に、前記ダウンリンク制御チャネル内の第１リザーブリソースによって、前記第３指示情報を受信するように構成され、又は、
前記通信ユニットは、具体的に、第１予め設定されたフォーマットを確定し、前記ダウンリンク制御チャネル内の、フォーマットが前記第１予め設定されたフォーマットである情報を前記第３指示情報とするように構成され、又は、
前記通信ユニットは、具体的に、第１予め設定された無線ネットワーク一時識別子（ＲＮＴＩ）を確定し、前記ダウンリンク制御チャネル内の、前記第１予め設定されたＲＮＴＩを含む情報を前記第３指示情報とするように構成される、
ことを特徴とする請求項４０に記載のサービス伝送装置。
【請求項４２】
前記取得ユニットは、具体的に、ネットワークデバイスから、Ｎ個のリソース割り当てパラメータ集合とＮ個のインデックス識別子との１対１の対応関係を取得するように構成され、
前記第３指示情報が、前記第１リソース割り当てパラメータ集合に対応するインデックス識別子を含む、
ことを特徴とする請求項３９〜４１のいずれか１項に記載のサービス伝送装置。
【請求項４３】
前記インデックス識別子は、番号又は無線ネットワーク一時識別子（ＲＮＴＩ）を含む、
ことを特徴とする請求項４２に記載のサービス伝送装置。
【請求項４４】
前記ネットワークデバイスがＴ個のサービス情報に基づいて、前記Ｎ個のリソース割り当てパラメータ集合を確定し、それを前記移動局に送信することができるように、前記通信ユニットは、前記ネットワークデバイスに、前記装置のサポート可能なＴ個のサービス情報を報告するようにさらに構成され、ここで、Ｔ≧Ｎであり、前記Ｔ個のサービス情報のうちの各サービス情報が１個のリソース割り当てパラメータ集合に対応する、
ことを特徴とする請求項３６〜４３のいずれか１項に記載のサービス伝送装置。
【請求項４５】
前記取得ユニットは、第１マッピング関係情報を取得するようにさらに構成され、ここで、前記第１マッピング関係情報が、複数のサービスのうちの各サービスのサービス情報を示すために用いられ、前記第１マッピング関係が第２マッピング関係と同じであり、前記第２マッピング関係情報が、前記ネットワークデバイスが前記複数のサービスのうちの各サービスのサービス情報を確定する時に使用される情報であり、
前記確定ユニットは、前記第１マッピング関係情報に基づいて、前記装置のサポート可能なＫ個のサービスに対応するＴ個のサービス情報を確定するようにさらに構成され、ここで、Ｋ≧Ｔである、
ことを特徴とする請求項４４に記載のサービス伝送装置。
【請求項４６】
前記通信ユニットは、具体的に、アクセス層（ＡＳ）シグナリングを介して、前記ネットワークデバイスに前記装置のサポート可能なＴ個のサービス情報を報告するように構成され、又は
前記通信ユニットは、具体的に、非アクセス層（ＮＡＳ）シグナリングを介して、前記ネットワークデバイスに前記第１移動局のサポート可能なＴ個のサービス情報を報告するように構成される、
ことを特徴とする請求項４４又は４５に記載のサービス伝送装置。
【請求項４７】
前記通信ユニットは、具体的に、アップリンクデータチャネルを介して、前記ネットワークデバイスに前記第１指示情報を含むデータパケットを送信するように構成され、ここで、前記第１指示情報が前記データパケットのメディアアクセス制御（ＭＡＣ）層にベアラされ、又は、
前記通信ユニットは、具体的に、アップリンク制御チャネルを介して、前記ネットワークデバイスに前記第１指示情報を送信するように構成され、又は、
前記通信ユニットは、具体的に、無線リソース制御（ＲＲＣ）シグナリングを介して、前記ネットワークデバイスに前記第１指示情報を送信するように構成される、
ことを特徴とする請求項３６〜４６のいずれか１項に記載のサービス伝送装置。
【請求項４８】
前記通信ユニットは、
前記ネットワークデバイスより送信された第４指示情報を受信し、前記第４指示情報に基づいて、前記第１リソース割り当てパラメータ集合に基づくサービス伝送を停止するように構成され、
前記第４指示情報は、前記第１リソース割り当てパラメータ集合に基づくサービス伝送を停止するように前記装置に指示するために用いられる
ことを特徴とする請求項３６〜４７のいずれか１項に記載のサービス伝送装置。
【請求項４９】
前記通信ユニットは、具体的に、ダウンリンク制御チャネルを介して、前記ネットワークデバイスより送信された第４指示情報を受信するように構成される、
ことを特徴とする請求項４８に記載のサービス伝送装置。
【請求項５０】
前記通信ユニットは、具体的に、前記ダウンリンク制御チャネル内の第２リザーブリソースによって、前記第４指示情報を受信するように構成され、又は、
前記通信ユニットは、具体的に、第２予め設定されたフォーマットを確定し、前記ダウンリンク制御チャネル内の、フォーマットが前記第２予め設定されたフォーマットである情報を前記第４指示情報とするように構成され、又は、
前記通信ユニットは、具体的に、第２予め設定されたＲＮＴＩを確定し、前記ダウンリンク制御チャネル内の、前記第２予め設定されたＲＮＴＩを含む情報を前記第４指示情報とするように構成される、
ことを特徴とする請求項４９に記載のサービス伝送装置。
【請求項５１】
各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む、
ことを特徴とする請求項３６〜５０のいずれか１項に記載のサービス伝送装置。
【請求項５２】
前記通信ユニットは、具体的に、前記第１サービスを伝送する時間帯内において、前記第１リソース割り当てパラメータ集合以外のリソース割り当てパラメータ集合に基づくサービス伝送を避けるように構成される、
ことを特徴とする請求項３６〜５１のいずれか１項に記載のサービス伝送装置。
【請求項５３】
前記Ｎ個のサービス情報に基本サービス情報が含まれ、前記基本サービス情報に対応するリソース割り当てパラメータ集合は、周期スケジューリングに基づくサービス伝送のためのすべてのパラメータを含む、
ことを特徴とする請求項３６〜５２のいずれか１項に記載のサービス伝送装置。
【請求項５４】
前記第１リソース割り当てパラメータ集合が周期スケジューリングに基づくサービス伝送のための一部のパラメータを含む場合、前記通信ユニットは、具体的に、前記第１リソース割り当てパラメータ集合、前記基本サービス情報に対応するリソース割り当てパラメータ集合、及び前記第１ターゲットリソースに基づいて、前記第１サービスを伝送するように構成される、
ことを特徴とする請求項５３に記載のサービス伝送装置。
【請求項５５】
前記通信ユニットは、具体的に、ネットワークデバイスより送信された、Ｎ個のリソース割り当てパラメータ集合をベアラするｎ個の構成情報を受信するように構成され、ここで、各構成情報に少なくとも一つのリソース割り当てパラメータ集合がベアラされる、Ｎ≧ｎ≧１である、
ことを特徴とする請求項３６〜５４のいずれか１項に記載のサービス伝送装置。
【請求項５６】
サービス伝送装置であって、
第１移動局にＮ個のリソース割り当てパラメータ集合を送信するように構成される送信ユニットと、
前記第１移動局より送信された第１指示情報を受信するように構成される受信ユニットと、
第１ターゲットリソースを確定するために、前記第１指示情報に基づいて、前記Ｎ個のリソース割り当てパラメータ集合から、前記第１サービスのサービス情報に適合する第１リソース割り当てパラメータ集合を確定するように構成される確定ユニットと、
を含み、ここで、各リソース割り当てパラメータ集合が、少なくとも一つのリソース割り当てパラメータを含み、Ｎ≧２であり、
前記第１指示情報が前記第１移動局の伝送する必要がある第１サービスのサービス情報を示すために用いられ、
前記送信ユニットは、前記第１移動局に前記第１ターゲットリソースを示すための第２指示情報を送信するようにさらに構成され、
前記送信ユニット又は前記受信ユニットは、前記第１リソース割り当てパラメータ集合と前記第１ターゲットリソースを使用して、前記第１移動局と前記第１サービスを伝送するように構成される、
ことを特徴とする前記サービス伝送装置。
【請求項５７】
前記確定ユニットは、具体的に、前記第１サービスのサービス情報及び／又は前記第１リソース割り当てパラメータ集合に基づいて、前記第１ターゲットリソースを確定するように構成される、
ことを特徴とする請求項５６に記載のサービス伝送装置。
【請求項５８】
前記送信ユニットは、具体的に、第１移動局にＮ個のリソース割り当てパラメータ集合とＭ個のサービス情報との対応関係を送信するように構成され、ここで、Ｍ≧Ｎであり、前記Ｍ個のサービス情報のうちの各サービス情報が１個のリソース割り当てパラメータ集合に対応する、
ことを特徴とする請求項５６又は５７に記載のサービス伝送装置。
【請求項５９】
前記送信ユニットは、前記第１移動局に第３指示情報を送信するようにさらに構成され、前記第３指示情報が、第１移動局が前記第１リソース割り当てパラメータ集合を利用して前記第１サービスを伝送するように指示するために用いられる、
ことを特徴とする請求項５６又は５７に記載のサービス伝送装置。
【請求項６０】
前記送信ユニットは、具体的に、ダウンリンク制御チャネルを介して、前記第１移動局に第３指示情報を送信するように構成される、
ことを特徴とする請求項５９に記載のサービス伝送装置。
【請求項６１】
前記送信ユニットは、具体的に、ダウンリンク制御チャネル内の第１リザーブリソースによって、前記第１移動局に第３指示情報を送信するように構成され、又は、
前記送信ユニットは、具体的に、第１予め設定されたフォーマットを確定し、前記第１予め設定されたフォーマットに基づいて、第３指示情報を生成して送信するように構成され、又は、
前記送信ユニットは、具体的に、第１予め設定された無線ネットワーク一時識別子（ＲＮＴＩ）を確定し、前記第１予め設定されたＲＮＴＩを前記第３指示情報にベアラし、前記第１移動局に送信するように構成される、
ことを特徴とする請求項６０に記載のサービス伝送装置。
【請求項６２】
前記送信ユニットは、具体的に、第１移動局にＮ個のリソース割り当てパラメータ集合とＮ個のインデックス識別子との１対１の対応関係を送信するように構成され、
前記第３指示情報が、前記第１リソース割り当てパラメータ集合に対応するインデックス識別子を含む、
ことを特徴とする請求項５９〜６１のいずれか１項に記載のサービス伝送装置。
【請求項６３】
前記インデックス識別子は、番号又は無線ネットワーク一時識別子（ＲＮＴＩ）を含む、
ことを特徴とする請求項６２に記載のサービス伝送装置。
【請求項６４】
前記受信ユニットは、前記第１移動局から前記第１移動局のサポート可能なＴ個のサービス情報を取得するようにさらに構成され、
前記確定ユニットは、具体的に、前記Ｔ個のサービス情報に基づいて、前記Ｎ個のリソース割り当てパラメータ集合を確定するように構成され、ここで、Ｔ≧Ｎであり、前記Ｔ個のサービス情報のうちの各サービス情報が１個のリソース割り当てパラメータ集合に対応する、
ことを特徴とする請求項５６〜６３のいずれか１項に記載のサービス伝送装置。
【請求項６５】
前記受信ユニットは、具体的に、アクセス層（ＡＳ）シグナリングを介して、前記第１移動局より報告された前記第１移動局のサポート可能なＴ個のサービス情報を取得するように構成され、又は
前記受信ユニットは、具体的に、非アクセス層（ＮＡＳ）シグナリングを介して、前記第１移動局より報告された前記第１移動局のサポート可能なＴ個のサービス情報を取得するように構成される、
ことを特徴とする請求項６４に記載のサービス伝送装置。
【請求項６６】
前記受信ユニットは、具体的に、アップリンクデータチャネルを介して、前記第１移動局より送信された第１指示情報を受信するように構成され、ここで、前記第１指示情報が前記データパケットのメディアアクセス制御（ＭＡＣ）層にベアラされ、又は
前記受信ユニットは、具体的に、アップリンク制御チャネルを介して、前記第１移動局より送信された第１指示情報を受信するように構成され、又は
前記受信ユニットは、具体的に、無線リソース制御（ＲＲＣ）シグナリングを介して、前記第１移動局より送信された第１指示情報を受信するように構成される、
ことを特徴とする請求項５６〜６５のいずれか１項に記載のサービス伝送装置。
【請求項６７】
前記送信ユニットは、前記第１移動局に第４指示情報を送信するように構成され、
前記第４指示情報が、前記第１リソース割り当てパラメータ集合に基づくサービス伝送を停止するように前記第１移動局に指示するために用いられる、
ことを特徴とする請求項５６〜６６のいずれか１項に記載のサービス伝送装置。
【請求項６８】
各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む、
ことを特徴とする請求項５６〜６７のいずれか１項に記載のサービス伝送装置。
【請求項６９】
前記送信ユニットは、具体的に、第１移動局に、Ｎ個のリソース割り当てパラメータ集合をベアラするｎ個の構成情報を送信するように構成され、ここで、各構成情報に少なくとも一つのリソース割り当てパラメータ集合がベアラされ、Ｎ≧ｎ≧１である、
ことを特徴とする請求項５６〜６８のいずれか１項に記載のサービス伝送装置。
【請求項７０】
前記確定ユニットは、第２マッピング関係情報を取得するようにさらに構成され、ここで、前記第２マッピング関係情報が、複数のサービスのうちの各サービスのサービス情報を示すために用いられ、前記第２マッピング関係が第１マッピング関係と同じであり、前記第１マッピング関係情報が、前記第１移動局が前記複数のサービスのうちの各サービスのサービス情報を確定する時に使用される情報である、
ことを特徴とする請求項５６〜６９のいずれか１項に記載のサービス伝送装置。
【発明の詳細な説明】
【関連出願の参照】
【０００１】
本願は、２０１６年０２月０５日に中国特許局に提出された出願番号がＰＣＴ／ＣＮ２０１６／０７３６６８で、発明名称が「サービス伝送方法及び装置」であるＰＣＴ特許出願の優先権を主張し、その全ての内容を参照として本願に組み込まれる。
【技術分野】
【０００２】
本発明は通信分野に関し、特にサービス伝送方法及び装置に関する。
【背景技術】
【０００３】
通信技術の発展に伴い、例えば、動的スケジューリング、静的スケジューリング、及び準静的スケジューリングなどのような様々なスケジューリング方式を提供することがすでに可能になっている。
【０００４】
ここで、準静的スケジューリングは、準持続スケジューリングとも称することが可能であり、即ち、一定の周期にて、ユーザにリソースを割り当て、それによって、該周期におけるリソースの割り当てのすべては、スケジューリングシグナリングの指示が必要とされなくなる。動的スケジューリングと比べて、このようなスケジューリング方式は、柔軟性が少し悪いが、シグナリングを制御するオーバーヘッドが低く、突発的な特徴の激しくない、リード保障の要求があるサービス、例えば、ネットワーク音声（ＶｏＩＰ：Ｖｏｉｃｅ  ｏｖｅｒ  Ｉｎｔｅｒｎｅｔ  Ｐｒｏｔｏｃｏｌ）サービス、又はロング・ターム・エボリューション音声（ＶｏＬＴＥ：Ｖｏｉｃｅ  ｏｖｅｒ  Ｌｏｎｇ  Ｔｅｒｍ  Ｅｖｏｌｕｔｉｏｎ）サービスなどに適している。
【０００５】
通信技術の普及と発展に伴い、ユーザのために提供できる準静的スケジューリングに基づくサービスもますます多くなっており、そのため、異なるサービスで準静的スケジューリングに対する要求も異なる場合があり得る。
【０００６】
如何に異なるサービスで準静的スケジューリングに対して異なる要求を柔軟、迅速に対応するかは、業界において、早急な解決の待たれる技術課題である。
【発明の概要】
【０００７】
本発明は、サービス伝送方法及び装置を提供し、異なるサービスで準静的スケジューリングに対して異なる要求を柔軟、迅速に対応することができる。
【０００８】
第１態様において、サービス伝送方法を提供し、当該方法は、
第１移動局は、ネットワークデバイスから、Ｎ個のリソース割り当てパラメータ集合を取得することと、当該第１移動局は、当該ネットワークデバイスに第１指示情報を送信することと、当該第１移動局は、当該ネットワークデバイスより送信された第２指示情報を受信することと、当該第１移動局は、当該Ｎ個のリソース割り当てパラメータ集合から、当該第１サービスのサービス情報に適合する第１リソース割り当てパラメータ集合を確定し、当該第１移動局は、当該第１リソース割り当てパラメータ集合と第１ターゲットリソースを利用して、当該ネットワークデバイスと当該第１サービスを伝送することと、を含み、ここで、各リソース割り当てパラメータ集合が、少なくとも一つのリソース割り当てパラメータを含み、Ｎ≧２であり、当該第１指示情報が当該第１移動局の伝送する必要がある第１サービスのサービス情報を示すために用いられ、当該第２指示情報が、第１ターゲットリソースを示すために用いられる。
【０００９】
第１態様を結合し、第１態様の第１の実現形態において、第１ターゲットリソースは、当該ネットワークデバイスが当該第１サービスのサービス情報及び／又は当該第１リソース割り当てパラメータ集合に基づいて、当該第１移動局に割り当てられたものである。
【００１０】
第１態様及びそれの上記の実現形態を結合し、第１態様の第２の実現形態において、当該第１移動局は、ネットワークデバイスから、Ｎ個のリソース割り当てパラメータ集合を取得することは、当該第１移動局は、ネットワークデバイスから、Ｎ個のリソース割り当てパラメータ集合とＭ個のサービス情報との対応関係を取得することを含み、ここで、Ｍ≧Ｎであり、当該Ｍ個のサービス情報のうちの各サービス情報が１個のリソース割り当てパラメータ集合に対応し、当該第１移動局は、当該Ｎ個のリソース割り当てパラメータ集合から、当該第１サービスのサービス情報に適合する第１リソース割り当てパラメータ集合を確定することは、当該第１移動局は、Ｎ個のリソース割り当てパラメータ集合とＭ個のサービス情報との対応関係と、当該第１サービスのサービス情報とに基づいて、当該Ｎ個のリソース割り当てパラメータ集合から、当該第１サービスのサービス情報に適合する第１リソース割り当てパラメータ集合を確定することを含む。
【００１１】
第１態様及びそれの上記の実現形態を結合し、第１態様の第３の実現形態において、当該方法は、当該第１移動局は、当該ネットワークデバイスより送信された第３指示情報を受信することをさらに含み、当該第３指示情報が、第１移動局が当該第１リソース割り当てパラメータ集合を利用して当該第１サービスを伝送するように指示するために用いられ、当該第１移動局は、当該Ｎ個のリソース割り当てパラメータ集合から、当該第１サービスのサービス情報に適合する第１リソース割り当てパラメータ集合を確定することは、当該第１移動局は、当該第３指示情報に基づいて、当該Ｎ個のリソース割り当てパラメータ集合から、当該第１サービスのサービス情報に適合する第１リソース割り当てパラメータ集合を確定することを含む。
【００１２】
第１態様及びそれの上記の実現形態を結合し、第１態様の第４の実現形態において、当該第１移動局は、当該ネットワークデバイスより送信された第３指示情報を受信することは、当該第１移動局は、ダウンリンク制御チャネルを介して、当該ネットワークデバイスより送信された第３指示情報を受信することを含む。
【００１３】
第１態様及びそれの上記の実現形態を結合し、第１態様の第５の実現形態において、当該第１移動局は、ダウンリンク制御チャネルを介して、当該ネットワークデバイスより送信された第３指示情報を受信することは、
当該第１移動局は、当該ダウンリンク制御チャネル内の第１リザーブリソースを介して、当該第３指示情報を受信すること、又は、
当該第１移動局は、第１予め設定されたフォーマットを確定し、当該ダウンリンク制御チャネル内の、フォーマットが当該第１予め設定されたフォーマットである情報を当該第３指示情報とすること、又は
当該第１移動局は、第１予め設定された無線ネットワーク一時識別子（ＲＮＴＩ）を確定し、当該ダウンリンク制御チャネル内の、当該第１予め設定されたＲＮＴＩを含む情報を当該第３指示情報とすること、
を含む。
【００１４】
第１態様及びそれの上記の実現形態を結合し、第１態様の第６の実現形態において、当該第１移動局は、ネットワークデバイスから、Ｎ個のリソース割り当てパラメータ集合を取得することは、当該第１移動局は、ネットワークデバイスから、Ｎ個のリソース割り当てパラメータ集合とＮ個のインデックス識別子との１対１の対応関係を取得することを含み、当該第３指示情報が、当該第１リソース割り当てパラメータ集合に対応するインデックス識別子を含む。
【００１５】
第１態様及びそれの上記の実現形態を結合し、第１態様の第７の実現形態において、当該インデックス識別子は、番号又は無線ネットワーク一時識別子（ＲＮＴＩ）を含む。
【００１６】
第１態様及びそれの上記の実現形態を結合し、第１態様の第８の実現形態において、第１移動局は、ネットワークデバイスから、Ｎ個のリソース割り当てパラメータ集合を取得する前に、当該ネットワークデバイスが当該Ｔ個のサービス情報に基づいて、当該Ｎ個のリソース割り当てパラメータ集合を確定し、それを当該移動局に送信することができるように、第１移動局は、当該ネットワークデバイスに当該第１移動局のサポート可能なＴ個のサービス情報を報告することを含み、ここで、Ｔ≧Ｎであり、当該Ｔ個のサービス情報のうちの各サービス情報が１個のリソース割り当てパラメータ集合に対応する。
【００１７】
第１態様及びそれの上記の実現形態を結合し、第１態様の第９の実現形態において、第１移動局が、当該ネットワークデバイスに当該第１移動局のサポート可能なＴ個のサービス情報を報告する前に、当該方法は、当該第１移動局は第１マッピング関係情報を取得することをさらに含み、ここで、当該第１マッピング関係情報が、複数のサービスのうちの各サービスのサービス情報を示すために用いられ、ここで、当該第１マッピング関係が第２マッピング関係と同じであり、当該第２マッピング関係情報が、当該ネットワークデバイスが当該複数のサービスのうちの各サービスのサービス情報を確定する時に使用される情報であり、当該第１移動局が当該第１マッピング関係情報に基づいて、当該第１移動局のサポート可能なＫ個のサービスに対応するＴ個のサービス情報を確定し、ここで、Ｋ≧Ｔである。
【００１８】
第１態様及びそれの上記の実現形態を結合し、第１態様の第１０の実現形態において、当該第１移動局は、当該ネットワークデバイスに当該第１移動局のサポート可能なＴ個のサービス情報タイプを報告することは、当該第１移動局はアクセス層（ＡＳ）シグナリングによって、当該ネットワークデバイスに当該第１移動局のサポート可能なＴ個のサービス情報タイプを報告すること、又は、当該第１移動局は非アクセス層（ＮＡＳ）シグナリングによって、当該ネットワークデバイスに当該第１移動局のサポート可能なＴ個のサービス情報タイプを報告することを含む。
【００１９】
第１態様及びそれの上記の実現形態を結合し、第１態様の第１１の実現形態において、当該第１移動局は、当該ネットワークデバイスに当該第１移動局のサポート可能なＴ個のサービス情報を報告することは、当該第１移動局はアクセス層（ＡＳ）シグナリングによって、当該ネットワークデバイスに当該第１移動局のサポート可能なＴ個のサービス情報を報告すること、又は、当該第１移動局は非アクセス層（ＮＡＳ）シグナリングによって、当該ネットワークデバイスに当該第１移動局のサポート可能なＴ個のサービス情報を報告することを含む。
【００２０】
第１態様及びそれの上記の実現形態を結合し、第１態様の第１２の実現形態において、当該第１移動局は、当該ネットワークデバイスに第１指示情報を送信することは、当該第１移動局はアップリンクデータチャネルを介して、当該ネットワークデバイスに当該第１指示情報を含むデータパケットを送信し、当該第１指示情報が当該データパケットのメディアアクセス制御（ＭＡＣ）層にベアラされること、又は、当該第１移動局はアップリンク制御チャネルを介して、当該ネットワークデバイスに当該第１指示情報を送信すること、又は、当該第１移動局は無線リソース制御（ＲＲＣ）シグナリングによって、当該ネットワークデバイスに当該第１指示情報を送信することを含む。
【００２１】
第１態様及びそれの上記の実現形態を結合し、第１態様の第１３の実現形態において、当該第１移動局は、当該ネットワークデバイスより送信された第４指示情報を受信することと、当該第１移動局は、当該第４指示情報に基づいて、当該第１リソース割り当てパラメータ集合に基づくサービス伝送を停止することと、を含み、当該第４指示情報は、当該第１リソース割り当てパラメータ集合に基づくサービス伝送を停止するように当該第１移動局に指示するために用いられる。
【００２２】
第１態様及びそれの上記の実現形態を結合し、第１態様の第１４の実現形態において、当該第１移動局は、当該ネットワークデバイスより送信された第４指示情報を受信することは、当該第１移動局はダウンリンク制御チャネルを介して、当該ネットワークデバイスより送信された第４指示情報を受信することを含む。
【００２３】
第１態様及びそれの上記の実現形態を結合し、第１態様の第１５の実現形態において、当該第１移動局はダウンリンク制御チャネルを介して、当該ネットワークデバイスより送信された第４指示情報を受信することは、当該第１移動局は当該ダウンリンク制御チャネル内の第２リザーブリソースによって、当該第４指示情報を受信すること、又は、当該第１移動局は、第２予め設定されたフォーマットを確定し、当該ダウンリンク制御チャネル内の、フォーマットが当該第２予め設定されたフォーマットである情報を当該第４指示情報とすること、又は、当該第１移動局は第２予め設定されたＲＮＴＩを確定し、当該ダウンリンク制御チャネル内の、当該第２予め設定されたＲＮＴＩを含む情報を当該第４指示情報とすることを含む。
【００２４】
第１態様及びそれの上記の実現形態を結合し、第１態様の第１６の実現形態において、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【００２５】
第１態様及びそれの上記の実現形態を結合し、第１態様の第１７の実現形態において、当該方法は、当該第１移動局は、当該第１サービスを伝送する時間帯内において、当該第１リソース割り当てパラメータ集合以外のリソース割り当てパラメータ集合に基づくサービス伝送を避けることをさらに含む。
【００２６】
第１態様及びそれの上記の実現形態を結合し、第１態様の第１８の実現形態において、当該Ｎ個のサービスタイプに基本サービスタイプが含まれ、当該基本サービスタイプに対応するリソース割り当てパラメータ集合は、周期スケジューリングに基づくサービス伝送のためのすべてのパラメータを含む。
【００２７】
第１態様及びそれの上記の実現形態を結合し、第１態様の第１９の実現形態において、当該第１リソース割り当てパラメータ集合が周期スケジューリングに基づくサービス伝送のための一部のパラメータを含む場合、当該第１移動局は、当該第１リソース割り当てパラメータ集合に基づいて、第１ターゲットリソースを利用して当該第１サービスを伝送することは、当該第１移動局は、当該第１リソース割り当てパラメータ集合、当該基本サービスタイプに対応するリソース割り当てパラメータ集合、および第１ターゲットリソースに基づいて、当該第１サービスを伝送することを含む。
【００２８】
第１態様及びそれの上記の実現形態を結合し、第１態様の第２０の実現形態において、当該第１移動局は、ネットワークデバイスから、Ｎ個のリソース割り当てパラメータ集合を取得することは、当該第１移動局は、ネットワークデバイスより送信された、Ｎ個のリソース割り当てパラメータ集合をベアラするｎ個の構成情報を受信することを含み、ここで、各構成情報に少なくとも一つのリソース割り当てパラメータ集合がベアラされ、Ｎ≧ｎ≧１である。
【００２９】
第２態様において、サービス伝送方法を提供し、当該方法は、ネットワークデバイスは、第１移動局にＮ個のリソース割り当てパラメータ集合を送信することと、
当該ネットワークデバイスは、当該第１移動局より送信された第１指示情報を受信することと、
当該ネットワークデバイスは当該第１指示情報に基づいて、当該Ｎ個のリソース割り当てパラメータ集合から、当該第１サービスのサービス情報に適合する第１リソース割り当てパラメータ集合を確定することと、
当該ネットワークデバイスは第１ターゲットリソースを確定し、当該第１移動局に第１ターゲットリソースを示すための第２指示情報を送信することと、
当該ネットワークデバイスは、当該第１リソース割り当てパラメータ集合と当該第１ターゲットリソースを使用して、当該第１移動局と当該第１サービスを伝送することと、
を含み、
ここで、各リソース割り当てパラメータ集合が、少なくとも一つのリソース割り当てパラメータを含み、Ｎ≧２であり、
当該第１指示情報が当該第１移動局の伝送する必要がある第１サービスのサービス情報を示すために用いられる。
【００３０】
第２態様を結合し、第２態様の第１の実現形態において、当該ネットワークデバイスが第１ターゲットリソースを確定することは、当該ネットワークデバイスは、当該第１サービスのサービス情報及び／又は当該第１リソース割り当てパラメータ集合に基づいて、第１ターゲットリソースを確定することを含む。
【００３１】
第２態様及びそれの上記の実現形態を結合し、第２態様の第２の実現形態において、当該ネットワークデバイスが、第１移動局にＮ個のリソース割り当てパラメータ集合を送信することは、ネットワークデバイスは、第１移動局に、Ｎ個のリソース割り当てパラメータ集合とＭ個のサービス情報との対応関係を送信することを含み、ここで、Ｍ≧Ｎであり、当該Ｍ個のサービス情報のうちの各サービス情報が１個のリソース割り当てパラメータ集合に対応する。
【００３２】
第２態様及びそれの上記の実現形態を結合し、第２態様の第３の実現形態において、当該方法は、当該ネットワークデバイスは、当該第１移動局に第３指示情報を送信することをさらに含み、当該第３指示情報が、第１移動局が当該第１リソース割り当てパラメータ集合を利用して当該第１サービスを伝送するように指示するために用いられる。
【００３３】
第２態様及びそれの上記の実現形態を結合し、第２態様の第４の実現形態において、当該ネットワークデバイスは、当該第１移動局に第３指示情報を送信することは、当該ネットワークデバイスはダウンリンク制御チャネルを介して当該第１移動局に第３指示情報を送信することを含む。
【００３４】
第２態様及びそれの上記の実現形態を結合し、第２態様の第５の実現形態において、当該ネットワークデバイスが、ダウンリンク制御チャネルを介して当該第１移動局に第３指示情報を送信することは、当該ネットワークデバイスは、ダウンリンク制御チャネル内の第１リザーブリソースによって、当該第１移動局に第３指示情報を送信すること、又は、当該ネットワークデバイスは第１予め設定されたフォーマットを確定し、当該第１予め設定されたフォーマットに基づいて、第３指示情報を生成して送信すること、又は、当該第１移動局は、第１予め設定された無線ネットワーク一時識別子（ＲＮＴＩ）を確定し、当該第１予め設定されたＲＮＴＩを当該第３指示情報にベアラし、当該第１移動局に送信すること、を含む。
【００３５】
第２態様及びそれの上記の実現形態を結合し、第２態様の第６の実現形態において、当該ネットワークデバイスは、第１移動局にＮ個のリソース割り当てパラメータ集合を送信することは、当該ネットワークデバイスは、第１移動局に、Ｎ個のリソース割り当てパラメータ集合とＮ個のインデックス識別子との１対１の対応関係を送信することを含み、当該第３指示情報が、当該第１リソース割り当てパラメータ集合に対応するインデックス識別子を含む。
【００３６】
第２態様及びそれの上記の実現形態を結合し、第２態様の第７の実現形態において、当該インデックス識別子は、番号又は無線ネットワーク一時識別子（ＲＮＴＩ）を含む。
【００３７】
第２態様及びそれの上記の実現形態を結合し、第２態様の第８の実現形態において、当該ネットワークデバイスが、第１移動局にＮ個のリソース割り当てパラメータ集合を送信する前に、当該方法は、当該ネットワークデバイスは、当該第１移動局から当該第１移動局のサポート可能なＴ個のサービス情報を取得することと、当該ネットワークデバイスが当該Ｔ個のサービス情報に基づいて、当該Ｎ個のリソース割り当てパラメータ集合を確定することをさらに含み、ここで、Ｔ≧Ｎであり、当該Ｔ個のサービス情報のうちの各サービス情報が１個のリソース割り当てパラメータ集合に対応する。
【００３８】
第２態様及びそれの上記の実現形態を結合し、第２態様の第９の実現形態において、当該ネットワークデバイスが、当該第１移動局から当該第１移動局のサポート可能なＴ個のサービス情報を取得することは、当該ネットワークデバイスは、アクセス層（ＡＳ）シグナリングによって、当該第１移動局より報告された当該第１移動局のサポート可能なＴ個のサービス情報を取得すること、又は、当該ネットワークデバイスは、非アクセス層（ＮＡＳ）シグナリングによって、当該第１移動局より報告された当該第１移動局のサポート可能なＴ個のサービス情報を取得することを含む。
【００３９】
第２態様及びそれの上記の実現形態を結合し、第２態様の第１０の実現形態において、当該ネットワークデバイスは、当該第１移動局より送信された第１指示情報を受信することは、当該ネットワークデバイスはアップリンクデータチャネルを介して、当該第１移動局より送信された第１指示情報を受信し、当該第１指示情報が当該データパケットのメディアアクセス制御（ＭＡＣ）層にベアラされること、又は、当該ネットワークデバイスはアップリンク制御チャネルを介して、当該第１移動局より送信された第１指示情報を受信すること、又は、当該ネットワークデバイスは無線リソース制御（ＲＲＣ）シグナリングによって、当該第１移動局より送信された第１指示情報を受信することを含む。
【００４０】
第２態様及びそれの上記の実現形態を結合し、第２態様の第１１の実現形態において、当該ネットワークデバイスは、当該第１移動局に第４指示情報を送信することを含み、当該第４指示情報が、当該第１リソース割り当てパラメータ集合に基づくサービス伝送を停止するように当該第１移動局に指示するために用いられる。
【００４１】
第２態様及びそれの上記の実現形態を結合し、第２態様の第１２の実現形態において、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【００４２】
第２態様及びそれの上記の実現形態を結合し、第２態様の第１３の実現形態において、当該ネットワークデバイスが、第１移動局にＮ個のリソース割り当てパラメータ集合を送信することは、当該ネットワークデバイスは、第１移動局に、Ｎ個のリソース割り当てパラメータ集合をベアラするｎ個の構成情報を送信することを含み、ここで、各構成情報に少なくとも一つのリソース割り当てパラメータ集合がベアラされ、Ｎ≧ｎ≧１である。
【００４３】
第２態様及びそれの上記の実現形態を結合し、第２態様の第１４の実現形態において、当該方法は、当該ネットワークデバイスは、第２マッピング関係情報を取得することをさらに含み、ここで、当該第２マッピング関係情報が、複数のサービスのうちの各サービスのサービス情報を示すために用いられ、ここで、当該第２マッピング関係が第１マッピング関係と同じであり、当該第１マッピング関係情報が、当該第１移動局が当該複数のサービスのうちの各サービスのサービス情報を確定する時に使用される情報である。
【００４４】
第３態様において、サービス伝送装置を提供し、当該装置は、上記の第１態様、及び第１態様の各実現形態を実現するためのユニット又はモジュールを含む。
【００４５】
第４態様において、サービス伝送装置を提供し、当該装置は、上記の第２態様、及び第１態様の各実現形態を実現するためのユニット又はモジュールを含む。
【００４６】
第５態様において、コンピュータプログラム製品を提供し、前記コンピュータプログラム製品は、コンピュータプログラムコードを含み、前記コンピュータプログラムコードが、移動局における受信ユニット、処理ユニット、送信ユニット又はレシーバー、プロセッサー、トランスミッターにより実行される時に、前記ネットワークデバイスに、上記の第１態様、及びそれの各実現形態のうちのいずれか一つのサービス伝送方法を実行させる。
【００４７】
第６態様において、コンピュータプログラム製品を提供し、前記コンピュータプログラム製品は、コンピュータプログラムコードを含み、前記コンピュータプログラムコードが、ネットワークデバイスにおける受信ユニット、処理ユニット、送信ユニット又はレシーバー、プロセッサー、トランスミッターにより実行される時に、前記ネットワークデバイスに、上記の第２態様、及びそれの各実現形態のうちのいずれか一つのサービス伝送方法を実行させる。
【００４８】
第７態様において、コンピュータで読み取り可能な媒体を提供し、前記コンピュータで読み取り可能な媒体にプログラムが記憶されており、前記プログラムは、移動局に、上記の第１態様、及びそれの各実現形態のうちのいずれか一つのサービス伝送方法を実行させる。
【００４９】
第８態様において、コンピュータで読み取り可能な媒体を提供し、前記コンピュータで読み取り可能な媒体にプログラムが記憶されており、前記プログラムは、ネットワークデバイスに、上記の第２態様、及びそれの各実現形態のうちのいずれか一つのサービス伝送方法を実行させる。
【００５０】
本発明の実施例によるサービス伝送方法及び装置は、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送し、それによって異なるサービスで準静的スケジューリングに対して異なる要求を柔軟、迅速に対応することができる。
【図面の簡単な説明】
【００５１】
【図１】本発明の実施例におけるサービス伝送方法を適用する通信システムの一つの例の概略図である。
【図２】本発明の実施例におけるサービス伝送方法の一つの例の概略的なフローチャートである。
【図３】本発明の実施例におけるサービス伝送方法の一つの例の概略的なインタラクション図である。
【図４】本発明の実施例におけるサービス伝送方法のもう一つの例の概略的なフローチャートである。
【図５】本発明の実施例におけるサービス伝送方法のもう一つの例の概略的なインタラクション図である。
【図６】本発明の実施例におけるサービス伝送方法のもう一つの例の概略的なフローチャートである。
【図７】本発明の実施例におけるサービス伝送方法のもう一つの例の概略的なフローチャートである。
【図８】本発明の実施例におけるサービス伝送装置の一つの例の概略的なブロック図である。
【図９】本発明の実施例におけるサービス伝送装置のもう一つの例の概略的なブロック図である。
【図１０】本発明の実施例におけるサービス伝送装置のもう一つの例の概略的なブロック図である。
【図１１】本発明の実施例におけるサービス伝送装置のもう一つの例の概略的なブロック図である。
【図１２】本発明の実施例におけるサービス伝送デバイスの一つの例の概略的な構造図である。
【図１３】本発明の実施例におけるサービス伝送デバイスのもう一つの例の概略的な構造図である。
【図１４】本発明の実施例におけるサービス伝送デバイスのもう一つの例の概略的な構造図である。
【図１５】本発明の実施例におけるサービス伝送デバイスのもう一つの例の概略的な構造図である。
【発明を実施するための形態】
【００５２】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００５３】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００５４】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００５５】
本発明の実施例の技術案は、現行のセルラー通信システム、例えば、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）などのシステムに適用することが可能であり、サポートする通信は、主に音声とデータに関する通信に関わっている。通常、一つの従来の基地局は、サポートする接続数が限られており、実現しやすい。
【００５６】
次世代移動通信システムは、従来の通信だけではなく、Ｍ２Ｍ（Ｍａｃｈｉｎｅ  ｔｏ  Ｍａｃｈｉｎｅ）通信、又はＭＴＣ（Ｍａｃｈｉｎｅ  Ｔｙｐｅ  Ｃｏｍｍｕｎｉｃａｔｉｏｎ）通信とも称する通信もサポートする。予測によれば、２０２０年まで、ネットワークに接続するＭＴＣデバイスは、５００〜１０００億にも達し、現在の接続の数より大幅に超えることになる。Ｍ２Ｍタイプのサービスは、それのサービスタイプが様々であるため、ネットワークに対する要求が大きく相違している。大雑把に言うと、下記のいくつかの要求が存在する。
【００５７】
信頼性のある伝送であるが、遅延に敏感ではない。
【００５８】
低遅延であり、高信頼性のある伝送。
【００５９】
信頼性のある伝送で、遅延に敏感ではないサービスに対して、比較的に処理しやすいが、Ｖ２Ｖ（Ｖｅｈｉｃｌｅ  ｔｏ  Ｖｅｈｉｃｌｅ）サービス又はＶ２Ｘ（Ｖｅｈｉｃｌｅ  ｔｏ  Ｅｖｅｒｙｔｈｉｎｇ）サービスのような低遅延で、高信頼性のある伝送のようなサービスに対して、短い伝送遅延だけではなく、信頼性も求められている。伝送の信頼性がない場合、再送を引き起こすことによって、大幅な伝送遅延になり、要求を満たせない。
【００６０】
大量の接続が存在することによって、将来の無線通信システムが現在の通信システムと大きく相違する。端末デバイスのアクセスのために大量の接続がより多くのリソースを消耗しなければならず、端末デバイスにおけるデータ伝送に関係するスケジューリングシグナリングを伝送するために、もっと多くのリソースが消耗される。本発明の実施例による技術案は、上記のリソース消耗問題を有効に解決することができる。
【００６１】
選択肢として、当該ネットワークデバイスが基地局であり、当該移動局がユーザ装置である。
【００６２】
本発明において、移動局を結合して各実施例を説明している。移動局は、ユーザ装置（ＵＥ：Ｕｓｅｒ  Ｅｑｕｉｐｍｅｎｔ）、端末デバイス、アクセス端末、ユーザユニット、ユーザステーション、移動ステーション、遠隔局、遠隔端末、移動デバイス、ユーザ端末、端末、無線通信デバイス、ユーザエージェント又はユーザ装置なども称することが可能である。移動局は、無線ローカルネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴ：ＳＴＡＩＯＮ）であっても良く、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型ＰＬＭＮネットワークにおける端末デバイスなどであっても良い。
【００６３】
また、本発明はネットワークデバイスを結合して各実施例を説明している。ネットワークデバイスは、移動局通信と通信を行うためのデバイスであっても良く、ネットワークデバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）におけるアクセスポイント（ＡＰ：ＡＣＣＥＳＳ  ＰＯＩＮＴ）、ＧＳＭ又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮＢ：ＮｏｄｅＢ）であっても良く、さらにロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおけるネットワークデバイス、又は将来の進化型ＰＬＭＮネットワークにおけるネットワークデバイスなどであっても良い。
【００６４】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない
図１は、本発明を使用する、情報を伝送する通信システムの概略図である。図１に示すように、当該通信システム１００は、ネットワークデバイス１０２を含み、ネットワークデバイス１０２は、アンテナ１０４、１０６、１０８、１１０、１１２と１１４のような複数のアンテナを含む。また、ネットワークデバイス１０２は、送信機チェーンと受信機チェーンを付加的に含むことができる。それらは信号の送信と受信とに関係する複数の部品（例えば、プロセッサー、変調器、多重化器、マルチプレクサ、デマルチプレクサ又はアンテナなど）を含むことが可能であることが当業者は理解できる。
【００６５】
ネットワークデバイス１０２は、複数の端末デバイス（例えば、端末デバイス１１６と端末デバイス１２２）と通信できる。さらに、ネットワークデバイス１０２が端末デバイス１１６又は１２２と類似する任意数の端末デバイスと通信できると理解することが可能である。端末デバイス１１６と１２２は、例えば、セルラー電話、スマートフォン、ポータブルコンピュータ、ポータブル通信デバイス、ポータブル計算デバイス、衛星無線装置、グローバル定位システム、ＰＤＡ及び／又は無線通信システム１００上で通信するための任意のその他の適切なデバイスであっても良い。
【００６６】
図１に示すように、端末デバイス１１６は、アンテナ１１２、１１４と通信し、ここで、アンテナ１１２と１１４は、順方向リンク１１８を介して端末デバイス１１６に情報を送信し、逆方向リンク１２０を介して端末デバイス１１６から情報を受信する。また、端末デバイス１２２はアンテナ１０４、１０６と通信を行い、ここで、アンテナ１０４と１０６は順方向リンク１２４を介して端末デバイス１２２に情報送信し、逆方向リンク１２６を介して端末デバイス１２２から情報を受信する。
【００６７】
例えば、周波数分割複信（ＦＤＤ：Ｆｒｅｑｕｅｎｃｙ  Ｄｉｖｉｓｉｏｎ  Ｄｕｐｌｅｘ）システムにおいて、例えば、順方向リンク１１８は、逆方向リンク１２０に使用される異なる帯域を利用することが可能であり、順方向リンク１２４は、逆方向リンク１２６に使用される異なる帯域を利用することが可能である。
【００６８】
さらに例えば、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することが可能であり、順方向リンク１２４と逆方向リンク１２６とは共通の帯域を使用することが可能である。
【００６９】
通信に設計された各アンテナ（又は複数のアンテナより構成されるアンテナセット）及び／又は領域は、ネットワークデバイス１０２のセクタと称される。例えば、アンテナセットをネットワークデバイス１０２のカバレッジ領域のセクタ内の端末デバイスと通信するように設計されても良い。ネットワークデバイス１０２が順方向リンク１１８と１２４とを介して、端末デバイス１１６及び１２２のそれぞれと通信を行う時に、ネットワークデバイス１０２の送信アンテナは、ビームフォーミングを利用して順方向リンク１１８と１２４との信号対雑音比を改善することが可能である。また、ネットワークデバイスが単一のアンテナでそれのすべての端末デバイスに信号を送信する方式と比べて、ネットワークデバイス１０２がビームフォーミングを利用して、関係するカバレッジ領域内のランダム、分散の端末デバイス１１６と１２２に信号を送信する場合、隣接セルにおける移動デバイスは、比較的に少ない干渉を受ける。
【００７０】
所定時間において、ネットワークデバイス１０２、端末デバイス１１６又は端末デバイス１２２は、無線通信送信装置及び／又は無線通信受信装置としても良い。データを送信する時に、無線通信送信装置は、伝送するためにデータに対して符号化を行うことができる。具体的に、無線通信送信装置は、チャネルを介して無線通信受信装置に送信する一定の数のデータビットを取得する（例えば、生成、その他の通信装置から受信、又は記憶装置に記憶するなど）。このようなデータビットは、データの伝送ブロック（又は複数の伝送ブロック）に含まれることができ、伝送ブロックは、断片化されることによって複数のコードブロックとして生成することが可能である。
【００７１】
また、当該通信システム１００は、公衆移動通信ネットワーク（ＰＬＭＮ：Ｐｕｂｌｉｃ  Ｌａｎｄ  Ｍｏｂｉｌｅ  Ｎｅｔｗｏｒｋ）ネットワーク又はＤ２Ｄネットワーク又はＭ２Ｍネットワーク又はＶ２Ｖネットワーク又はＶ２Ｘネットワーク又はその他のネットワークであっても良く、図１は、単なる例の概略図であり、ネットワークにその他のネットワークデバイスが含まれることも可能であり、図１に図示していない。
【００７２】
図２は、第１移動局を視点とする本発明の一つの実施例によるアップリンクデータを伝送する方法２００の概略的なフローチャートであり、図２に示すように、当該方法２００は、Ｓ２１０〜Ｓ２４０を含む。
【００７３】
Ｓ２１０において、第１移動局は、ネットワークデバイスから、Ｎ個のリソース割り当てパラメータ集合を取得し、ここで、各リソース割り当てパラメータ集合が、少なくとも一つのリソース割り当てパラメータを含み、Ｎ≧２である。
【００７４】
Ｓ２２０において、当該ネットワークデバイスが当該Ｎ個のリソース割り当てパラメータ集合から、当該第１サービスのサービスタイプと適合する第１リソース割り当てパラメータ集合を確定できるように、当該第１移動局は、当該ネットワークデバイスに第１指示情報を送信し、当該第１指示情報が、当該第１移動局の伝送する必要のある第１サービスのサービスタイプを示すために用いられる。
【００７５】
Ｓ２３０において、当該第１移動局は、当該ネットワークデバイスより送信された第２指示情報を受信し、当該第２指示情報が、第１ターゲットリソースを示すために用いられる。
【００７６】
Ｓ２４０において、当該第１移動局は、当該Ｎ個のリソース割り当てパラメータ集合から、当該第１サービスのサービスタイプに対応する第１リソース割り当てパラメータ集合を確定し、また、当該第１移動局は、当該第１リソース割り当てパラメータ集合に基づいて、第１ターゲットリソースを利用して当該第１サービスを伝送する。
【００７７】
まず、本発明の実施例に使用されるリソース割り当てパラメータに対して詳しく説明する。
【００７８】
本発明の実施例において、当該リソース割り当てパラメータは、周期性のリソーススケジューリング（又は、周期性のリソース割り当て）のために用いられ、又は、当該リソース割り当てパラメータは、周期性のリソーススケジューリングに相関するパラメータであっても良い。限定ではなく、例として、各リソース割り当てパラメータ集合内のリソース割り当てパラメータは、送信周期、受信周期、送信電力制御パラメータ、合成型自動再送要求（ＨＡＲＱ）プロセス数のうちの少なくとも一つのパラメータを含む。
【００７９】
具体的に、送信周期は、移動局が一回又は複数回にデータ又は情報などを送信するのに使用されるリソースの時間ドメインにおける時間間隔を指しても良く、限定ではなく、例として、当該送信周期は、移動局がデータ又は情報などを送信するのに使用される連続的な伝送時間間隔（ＴＴＩ：Ｔｒａｎｓｍｉｓｓｉｏｎ  Ｔｉｍｅ  Ｉｎｔｅｒｖａｌ）の大きさを指しても良い。
【００８０】
なお、本発明の実施例において、当該移動局がデータ又は情報を送信する対象は、ネットワークデバイスであっても良く、その他の移動局などであっても良く、本発明では特に限定しない。当移動局がデータ又は情報を送信する対象がネットワークデバイスである場合、当該送信周期はアップリンク伝送の周期であっても良い。また、送信周期が、移動局が「複数回」にデータ又は情報を送信する時に使用される周期を含む場合、毎回の送信過程に対応する周期の大きさは、同じであっても良く、異なっても良く、本発明では特に限定しない。
【００８１】
受信周期は、移動局が一回又は複数回にデータ又は情報などを受信するのに使用されるリソースの時間ドメインにおける時間間隔であっても良く、限定ではなく、例として、当該受信周期は、移動局がデータ又は情報などを受信するのに使用される連続的なＴＴＩの大きさを指しても良い。
【００８２】
なお、本発明の実施例において、当該移動局の受信するデータ又は情報の元は、ネットワークデバイスであっても良く、その他の移動局などであっても良く、本発明では特に限定しない。移動局の受信するデータ又は情報の元がネットワークデバイスである場合、当該送信周期は、ダウンリンク伝送の周期であっても良い。また、受信周期が、移動局が「複数回」にデータ又は情報を受信する時に使用される周期を含む場合、毎回の受信過程に対応する周期の大きさは同じであっても良く、異なっても良く、本発明では特に限定しない。
【００８３】
送信電力制御パラメータは、移動局が一回又は複数回にデータ又は情報などを送信するのに使用される送信電力と相関するパラメータであり、限定ではなく、例として、本発明の実施例において、当該送信電力制御パラメータは、移動局が使用できる送信電力の最大値であっても良い。
【００８４】
現在、通常Ｓｔｏｐ−ａｎｄ−ｗａｉｔ合成型自動再送要求（ＨＡＲＱ：Ｈｙｂｒｉｄ  Ａｕｔｏｍａｔｉｃ  Ｒｅｐｅａｔ  ｒｅｑｕｅｓｔ）プロトコルを使用しており、対応するＨＡＲＱのプロセス数を設定する必要がある。あるＨＡＲＱプロセスのフィードバック情報を待つ過程において、その他のアイドルプロセスを継続して使用してデータパケットを伝送することができる。ＨＡＲＱの最小のＲＴＴ（Ｒｏｕｎｄ  Ｔｒｉｐ  Ｔｉｍｅ）は、一回にデータパケットを伝送する過程の完成時間と定義され、一つのデータパケットの送信側での送信を開始し、受信側で受信した後に、結果フィードバックのＡＣＫ／ＮＡＣＫシグナリングに基づいて、送信側がＡＣＫ／ＮＡＣＫ信号を復調処理後に、次のフレームを確定して、再送又は新たなデータパケットを伝送する全過程を含む。ＨＡＲＱのプロセス数とＨＡＲＱの最小ＲＴＴ時間とは緊密に相関している。周波数分割複信（ＦＤＤ：Ｆｒｅｑｕｅｎｃｙ  Ｄｉｖｉｓｉｏｎ  Ｄｕｐｌｅｘｉｎｇ）において、それのＨＡＲＱのプロセス数は、ＨＡＲＱの最小ＲＴＴ時間内に含まれるサブフレームの数と等しい。時分割複信（ＴＤＤ：Ｔｉｍｅ  Ｄｉｖｉｓｉｏｎ  Ｄｕｐｌｅｘｉｎｇ）において、それのＨＡＲＱのプロセス数は、ＨＡＲＱの最小ＲＴＴ時間内に含まれる同一送信方向のサブフレームの数である。
【００８５】
なお、上記に例として挙げたリソース割り当てパラメータに含まれる具体的なパラメータは、単なる例示的な説明に過ぎず、本発明はそれに限らず、その他の周期性のリソーススケジューリング又は周期性のリソース割り当てに相関するパラメータは、本発明の範囲である。
【００８６】
なお、本発明の実施例において、一つのリソース割り当てパラメータ集合に含まれるリソース割り当てパラメータの種類は特に限定されず、例えば、一つのリソース割り当てパラメータ集合は、上記に例として挙げたすべてのリソース割り当てパラメータを含むことが可能であり、又は一つのリソース割り当てパラメータ集合は、上記に例として挙げた一部のリソース割り当てパラメータを含むことが可能であり、また、後文の「Ｎ個のリソース割り当てパラメータ集合」のうちの各リソース割り当てパラメータ集合に含まれるリソース割り当てパラメータの種類と数は、同じであっても良く異なっても良く、本発明では特に限定しない。
【００８７】
Ｓ２１０において、移動局＃Ａ（即ち、第１移動局の一例である）は、ネットワークデバイス＃Ａ（即ち、ネットワークデバイスの一例である）から、Ｎ個の（Ｎ≧２である）リソース割り当てパラメータ集合を取得することができる。ここで、当該ネットワークデバイス＃Ａは、移動局＃Ａのアクセスする基地局又はアクセスポイントなどのネットワークデバイスであっても良い。
【００８８】
限定ではなく、例として、移動局＃Ａは、下記のプロセスによって、ネットワークデバイス＃Ａから、Ｎ個のリソース割り当てパラメータ集合を取得することができる。
【００８９】
即ち、選択肢として、第１移動局が、ネットワークデバイスから、Ｎ個のリソース割り当てパラメータ集合を取得する前に、当該方法は、
当該ネットワークデバイスがＴ個のサービスタイプに基づいて、当該Ｎ個のリソース割り当てパラメータ集合を確定し、当該移動局に送信することができるように、第１移動局は、当該ネットワークデバイスに当該第１移動局のサポート可能なＴ個のサービスタイプ（即ち、サービス情報の一例である）を報告することをさらに含み、ここで、Ｔ≧Ｎであり、当該Ｔ個のサービスタイプのうちの各サービスタイプが、一つのリソース割り当てパラメータ集合に対応する。
【００９０】
具体的に、本発明の実施例において、当該移動局＃Ａは、当該移動局＃Ａのサポート可能な（又は、アクセスする可能な）サービスのサービスタイプを確定することができる。
【００９１】
限定ではなく、例として、当該移動局＃Ａは、下記の方式を採用して、当該移動局＃Ａのサポート可能なサービスタイプを確定することができる。
【００９２】
即ち、選択肢として、第１移動局が、当該ネットワークデバイスに当該第１移動局のサポート可能なＴ個のサービスタイプを報告する前に、当該方法は、
当該第１移動局は第１マッピング関係情報を取得することと、
当該第１移動局が当該第１マッピング関係情報に基づいて、当該第１移動局のサポート可能なＫ個のサービスに対応するＴ個のサービスタイプを確定することと
をさらに含み、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報であり、ここで、Ｋ≧Ｔである。
【００９３】
具体的に、移動局＃Ａは、多種のサービスと複数のサービスタイプとのマッピング関係を示すためのサービスタイプテーブル＃Ａ（即ち、第１マッピング関係情報の一例である）を取得することができる。
【００９４】
また、ネットワークデバイス＃Ａも当該サービスタイプテーブル＃Ａ（即ち、第１マッピング関係情報の一例である）を取得することができる。
【００９５】
それによって、移動局＃Ａとネットワークデバイス＃Ａとは、同様な規則に基づいて各サービスのサービスタイプを確定することができ、即ち、同一のサービス＃Ａに対して、移動局＃Ａとネットワークデバイス＃Ａとは、確定したサービス＃Ａのサービスタイプが一致しており、それによって、本発明におけるサービス伝送方法の信頼性を確保することができる。
【００９６】
限定ではなく、例として、当該サービスタイプテーブル＃Ａは、上位層管理のデバイス又は通信事業者より移動局＃Ａとネットワークデバイス＃Ａとに送信されたものであっても良く、又は、当該サービスタイプテーブル＃Ａは、メーカーが移動局＃Ａとネットワークデバイス＃Ａとに予め設定されたものであっても良く、又は、当該サービスタイプテーブル＃Ａは、ネットワークデバイス＃Ａ（例えば、移動局＃Ａのアクセス過程において）が移動局＃Ａに送信されたものであっても良く、本発明では特に限定しない。
【００９７】
次に、移動局＃Ａは、当該サービスタイプテーブル＃Ａに基づいて、当該移動局＃Ａのアクセス可能な複数の（例えば、Ｋ個の）サービスのうちの各サービスのサービスタイプを確定することができ、確定された複数の（例えば、Ｔ個の）サービスタイプの指示情報をネットワークデバイス＃Ａに送信する。
【００９８】
なお、本発明の実施例において、一つのサービスタイプは、多種のサービスを含むことが可能であるが、一つのサービスは、一つのみのサービスタイプに属し、そのため、Ｋ≧Ｔである。
【００９９】
限定ではなく、例として、移動局＃Ａは、下記の方式でＴ個のサービスタイプの指示情報をネットワークデバイス＃Ａに送信することができる。
【０１００】
即ち、選択肢として、当該第１移動局は、当該ネットワークデバイスに当該第１移動局のサポート可能なＴ個のサービスタイプを報告することは、
当該第１移動局はアクセス層（ＡＳ）シグナリングによって、当該ネットワークデバイスに当該第１移動局のサポート可能なＴ個のサービスタイプを報告することを含む。
【０１０１】
具体的に、本発明の実施例において、当該移動局＃Ａは、ネットワークデバイス＃Ａにアクセスする過程において、当該Ｔ個のサービスタイプの指示情報をアクセス層（ＡＳ：Ａｃｃｅｓｓ  Ｓｔｒａｔｕｍ）シグナリングにベアラし、ネットワークデバイス＃Ａに送信する。
【０１０２】
限定ではなく、例として、当該ＡＳシグナリングは、無線リソース制御（ＲＲＣ：Ｒａｄｉｏ  Ｒｅｓｏｕｒｃｅ  Ｃｏｎｔｒｏｌ）シグナリングを含むことが可能である。
【０１０３】
又は、選択肢として、当該第１移動局は、当該ネットワークデバイスに当該第１移動局のサポート可能なＴ個のサービスタイプを報告することは、
当該第１移動局は非アクセス層（ＮＡＳ）シグナリングによって、モビリティ管理エンティティＭＭＥを経由して、当該ネットワークデバイスに当該第１移動局のサポート可能なＴ個のサービスタイプを報告することを含む。
【０１０４】
具体的に、本発明の実施例において、当該移動局＃Ａは、当該Ｔ個のサービスタイプの指示情報を、非アクセス層（ＮＡＳ：Ｎｏｎ−Ａｃｃｅｓｓ  Ｓｔｒａｔｕｍ）シグナリングにベアラし、モビリティ管理エンティティ（ＭＭＥ：Ｍｏｂｉｌｉｔｙ  Ｍａｎａｇｅｍｅｎｔ  Ｅｎｔｉｔｙ）に送信することができ、それによって、ＭＭＥは、例えば、Ｓ１インターフェースを介して、当該Ｔ個のサービスタイプの指示情報をネットワークデバイス＃Ａに送信することができる。
【０１０５】
なお、本発明の実施例において、移動局＃ＡがＴ個のサービスタイプを報告する過程は、一回の報告（又は、一回にメッセージ又はシグナリング伝送）によって完成させても良く、複数回の報告によって完成させてもよく、本発明では特に限定しない。
【０１０６】
それによって、ネットワークデバイス＃Ａは、当該移動局＃ＡのサポートするＴ個のサービスタイプを確定することができ、また、当該Ｔ個のサービスタイプのうちの各サービスタイプに対応するリソース割り当てパラメータ集合を、当該Ｎ個のリソース割り当てパラメータ集合として確定することができる。
【０１０７】
限定ではなく、例として、本発明の実施例において、ネットワークデバイス＃Ａは、複数のサービスタイプと複数個のリソース割り当てパラメータ集合とのマッピング関係を示すためのリソース割り当てパラメータ集合テーブル＃Ａを取得することができ、それによって、ネットワークデバイス＃Ａは、当該リソース割り当てパラメータ集合テーブル＃Ａにおいて、当該Ｔ個のサービスタイプのうちの各サービスタイプに対応するリソース割り当てパラメータ集合をサーチすることができ、それによって当該Ｎ個のリソース割り当てパラメータ集合を確定する。なお、本発明の実施例において、一つのリソース割り当てパラメータ集合は複数のサービスタイプに対応することができるが、各サービスタイプは、一つのみのリソース割り当てパラメータ集合に対応する。そのため、Ｔ≧Ｎである。また、例えば、当該複数の（二つ又は二つ以上）サービスタイプが、同一のリソース割り当てパラメータ集合に対応する場合において、又は、在当該リソース割り当てパラメータ集合テーブル＃Ａに、当該Ｔ個のサービスタイプのうちの一つ又は複数のサービスタイプに対応するリソース割り当てパラメータ集合が記録されていない場合において、当該Ｎ個のリソース割り当てパラメータ集合が、Ｔ個のサービスタイプのうちのＭ個のサービスタイプに事実的に対応する場合があり、Ｔ≧Ｍである。
【０１０８】
限定ではなく、例として、当該リソース割り当てパラメータ集合テーブル＃Ａは、上位層管理のデバイス、又は通信事業者よりネットワークデバイス＃Ａに送信されたものであっても良く、又は、当該サービスタイプテーブル＃Ａは、メーカーによりネットワークデバイス＃Ａに予め設定されたものであっても良く、本発明では特に限定しない。
【０１０９】
本発明の実施例によるサービス伝送方法は、ネットワークデバイスが移動局より報告された当該移動局のサポート可能なサービスのサービスタイプに基づいて、複数個のリソース割り当てパラメータ集合を確定して移動局に送信することができ、異なる移動局が異なるサービス伝送に対する要求を柔軟に対応することができる。
【０１１０】
なお、上記に例として挙げたネットワークデバイス＃ＡがＮ個のリソース割り当てパラメータ集合を確定する方法及びプロセスは、例示的な説明に過ぎず、本発明はそれに限らず、例えば、ネットワークデバイス＃Ａは、当該Ｎ個のリソース割り当てパラメータ集合を自主的に確定することができ、又は、ネットワークデバイス＃Ａは、移動局＃Ａより報告されたサービスタイプを参照せず、当該Ｎ個のリソース割り当てパラメータ集合を確定することができ、限定ではなく、例として、この場合において、ネットワークデバイス＃Ａは、予め記憶されたすべてのリソース割り当てパラメータ集合を当該Ｎ個のリソース割り当てパラメータ集合とすることができる。
【０１１１】
上記に記載しているように、Ｎ個のリソース割り当てパラメータ集合を確定した後に、ネットワークデバイス＃Ａは、当該Ｎ個のリソース割り当てパラメータ集合の相関情報を移動局＃Ａに送信することができる。
【０１１２】
本発明の実施例において、ネットワークデバイス＃Ａは、例えば、ＲＲＣシグナリングなどによって、当該Ｎ個のリソース割り当てパラメータ集合を移動局＃Ａに送信することができる。
【０１１３】
なお、本発明の実施例において、ネットワークデバイス＃Ａが、Ｎ個のリソース割り当てパラメータ集合を送信する過程は、一回の送信（又は、一回のメッセージ又はシグナリング伝送）によって完成させても良く、ｎ回の送信（例えば、ｎ個の構成情報によって送信し、ここで、一回の送信過程において一つの構成情報を伝送する）によって完成させても良く、本発明では特に限定しない。
【０１１４】
即ち、選択肢として、当該第１移動局が、ネットワークデバイスから、Ｎ個のリソース割り当てパラメータ集合を取得することは、
当該第１移動局は、ネットワークデバイスより送信された、Ｎ個のリソース割り当てパラメータ集合をベアラするｎ個の構成情報を受信することを含み、ここで、各構成情報に少なくとも一つのリソース割り当てパラメータ集合がベアラされ、Ｎ≧ｎ≧１である。
【０１１５】
また、ネットワークデバイス＃ＡがＮ個のリソース割り当てパラメータ集合を送信する過程は、移動局＃ＡがＴ個のサービスタイプを報告する過程に対応することができ、例えば、移動局＃Ａが一回の報告によって、Ｔ個のサービスタイプの報告過程を完成させた場合、ネットワークデバイス＃Ａは、一回の送信によって、Ｎ個のリソース割り当てパラメータ集合の送信過程を完成させることができ、又は、移動局＃Ａが、複数回の報告によって、Ｔ個のサービスタイプの報告過程を完成させた場合、ネットワークデバイス＃Ａは、ｎ回の送信（例えば、ｎ個の構成情報によって）で、Ｎ個のリソース割り当てパラメータ集合の送信過程を完成させることができ、また、この場合において、ネットワークデバイス＃Ａが第ｉ回の送信で伝送されるリソース割り当てパラメータ集合は、移動局＃Ａが第ｉ回の報告で伝送されるサービスタイプに対応することが可能であり、それによって、移動局＃Ａが毎回に一つのサービスタイプを報告する時に、移動局＃Ａは、当該第ｉ回で報告された後の受信した（又は、移動局＃Ａが第ｉ回で受信された）リソース割り当てパラメータ集合を、当該第ｉ回で報告されたサービスタイプに対応するリソース割り当てパラメータ集合とすることができる。
【０１１６】
そのため、移動局＃Ａは、当該Ｎ個のリソース割り当てパラメータ集合を取得することができる。
【０１１７】
本発明の実施例において、ネットワークデバイスと移動局とが、サービスが生成される前に、例えば、移動局がネットワークデバイスにアクセスする過程において、当該Ｎ個のリソース割り当てパラメータ集合を伝送することによって、情報量の比較的に大きいリソース割り当てパラメータ集合の伝送過程をサービスの発生前に行うことができ、それによって、サービスのアクセス過程を早めることができ、ユーザエクスペリエンスを改善することができる。
【０１１８】
選択肢として、当該Ｎ個のサービスタイプに一つの基本サービスタイプが含まれ、当該基本サービスタイプに対応するリソース割り当てパラメータ集合は、周期スケジューリングに基づくサービス伝送のためのすべてのパラメータを含む。
【０１１９】
具体的に、本発明の実施例において、当該Ｎ個のサービスタイプは、基本サービスタイプを含むことが可能であり、基本サービスタイプは、その対応するリソース割り当てパラメータ集合（以下、理解と区別がしやすいように、基本リソース割り当てパラメータ集合と記述する）は、周期スケジューリングに基づくサービス伝送のためのすべてのパラメータを含むことが可能であり、例えば、上記の送信周期、受信周期、送信電力制御パラメータ、ＨＡＲＱプロセス数のうちのすべてのパラメータである。
【０１２０】
また、本発明の実施例において、当該基本リソース割り当てパラメータ集合は、移動局がサービス伝送する時に使用されるデフォルトパラメータとされても良く、即ち、移動局が、ネットワークデバイスより指示されたサービス伝送時に使用されるリソース割り当てパラメータ集合を受信していない場合、移動局は、デフォルト的に、当該基本リソース割り当てパラメータ集合に基づいて、サービス伝送を行うことが可能である。
【０１２１】
また、選択肢として、当該第１リソース割り当てパラメータ集合が周期スケジューリングに基づくサービス伝送のための一部のパラメータを含む場合、当該第１移動局は、当該第１リソース割り当てパラメータ集合に基づいて、第１ターゲットリソースを利用して当該第１サービスを伝送することは、
当該第１移動局は、当該第１リソース割り当てパラメータ集合に基づいて、当該基本サービスタイプに対応するリソース割り当てパラメータ集合と第１ターゲットリソースとを確定し、当該第１サービスを伝送することを含む。
【０１２２】
具体的に、本発明の実施例において、当該Ｎ個のサービスタイプは、一つ又は複数の非基本サービスタイプを含むことが可能であり、非基本サービスタイプは、その対応するリソース割り当てパラメータ集合（以下、理解と区別がしやすいように、非基本リソース割り当てパラメータ集合と記述する）は、周期スケジューリングに基づくサービス伝送のためのすべて又は一部のパラメータを含むことが可能であり、例えば、上記の送信周期、受信周期、送信電力制御パラメータ、ＨＡＲＱプロセス数のうちのすべて又は一部のパラメータである。
【０１２３】
移動局の伝送する必要があるサービスのサービスタイプが、非基本サービスタイプであり、且つ、当該非基本サービスタイプの対応する非基本リソース割り当てパラメータ集合が、周期スケジューリングに基づくサービス伝送のための一部のパラメータを含む場合、周期スケジューリングに基づくサービス伝送のすべてのパラメータ（即ち、基本リソース割り当てパラメータ集合）をパラメータ集合αとし、当該非基本リソース割り当てパラメータ集合内のパラメータをパラメータ集合βとする場合、パラメータ集合βは、パラメータ集合αの部分集合である。それによって、ネットワークデバイスと移動局とは、パラメータ集合α内のパラメータ集合β以外のパラメータ、及び、パラメータ集合βに基づいて、当該非基本サービスタイプのサービスを伝送することができる。
【０１２４】
限定ではなく、例として、本発明の実施例をＶ２Ｖシステム又はＶ２Ｘシステムに適用する場合、当該基本サービスタイプのサービスは、伝送位置、速度、軌跡など情報のサービスを含むことが可能であり、当該非基本サービスタイプのサービスは、衝突アラートの伝送、緊急停車アラートなど情報のサービスを含むことが可能である。
【０１２５】
Ｓ２２０において、移動局＃Ａがサービス＃Ａ（即ち、第１サービスの一例である）をアクセスする必要がある時に、当該移動局＃Ａは、当該ネットワークデバイス＃Ａに、スケジューリング要求情報＃Ａを送信することができ、ここで、当該スケジューリング要求情報＃Ａは、当該移動局＃Ａが、当該移動局＃Ａにサービス＃Ａに対する伝送ための伝送リソース（例えば、周波数ドメインリソースなど）を割り当てることを、ネットワークデバイス＃Ａに要求するように指示するために用いられ、また、当該スケジューリング要求情報に含まれる情報エレメントと送信方式は、従来技術と類似しており、ここで、重複を避けるため、詳細を省略する。
【０１２６】
また、移動局＃Ａは、当該ネットワークデバイス＃Ａに当該サービス＃Ａのサービスタイプ（即ち、サービス情報の一例である）の指示情報（即ち、第１指示情報の一例である）を送信することができる。
【０１２７】
ここで、当該サービス＃Ａのサービスタイプの指示情報は、スケジューリング要求情報＃Ａに含まれても良く、スケジューリング要求情報＃Ａから独立しても良く、本発明では特に限定しない。
【０１２８】
選択肢として、当該第１移動局が、当該ネットワークデバイスに第１指示情報を送信することは、
当該第１移動局はアップリンクデータチャネルを介して、当該ネットワークデバイスに当該第１指示情報を含むデータパケットを送信することを含み、ここで、当該第１指示情報が当該データパケットのメディアアクセス制御（ＭＡＣ）層にベアラされる。
【０１２９】
具体的に、本発明の実施例において、移動局＃Ａは、アップリンクデータチャネルを介して、当該サービス＃Ａのサービスタイプの指示情報をデータパケットにベアラし、ネットワークデバイス＃Ａに送信することができ、限定ではなく、例として、当該サービス＃Ａのサービスタイプの指示情報は、具体的に、データパケットのメディアアクセス制御（ＭＡＣ、Ｍｅｄｉａ  Ａｃｃｅｓｓ  Ｃｏｎｔｒｏｌ）層にベアラしても良い。
【０１３０】
選択肢として、当該第１移動局が、当該ネットワークデバイスに第１指示情報を送信することは、
当該第１移動局はアップリンク制御チャネルを介して、当該ネットワークデバイスに当該第１指示情報を送信することを含む。
【０１３１】
具体的に、本発明の実施例において、移動局＃Ａは、アップリンク制御チャネルを介して、当該サービス＃Ａのサービスタイプの指示情報をネットワークデバイス＃Ａに送信することができる。
【０１３２】
選択肢として、当該第１移動局が、当該ネットワークデバイスに第１指示情報を送信することは、
当該第１移動局は無線リソース制御（ＲＲＣ）シグナリングによって、当該ネットワークデバイスに当該第１指示情報を送信することを含む。
【０１３３】
具体的に、本発明の実施例において、移動局＃Ａは、ＲＲＣシグナリングによって、当該サービス＃Ａのサービスタイプの指示情報をネットワークデバイス＃Ａに送信することができる。
【０１３４】
なお、上記に例として挙げた、移動局＃Ａが当該ネットワークデバイス＃Ａに当該サービス＃Ａのサービスタイプの指示情報を送信する方法は例示的な説明に過ぎず、本発明はそれに限らず、その他の移動局がネットワークデバイスに情報を送信するために用いられることができる方法は、すべて本発明の保護範囲内である。
【０１３５】
限定ではなく、例として、本発明の実施例において、システムは、各サービスタイプに、当該サービスタイプを一意的に示すことができる準静的セル無線ネットワーク識別子（ＳＰＳ−Ｃ−ＲＮＴＩ）のようなサービスタイプ識別子を割り当てることができ、それによって、移動局＃Ａは、当該サービス＃Ａのサービスタイプのサービスタイプ識別子を、第１指示情報とすることができる。
【０１３６】
それによって、当該ネットワークデバイス＃Ａは、当該スケジューリング要求情報＃Ａに基づいて、当該移動局＃Ａに、伝送するための当該サービス＃Ａのリソース（即ち、第１ターゲットリソース、以下、理解と説明がしやすいように、リソース＃Ａと記述する）を割り当てることができる。
【０１３７】
また、ネットワークデバイス＃Ａは、当該サービス＃Ａのサービスタイプの指示情報に基づいて、当該サービス＃Ａのサービスタイプに対応するリソース割り当てパラメータ集合（即ち、第１リソース割り当てパラメータ集合の一例であり、以下、理解と説明がしやすいように、リソース割り当てパラメータ集合＃Ａと記述する）を確定して使用することができる。
【０１３８】
選択肢として、第１ターゲットリソースは、当該ネットワークデバイスが当該第１サービスのサービスタイプ及び／又は当該第１リソース割り当てパラメータ集合に基づいて、当該第１移動局に割り当てられたものである。
【０１３９】
具体的に、本発明の実施例において、当該ネットワークデバイス＃Ａは、当該リソース割り当てパラメータ集合＃Ａに基づいて、上記のリソース＃Ａを確定することができ、限定ではなく、例として、当該ネットワークデバイス＃Ａは、リソース割り当てパラメータ集合＃Ａに基づいて、当該リソース＃Ａに対応する時間ドメインリソースが当該リソース割り当てパラメータ集合＃Ａに指示された伝送周期内であることを確保することができる。
【０１４０】
又は、本発明の実施例において、当該ネットワークデバイス＃Ａは、当該サービス＃Ａのサービスタイプに基づいて、上記のリソース＃Ａを確定することができ、限定ではなく、例として、当該ネットワークデバイス＃Ａは、当該第１サービスのサービスタイプに基づいて、当該リソース＃Ａに対応する時間ドメインリソースが、サービス＃Ａのサービスタイプに対応するリソース割り当てパラメータ集合（即ち、リソース割り当てパラメータ集合＃Ａ）により指示された伝送周期内であることを確定することができる。
【０１４１】
なお、上記に例として挙げた、ネットワークデバイスが、通信時に使用されるリソース割り当てパラメータに基づいてリソースを割り当てる方式は、例示的な説明に過ぎず、本発明はそれに限らず、通信時に使用されるリソース割り当てパラメータに基づいてリソースを割り当てることができるその他の方法は、本発明の保護範囲内である。
【０１４２】
また、本発明の実施例において、上記の第１指示情報として、当該サービス＃Ａのサービス識別子を列挙しても良く、ここで、一つのサービスのサービス識別子は、一つのサービスを一意的に示すために用いられる。それによって、ネットワークデバイス＃Ａは、当該サービス＃Ａのサービス識別子に基づいて、移動局＃Ａがサービス＃Ａにアクセスしようとしていることを確定し、上記に記載されているように、取得したサービスタイプテーブル＃Ａ（即ち、第１マッピング情報の一例である）に基づいて、当該サービス＃Ａに対応するリソース割り当てパラメータ集合＃Ａをサーチする。
【０１４３】
それによって、ネットワークデバイス＃Ａは、サービス＃Ａを伝送するためのリソース割り当てパラメータ集合＃Ａとリソース＃Ａを確定することができる。
【０１４４】
また、ネットワークデバイスは、当該リソース＃Ａの指示情報（又は、リソーススケジューリング情報、即ち、第２指示情報の一例である）を移動局＃Ａに送信することができる。
【０１４５】
それによって、Ｓ２３０において、移動局＃Ａは、当該リソース＃Ａの指示情報を取得することができる。
【０１４６】
Ｓ２４０において、移動局＃Ａは、サービス＃Ａのサービスタイプに対応するリソース割り当てパラメータ集合＃Ａを確定することができ、当該リソース割り当てパラメータ集合＃Ａとリソース＃Ａに基づいて、当該サービス＃Ａを伝送する。
【０１４７】
例えば、移動局＃Ａは、当該リソース割り当てパラメータ集合＃Ａにより指示された送信周期内において、リソース＃Ａを使用して、ネットワークデバイス＃Ａ又はその他の通信デバイスにサービス＃Ａのデータを送信することができる。
【０１４８】
さらに、例えば、移動局＃Ａは、当該リソース割り当てパラメータ集合＃Ａにより指示された受信周期内において、リソース＃Ａを使用して、ネットワークデバイス＃Ａ又はその他の通信デバイスより送信されたサービス＃Ａのデータを受信することができる。
【０１４９】
さらに、例えば、移動局＃Ａがサービス＃Ａのデータを送信する時に、送信電力を、リソース割り当てパラメータ集合＃Ａにより指示された送信電力制御パラメータより低めることができる。
【０１５０】
さらに、例えば、移動局＃Ａは、リソース割り当てパラメータ集合＃Ａにより指示されたＨＡＲＱプロセス数を使用して、サービス＃Ａのデータの再送を行うことができる。
【０１５１】
以下において、本発明の実施例において、移動局＃Ａが当該リソース割り当てパラメータ集合＃Ａを確定する方法と過程に対して詳しく説明する。
【０１５２】
本発明の実施例において、移動局＃Ａが、Ｓ２１０においてネットワークデバイス＃Ａから取得したＮ個のリソース割り当てパラメータ集合に相関する情報は、当該Ｎ個のリソース割り当てパラメータ集合のみを指示する指示情報（即ち、方式１）であっても良く、又は、移動局＃Ａが、Ｓ２１０においてネットワークデバイス＃Ａから取得したＮ個のリソース割り当てパラメータ集合に相関する情報は、当該Ｎ個のリソース割り当てパラメータ集合とＭ個のサービスタイプとを指示する指示情報（即ち、方式２）であっても良い。
【０１５３】
以下において、方式１と方式２のそれぞれにおいて、移動局＃Ａが当該リソース割り当てパラメータ集合＃Ａを確定する方法と過程に対して詳しく説明する。
【０１５４】
方式１
選択肢として、当該方法は、
当該第１移動局は、当該ネットワークデバイスより送信された第３指示情報を受信することをさらに含み、当該第３指示情報が、第１移動局が当該第１リソース割り当てパラメータ集合を利用して当該第１サービスを伝送するように指示するために用いられ、また、
当該第１移動局は、当該Ｎ個のリソース割り当てパラメータ集合から、当該第１リソース割り当てパラメータ集合を確定することは、
当該第１移動局は、当該第３指示情報に基づいて、当該Ｎ個のリソース割り当てパラメータ集合から、当該第１リソース割り当てパラメータ集合を取得することを含む。
【０１５５】
具体的に、本発明の実施例において、ネットワークデバイス＃Ａが、上記のリソース割り当てパラメータ集合＃Ａを確定した後に、当該リソース割り当てパラメータ集合＃Ａの指示情報（即ち、第３指示情報の一例である）を移動局＃Ａに送信することができる。
【０１５６】
限定ではなく、例として、本発明の実施例において、下記の情報を当該リソース割り当てパラメータ集合＃Ａの指示情報とすることができる。
【０１５７】
即ち、選択肢として、当該第１移動局が、ネットワークデバイスから、Ｎ個のリソース割り当てパラメータ集合を取得することは、
当該第１移動局は、ネットワークデバイスから、Ｎ個のリソース割り当てパラメータ集合とＮ個のインデックス識別子との１対１の対応関係を取得することを含み、また、
当該第３指示情報が、当該第１リソース割り当てパラメータ集合に対応するインデックス識別子を含む。
【０１５８】
具体的に、ネットワークデバイス＃Ａは、移動局＃Ａに上記のＮ個のリソース割り当てパラメータ集合を送信する時に、当該Ｎ個のリソース割り当てパラメータ集合と、各リソース割り当てパラメータ集合のインデックス識別子とが記録されているインデックステーブル＃Ａを送信する。
【０１５９】
それによって、ネットワークデバイス＃Ａが、上記の前記確定したリソース割り当てパラメータ集合＃Ａを使用して当該サービス＃Ａを伝送するように移動局＃Ａに指示する時に、当該移動局＃Ａに当該リソース割り当てパラメータ集合＃Ａのインデックス識別子（以下、理解と区別がしやすいため、インデックス識別子＃Ａと記述する）を送信することができる。
【０１６０】
それによって、移動局＃Ａは、当該インデックス識別子＃Ａに基づいて、上記のインデックステーブル＃Ａから、当該インデックス識別子＃Ａに指示されたリソース割り当てパラメータ集合、即ち、リソース割り当てパラメータ集合＃Ａを検索して見つけることができる。
【０１６１】
限定ではなく、例として、本発明の実施例において、以下の情報を採用してインデックス識別子とすることができる。
【０１６２】
即ち、選択肢として、当該インデックス識別子は、番号又は無線ネットワーク一時識別子（ＲＮＴＩ）を含む。
【０１６３】
具体的に、本発明の実施例において、ネットワークデバイス＃Ａは、上記Ｎ個のリソース割り当てパラメータ集合のうちの各リソース割り当てパラメータ集合に、一つの番号（即ち、インデックス識別子の一例である）を割り当てることができ、即ち、インデックステーブル＃Ａに、Ｎ個のリソース割り当てパラメータ集合、及びＮ個のリソース割り当てパラメータ集合のインデックス識別子が記録されている。それによって、ネットワークデバイス＃Ａが、上記に記載されているように確定したリソース割り当てパラメータ集合＃Ａを使用して、当該サービス＃Ａを伝送するように、移動局＃Ａに指示しようとするときに、当該移動局＃Ａに、当該リソース割り当てパラメータ集合＃Ａの番号を送信することができ、そのため、移動局＃Ａは、リソース割り当てパラメータ集合＃Ａの番号に基づいて、インデックステーブル＃Ａから、当該リソース割り当てパラメータ集合＃Ａを確定することができる。
【０１６４】
又は、本発明の実施例において、ネットワークデバイス＃Ａは、上記Ｎ個のリソース割り当てパラメータ集合のうちの各リソース割り当てパラメータ集合に、一つの無線ネットワーク一時識別子（ＲＮＴＩ）（即ち、インデックス識別子の別の一例である）を割り当てることができ、ここで、一つの無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）は、一つのリソース割り当てパラメータ集合に一意的に対応し、即ち、インデックステーブル＃Ａに、Ｎ個のリソース割り当てパラメータ集合、及び各リソース割り当てパラメータ集合に対応するＲＮＴＩが記録されている。それによって、ネットワークデバイス＃Ａが、上記に記載されているように確定したリソース割り当てパラメータ集合＃Ａを使用して当該サービス＃Ａを伝送するように、移動局＃Ａに指示しようとするときに、当該移動局＃Ａに当該リソース割り当てパラメータ集合＃Ａに対応するＲＮＴＩを送信することができ、さらに、移動局＃Ａは、リソース割り当てパラメータ集合＃Ａに対応するＲＮＴＩに基づいて、インデックステーブル＃Ａから、当該リソース割り当てパラメータ集合＃Ａを確定することができる。
【０１６５】
ネットワークデバイスがインデックス識別子を送信することによって、サービス伝送時に使用されるリソース割り当てパラメータ集合を、移動局に指示し、それによって、インタラクションを行うための情報の情報量を大幅に減少することができ、リソースの専用率を低減し、情報インタラクションの時間を短縮することができ、さらにユーザ体験を改善することができる。
【０１６６】
なお、上記に例として挙げた、第３指示情報とする情報は、例示的な説明に過ぎず、本発明はそれに限らず、その他のネットワークデバイスと移動局は、同一のリソース割り当てパラメータ集合を一意的に確定することができる情報は、本発明の範囲内である。
【０１６７】
限定ではなく、例として、本発明の実施例において、ネットワークデバイス＃Ａは、下記の方式で、移動局＃Ａに第３指示情報を送信することができる。
【０１６８】
即ち、選択肢として、当該第１移動局は、ダウンリンク制御チャネルを介して、当該ネットワークデバイスより送信された第３指示情報を受信する。
【０１６９】
具体的に、本発明の実施例において、ネットワークデバイス＃Ａは、当該第３指示情報を制御シグナリングとし、ダウンリンク制御チャネルを介して移動局＃Ａに当該第３指示情報を送信することができる。
【０１７０】
ここで、選択肢として、当該第１移動局は、ダウンリンク制御チャネルを介して、当該ネットワークデバイスより送信された第３指示情報を受信することは、
当該第１移動局は、当該ダウンリンク制御チャネル内の第１リザーブリソースを介して、当該第３指示情報を受信することを含む。
【０１７１】
具体的に、本発明の実施例において、当該第３指示情報をベアラするための時間周波数リソースは、現在の通信プロトコル又は基準に定められたダウンリンク制御チャネル内のリザーブした時間周波数リソース（即ち、第１リザーブリソースの一例である）であっても良く、即ち、ネットワークデバイス＃Ａは、当該第３指示情報を当該リザーブした時間周波数リソースにベアラして送信することができ、それによって、移動局＃Ａが当該リザーブした時間周波数リソースに情報が含まれることを検出した場合、当該情報を第３指示情報とすることができる。
【０１７２】
選択肢として、当該第１移動局は、ダウンリンク制御チャネルを介して、当該ネットワークデバイスより送信された第３指示情報を受信することは、
当該第１移動局は、第１予め設定されたフォーマットを確定し、当該ダウンリンク制御チャネル内の、フォーマットが当該第１予め設定されたフォーマットである情報を当該第３指示情報とすることを含む。
【０１７３】
具体的に、本発明の実施例において、プロトコルの規定又はネゴシエーションを行うことなどによって、ネットワークデバイスと移動局とは、特定のフォーマット（即ち、第１予め設定されたフォーマットの一例である）を確定することができ、即ち、ネットワークデバイス＃Ａは、当該第３指示情報を当該特定のフォーマットとしてカプセルし、ダウンリンク制御チャネルにベアラして送信することができ、それによって、移動局＃Ａが、ダウンリンク制御チャネルに当該特定のフォーマットがベアラされる情報を検出した場合、当該情報と第３指示情報とすることができる。
【０１７４】
選択肢として、当該第１移動局は、ダウンリンク制御チャネルを介して、当該ネットワークデバイスより送信された第３指示情報を受信することは、
当該第１移動局は、第１予め設定された無線ネットワーク一時識別子（ＲＮＴＩ）を確定し、当該ダウンリンク制御チャネル内の、当該第１予め設定されたＲＮＴＩを含む情報を当該第３指示情報とすることを含む。
【０１７５】
具体的に、本発明の実施例において、プロトコルの規定又はネゴシエーションを行うことなどによって、ネットワークデバイスと移動局とは、特定のＲＮＴＩ（即ち、第１予め設定されたＲＮＴＩの一例である）を確定することができ、即ち、ネットワークデバイス＃Ａは、当該特定のＲＮＴＩを第３指示情報にカプセルし、ダウンリンク制御チャネルにベアラして送信することができ、それによって、移動局＃Ａがダウンリンク制御チャネルに当該特定のＲＮＴＩを含む情報を検出した時に、当該情報を第３指示情報とすることができる。
【０１７６】
また、本発明の実施例において、当該第３指示情報をアクティブ化情報とすることができ、即ち、移動局＃Ａは、当該第３指示情報を受信した後に、当該第３指示情報に指示されたリソース割り当てパラメータ集合（ここで、リソース割り当てパラメータ集合＃Ａである）によってサービスを伝送する必要があると、受け取ることができる。
【０１７７】
方式２
選択肢として、当該第１移動局は、ネットワークデバイスから、Ｎ個のリソース割り当てパラメータ集合を取得することは、
当該第１移動局は、ネットワークデバイスから、Ｎ個のリソース割り当てパラメータ集合とＭ個のサービスタイプとの対応関係を取得すること、を含み、ここで、Ｍ≧Ｎであり、当該Ｍ個のサービスタイプのうちの各サービスタイプが、一つのリソース割り当てパラメータ集合に対応し、また、
当該第１移動局は、当該Ｎ個のリソース割り当てパラメータ集合から、当該第１リソース割り当てパラメータ集合を取得することは、
当該第１移動局は、Ｎ個のリソース割り当てパラメータ集合とＭ個のサービスタイプとの対応関係と、当該第１サービスのサービスタイプとに基づいて、当該Ｎ個のリソース割り当てパラメータ集合から、当該第１リソース割り当てパラメータ集合を取得することを含む。
【０１７８】
具体的に、本発明の実施例において、当該Ｎ個のリソース割り当てパラメータ集合に相関する情報は、Ｍ個のサービスタイプと当該Ｎ個のリソース割り当てパラメータ集合とのマッピング関係を示すためのリソース割り当てパラメータ集合テーブル＃Ｘであっても良く、ここで、当該リソース割り当てパラメータ集合テーブル＃Ｘに、記録しているＭ個のサービスタイプと当該Ｎ個のリソース割り当てパラメータ集合とのマッピング関係は、上記ネットワークデバイス＃Ａに記憶されているリソース割り当てパラメータ集合テーブル＃Ａに記録しているＭ個のサービスタイプと当該Ｎ個のリソース割り当てパラメータ集合とのマッピング関係と、一致している。そのため、移動局＃Ａとネットワークデバイス＃Ａとによって確定したのは、当該サービス＃Ａのサービスタイプに対応するリソース割り当てパラメータ集合と一致することを確保することができる。
【０１７９】
それによって、移動局＃Ａは、サービス＃Ａにアクセスしようとするときに、当該サービス＃Ａのサービスタイプに基づいて、当該リソース割り当てパラメータ集合テーブル＃Ｘから、当該サービス＃Ａのサービスタイプに対応するリソース割り当てパラメータ集合（即ち、上記リソース割り当てパラメータ集合＃Ａ）をサーチすることができる。
【０１８０】
なお、上記に例として挙げた移動局＃Ａがリソース割り当てパラメータ集合＃Ａを確定する方法と過程は、例示的な説明に過ぎず、本発明はそれに限らず、例えば、移動局＃Ａが毎回一つのサービスタイプを報告する時に、移動局＃Ａは、当該第ｉ回に報告した時に受信された（又は、移動局＃Ａが第ｉ回に受信された）リソース割り当てパラメータ集合を、当該第ｉ回に報告したサービスタイプに対応するリソース割り当てパラメータ集合とすることができる。そのため、移動局＃Ａは、情報の送受信順序に基づいて、Ｎ個のリソース割り当てパラメータ集合とＭ個のサービスタイプとの対応関係を確定することができ、当該対応関係に基づいて、当該サービス＃Ａのサービスタイプに対応するリソース割り当てパラメータ集合（即ち、上記リソース割り当てパラメータ集合＃Ａである）を確定することができる。
【０１８１】
選択肢として、当該方法は、
当該第１移動局は、当該第１サービスを伝送する時間帯内において、当該第１リソース割り当てパラメータ集合以外のリソース割り当てパラメータ集合に基づくサービス伝送を避けることをさらに含む。
【０１８２】
具体的に、本発明の実施例において、ネットワークデバイス＃Ａが、移動局＃Ａが一つ以上のリソース割り当てパラメータ集合を使用してサービスを伝送するようにトリガーする時に、移動局＃Ａは、同一の時間帯（又は、同様な基本時間割り当てユニット）において、一つのみのリソース割り当てパラメータ集合を採用してサービス伝送を行うことができる。
【０１８３】
例えば、ネットワークデバイス＃Ａの指示によって、移動局＃Ａがリソース割り当てパラメータ集合＃Ａに基づいて、サービス＃Ａを伝送する時に、リソース割り当てパラメータ集合＃Ａ以外のリソース割り当てパラメータ集合に基づいて、サービス伝送を行うことを避ける（又は禁止）ことができる。
【０１８４】
又は、プロトコルの規定又は工場出荷時の設定などによって、移動局＃Ａがリソース割り当てパラメータ集合＃Ａに基づいて、サービス＃Ａを伝送する時に、リソース割り当てパラメータ集合＃Ａ以外のリソース割り当てパラメータ集合に基づいて、サービス伝送を行うことを避ける（又は禁止）ことができる。
【０１８５】
選択肢として、当該方法は、
当該第１移動局は、当該ネットワークデバイスより送信された第４指示情報を受信することと、
当該第１移動局は、当該第４指示情報に基づいて、当該第１リソース割り当てパラメータ集合に基づくサービス伝送を停止することと、
をさらに含み、当該第４指示情報は、当該第１リソース割り当てパラメータ集合に基づくサービス伝送を停止するように当該第１移動局に指示するために用いられる。
【０１８６】
具体的に、本発明の実施例において、ネットワークデバイス＃Ａが、移動局＃Ａに、上記リソース割り当てパラメータ集合＃Ａに基づくサービス伝送を停止させる必要があると確定した（例えば、サービス＃Ａが伝送完了、又はその他のリソース割り当てパラメータ集合に基づいて、より緊急のサービスを伝送する必要がある）時に、上記リソース割り当てパラメータ集合＃Ａに基づくサービス伝送を停止するように移動局＃Ａに指示するための情報（即ち、第４指示情報の一例である）を、移動局＃Ａに送信することができる。
【０１８７】
限定ではなく、例として、本発明の実施例において、第４指示情報に、当該リソース割り当てパラメータ集合＃Ａのインデックス識別子を含むことができる。
【０１８８】
限定ではなく、例として、本発明の実施例において、ネットワークデバイス＃Ａは、下記の方式で、移動局＃Ａに第４指示情報を送信することができる。
【０１８９】
即ち、選択肢として、当該第１移動局はダウンリンク制御チャネルを介して、当該ネットワークデバイスより送信された第４指示情報を受信することは、
当該第１移動局は当該ダウンリンク制御チャネル内の第２リザーブリソースによって、当該第４指示情報を受信すること、又は、
当該第１移動局は、第２予め設定されたフォーマットを確定し、当該ダウンリンク制御チャネル内の、フォーマットが当該第２予め設定されたフォーマットである情報を当該第４指示情報とすること、又は、
当該第１移動局は第２予め設定されたＲＮＴＩを確定し、当該ダウンリンク制御チャネル内の、当該第２予め設定されたＲＮＴＩを含む情報を当該第４指示情報とすること、を含む。
【０１９０】
具体的に、本発明の実施例において、ネットワークデバイス＃Ａは、当該第４指示情報を制御シグナリングとし、ダウンリンク制御チャネルを介して移動局＃Ａに当該第４指示情報を送信することができる。
【０１９１】
ここで、選択肢として、当該第１移動局はダウンリンク制御チャネルを介して、当該ネットワークデバイスより送信された第４指示情報を受信することは、
当該第１移動局は、当該ダウンリンク制御チャネル内の第１リザーブリソースを介して、当該第４指示情報を受信することを含む。
【０１９２】
具体的に、本発明の実施例において、当該第４指示情報をベアラするための時間周波数リソースは、現行の通信プロトコル又は基準に定めれたダウンリンク制御チャネル内のリザーブした時間周波数リソース（即ち、第２リザーブリソースの一例である）であっても良く、即ち、ネットワークデバイス＃Ａは、当該第４指示情報を当該リザーブした時間周波数リソースにベアラして送信することができ、それによって、移動局＃Ａが当該リザーブした時間周波数リソースに情報が含まれることを検出した場合、当該情報を第４指示情報とすることができる。
【０１９３】
又は、本発明の実施例において、プロトコルの規定又はネゴシエーションを行うことなどによって、ネットワークデバイスと移動局とは、特定のフォーマット（即ち、第２予め設定されたフォーマットの一例である）を確定することができ、即ち、ネットワークデバイス＃Ａは、当該第４指示情報を当該特定のフォーマットとしてカプセルすることができ、ダウンリンク制御チャネルにベアラして送信することができ、それによって、移動局＃Ａがダウンリンク制御チャネルに当該特定のフォーマットがベアラされている情報を検出した場合、当該情報を第４指示情報とすることができる。
【０１９４】
又は、本発明の実施例において、プロトコルの規定又はネゴシエーションを行うことなどによって、ネットワークデバイスと移動局とは、特定のＲＮＴＩ（即ち、第２予め設定されたＲＮＴＩの一例である）を特定することができ、即ち、ネットワークデバイス＃Ａは、当該特定のＲＮＴＩを第４指示情報にカプセルし、ダウンリンク制御チャネルにベアラして送信することができ、それによって、移動局＃Ａがダウンリンク制御チャネルに当該特定のＲＮＴＩの情報がベアラされていることを検出した場合、当該情報を第４指示情報とすることができる。
【０１９５】
また、本発明の実施例において、当該第４指示情報は、非アクティブ化情報とされることが可能であり、即ち、移動局＃Ａは、当該第４指示情報を受信した後に、当該第４指示情報に指示されたリソース割り当てパラメータ集合（ここで、リソース割り当てパラメータ集合＃Ａである）によってサービスを伝送することを避ける（又は、禁止）必要があると、受け取ることができる。
【０１９６】
図３は、サービス伝送方法の一つの例の概略的なインタラクション図である。図３に示すように、
Ｓ３０１において、移動局＃Ａは、例えば、アクセス過程において、例えば、ＲＲＣシグナリングを介してネットワークデバイス＃Ａに当該移動局＃Ａのサポート可能な多種のサービスタイプを報告することができる。
【０１９７】
Ｓ３０５において、ネットワークデバイス＃Ａは、当該移動局＃Ａのサポート可能な多種のサービスタイプに基づいて、多種のリソース割り当てパラメータ集合を確定することができ、例えば、ＲＲＣシグナリングを介して当該多種のリソース割り当てパラメータ集合を移動局＃Ａに送信することができる。
【０１９８】
Ｓ３１０において、移動局＃Ａが、サービス＃Ａ（又は、サービス＃Ａの生成時）を伝送しようとするときに、移動局＃Ａは、例えば、ＲＲＣシグナリング又は制御チャネルを介して、ネットワークデバイス＃Ａにサービス＃Ａのサービスタイプの指示情報とスケジューリング要求情報とを送信することができる。
【０１９９】
Ｓ３１５において、ネットワークデバイス＃Ａは、当該サービス＃Ａのサービスタイプに対応するリソース割り当てパラメータ集合＃Ａを確定することができ、また、スケジューリング要求情報（又は、スケジューリング要求情報とリソース割り当てパラメータ集合＃Ａ）に基づいて、サービス＃Ａをベアラするためのリソース＃Ａを確定することができ、例えば、ダウンリンク制御チャネルを介して、当該リソース割り当てパラメータ集合＃Ａの指示情報（例えば、リソース割り当てパラメータ集合＃Ａのインデックス識別子）とリソース＃Ａの指示情報とを移動局＃Ａに送信することができる。
【０２００】
なお、当該多種のリソース割り当てパラメータ集合は、基本リソース割り当てパラメータ集合を含むことができ、また、リソース割り当てパラメータ集合＃Ａが基本リソース割り当てパラメータ集合である場合、ネットワークデバイス＃Ａは、当該リソース割り当てパラメータ集合＃Ａの指示情報を送信しなくても良く、即ち、移動局＃Ａは、サービスタイプの指示情報を送信した後に、所定時間内において、リソース割り当てパラメータ集合の指示情報を受信していない場合、基本リソース割り当てパラメータ集合を使用してサービス＃Ａを伝送することを確定することができる。
【０２０１】
Ｓ３２０において、移動局＃Ａは、当該リソース割り当てパラメータ集合＃Ａに基づいて、リソース＃Ａを使用して、（例えば、当該ネットワークデバイス＃Ａと伝送する）サービス＃Ａを伝送することができる。
【０２０２】
Ｓ３２５において、例えば、当該サービス＃Ａが伝送完了後に、ネットワークデバイス＃Ａは、当該リソース割り当てパラメータ集合＃Ａに基づくサービス伝送を停止するように、移動局＃Ａに指示することができる。
【０２０３】
なお、上記に例として挙げたサービス＃Ａのサービスタイプは、リソース割り当てパラメータ集合＃Ａを確定するための情報（即ち、サービス＃Ａのサービス情報）の一例に過ぎず、本発明では特に限定しない。リソース割り当てパラメータ集合とマッピング関係を有し、リソースパラメータ集合を確保することができるその他の情報は、本発明の範囲内であり、限定ではなく、例として、当該サービス情報は、サービスタイプ以外に、例えば、サービスの遅延要求、サービスの伝送速度要求、サービスの緊急度、サービスのサービス品質要求、サービスのデータパケットの優先順位、サービスのロジックチャネルのインデックスなどのいろいろな情報を含むことができる。以下において、同様又は類似的な記載を省略する。
【０２０４】
本発明の実施例によるサービス伝送方法は、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０２０５】
図４に示されているのは、第１移動局を視点とする本発明による別の一つの実施例におけるアップリンクデータ伝送方法４００の概略的なフローチャートであり、図４に示すように、当該方法４００は、Ｓ４１０〜Ｓ４４０を含む。
【０２０６】
Ｓ４１０において、第１移動局は、Ｎ個のリソース割り当てパラメータ集合を取得し、ここで、各リソース割り当てパラメータ集合が、少なくとも一つのリソース割り当てパラメータを含み、Ｎ≧２である。
【０２０７】
Ｓ４２０において、当該第１移動局は、第２サービスのサービスタイプに基づいて、当該Ｎ個のリソース割り当てパラメータ集合から、当該第２サービスのサービスタイプに適合する第２リソース割り当てパラメータ集合を確定し、当該第１移動局は、第２ターゲットリソースを確定する。
【０２０８】
Ｓ４３０において、当該第１移動局は、第２移動局に、当該第２リソース割り当てパラメータ集合の指示情報と第２ターゲットリソースの指示情報とを送信する。
【０２０９】
Ｓ４４０において、当該第１移動局は、当該第２リソース割り当てパラメータ集合に基づいて、当該第２ターゲットリソースを使用して、当該第２移動局と当該第２サービスを伝送する。
【０２１０】
まず、本発明の実施例に使用されるリソース割り当てパラメータに対して詳しく説明する。
【０２１１】
本発明の実施例において、当該リソース割り当てパラメータは、周期性のリソーススケジューリング（又は、周期性のリソース割り当て）に用いられ、又は、当該リソース割り当てパラメータは、周期性のリソーススケジューリングに相関するパラメータであっても良い。限定ではなく、例として、各リソース割り当てパラメータ集合内のリソース割り当てパラメータは、送信周期、受信周期、送信電力制御パラメータ、合成型自動再送要求（ＨＡＲＱ）プロセス数のうちの少なくとも一つのパラメータを含む。
【０２１２】
具体的に、送信周期は、移動局が一回又は複数回にデータ又は情報などを送信するのに使用される時間ドメインリソースの大きさを指しても良く、限定ではなく、例として、当該送信周期は、移動局がデータ又は情報などを送信するのに使用する連続的な伝送時間間隔（ＴＴＩ：Ｔｒａｎｓｍｉｓｓｉｏｎ  Ｔｉｍｅ  Ｉｎｔｅｒｖａｌ）の数を指しても良い。
【０２１３】
なお、本発明の実施例において、当該移動局がデータ又は情報を送信する対象は、ネットワークデバイスであっても良く、その他の移動局などであっても良く、本発明では特に限定しない。移動局がデータ又は情報を送信する対象が、ネットワークデバイスである場合、当該送信周期は、アップリンク伝送の周期であっても良い。また、送信周期が移動局「複数回」にデータ又は情報を送信するのに使用する周期を含む場合、毎回の送信過程に対応する周期の大きさは同じであっても良く、異なっても良く、本発明では特に限定しない。
【０２１４】
受信周期、移動局が一回又は複数回にデータ又は情報などを受信するのに使用される時間ドメインリソースの大きさであっても良く、限定ではなく、例として、当該受信周期は、移動局がデータ又は情報などを受信するのに使用される連続的なＴＴＩの数を指しても良い。
【０２１５】
なお、本発明の実施例において、当該移動局の受信するデータ又は情報の元は、ネットワークデバイスであっても良く、その他の移動局などであっても良く、本発明では特に限定しない。移動局の受信するデータ又は情報の元がネットワークデバイスである場合、当該送信周期は、ダウンリンク伝送の周期であっても良い。また、受信周期が、移動局が「複数回」にデータ又は情報を受信する時に使用される周期を含む場合、毎回の受信過程に対応する周期の大きさは同じであっても良く、異なっても良く、本発明では特に限定しない。
【０２１６】
送信電力制御パラメータは、移動局が一回又は複数回にデータ又は情報などを送信するのに使用される送信電力と相関するパラメータであり、限定ではなく、例として、本発明の実施例において、当該送信電力制御パラメータは、移動局が使用できる送信電力の最大値であっても良い。
【０２１７】
現在、通常Ｓｔｏｐ−ａｎｄ−ｗａｉｔ合成型自動再送要求（ＨＡＲＱ：Ｈｙｂｒｉｄ  Ａｕｔｏｍａｔｉｃ  Ｒｅｐｅａｔ  ｒｅｑｕｅｓｔ）プロトコルを使用しており、対応するＨＡＲＱのプロセス数を設定する必要がある。あるＨＡＲＱプロセスのフィードバック情報を待つ過程において、その他のアイドルプロセスを継続して使用してデータパケットを伝送することができる。ＨＡＲＱの最小のＲＴＴ（Ｒｏｕｎｄ  Ｔｒｉｐ  Ｔｉｍｅ）は、一回にデータパケットを伝送する過程の完成時間と定義され、一つのデータパケットの送信側での送信を開始し、受信側で受信した後に、結果フィードバックのＡＣＫ／ＮＡＣＫシグナリングに基づいて、送信側がＡＣＫ／ＮＡＣＫ信号を復調処理後に、次のフレームを確定して、再送又は新たなデータパケットを伝送する全過程を含む。ＨＡＲＱのプロセス数とＨＡＲＱの最小ＲＴＴ時間とは緊密に相関している。周波数分割複信（ＦＤＤ：Ｆｒｅｑｕｅｎｃｙ  Ｄｉｖｉｓｉｏｎ  Ｄｕｐｌｅｘｉｎｇ）において、それのＨＡＲＱのプロセス数は、ＨＡＲＱの最小ＲＴＴ時間内に含まれるサブフレームの数と等しい。時分割複信（ＴＤＤ：Ｔｉｍｅ  Ｄｉｖｉｓｉｏｎ  Ｄｕｐｌｅｘｉｎｇ）において、それのＨＡＲＱのプロセス数は、ＨＡＲＱの最小ＲＴＴ時間内に含まれる同一送信方向のサブフレームの数である。
【０２１８】
なお、上記に例として挙げたリソース割り当てパラメータに含まれる具体的なパラメータは、単なる例示的な説明に過ぎず、本発明はそれに限らず、その他の周期性のリソーススケジューリング又は周期性のリソース割り当てに相関するパラメータは、本発明の範囲である。
【０２１９】
なお、本発明の実施例において、一つのリソース割り当てパラメータ集合に含まれるリソース割り当てパラメータの種類は特に限定されず、例えば、一つのリソース割り当てパラメータ集合は、上記に例として挙げたすべてのリソース割り当てパラメータを含むことが可能であり、又は一つのリソース割り当てパラメータ集合は、上記に例として挙げた一部のリソース割り当てパラメータを含むことが可能であり、また、後文の「Ｎ個のリソース割り当てパラメータ集合」のうちの各リソース割り当てパラメータ集合に含まれるリソース割り当てパラメータの種類と数は、同じであっても良く異なっても良く、本発明では特に限定しない。
【０２２０】
Ｓ４１０において、移動局＃Ｂ（即ち、第１移動局の一例である）は、Ｎ個の（Ｎ≧２であり）リソース割り当てパラメータ集合を取得することができる。
【０２２１】
選択肢として、当該第１移動局は、Ｎ個のリソース割り当てパラメータ集合を取得することは、
第１移動局は、Ｎ個のリソース割り当てパラメータ集合とＭ個のサービスタイプとの対応関係を取得することを含み、ここで、当該Ｍ個のサービスタイプのうちの各サービスタイプが、一つのリソース割り当てパラメータ集合に対応し、Ｍ≧Ｎである。
【０２２２】
具体的に、本発明の実施例において、移動局＃Ｂは、Ｎ個のリソース割り当てパラメータ集合とＭ個のサービスタイプとのマッピング関係を記録しているリソース割り当てパラメータ集合テーブル＃Ｙを取得することができる。
【０２２３】
なお、上記に例として挙げた、当該第１移動局のＮ個のリソース割り当てパラメータ集合を取得する方式は、例示的な説明に過ぎず、本発明はそれに限らず、例えば、第１移動局は、Ｎ個のリソース割り当てパラメータ集合自身を取得しても良い。以下、理解と説明がしやすいように、特別に説明していない場合、リソース割り当てパラメータ集合テーブル＃Ｙを取得する過程を例として、当該Ｎ個のリソース割り当てパラメータ集合を取得する過程に対して説明する。
【０２２４】
本発明の実施例において、当該リソース割り当てパラメータ集合テーブル＃Ｙ（即ち、Ｎ個のリソース割り当てパラメータ集合の一例である）は、工場出荷時の設定として、移動局＃Ｂに予め設定することができる。
【０２２５】
即ち、選択肢として、当該Ｎ個のリソース割り当てパラメータ集合とＭ個のサービスタイプとの対応関係は、当該第１移動局に予め設定する。
【０２２６】
又は、本発明の実施例において、移動局＃Ｂは、ネットワークにアクセスする時に、それにサービスするネットワークデバイス（以下、理解と区別がしやすいように、ネットワークデバイス＃Ｂと記述する）から、当該リソース割り当てパラメータ集合テーブル＃Ｙを取得することができる。
【０２２７】
即ち、選択肢として、当該第１移動局は、Ｎ個のリソース割り当てパラメータ集合とＭ個のサービスタイプとの対応関係を取得することは、
第１移動局は、ネットワークデバイスから、当該Ｎ個のリソース割り当てパラメータ集合とＭ個のサービスタイプとの対応関係を取得することを含む。
【０２２８】
限定ではなく、例として、移動局＃Ｂは、下記の過程によってネットワークデバイス＃Ｂから当該リソース割り当てパラメータ集合テーブル＃Ｙを取得することができる。
【０２２９】
即ち、選択肢として、第１移動局は、Ｎ個のリソース割り当てパラメータ集合を取得する前に、当該方法は、
当該ネットワークデバイスが当該Ｔ個のサービスタイプに基づいて、当該Ｎ個のリソース割り当てパラメータ集合を確定し、またそれを当該移動局に送信することができるように、第１移動局は、当該ネットワークデバイスに当該第１移動局のサポート可能なＴ個のサービスタイプを報告することをさらに含み、ここで、当該Ｔ個のサービスタイプのうちの各サービスタイプが、一つのリソース割り当てパラメータ集合に対応し、Ｔ≧Ｎである。
【０２３０】
具体的に、本発明の実施例において、当該移動局＃Ｂは、当該移動局＃Ｂのサポート可能な（又は、アクセス可能な）サービスのサービスタイプを確定することができる。
【０２３１】
限定ではなく、例として、当該移動局＃Ｂは、下記の方式を採用して、当該移動局＃Ｂのサポート可能なサービスタイプを確定することができる。
【０２３２】
即ち、選択肢として、第１移動局が、当該ネットワークデバイスに当該第１移動局のサポート可能なＴ個のサービスタイプを報告する前に、当該方法は、
当該第１移動局は第１マッピング関係情報を取得することと、
当該第１移動局が当該第１マッピング関係情報に基づいて、当該第１移動局のサポート可能なＫ個のサービスに対応するＴ個のサービスタイプを確定することと、
をさらに含み、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報であり、ここで、Ｋ≧Ｔである。
【０２３３】
具体的に、移動局＃Ｂは、多種のサービスと複数のサービスタイプとのマッピング関係を示すためのサービスタイプテーブル＃Ｂ（即ち、第１マッピング関係情報の一例である）を取得することができる。
【０２３４】
また、ネットワークデバイス＃Ｂが、当該サービスタイプテーブル＃Ｂ（即ち、第１マッピング関係情報の一例である）を取得しても良い。
【０２３５】
それによって、移動局＃Ｂとネットワークデバイス＃Ｂとは、同様な規則に基づいて各サービスのサービスタイプを確定することができ、即ち、同一のサービス＃Ｂに対して、移動局＃Ｂとネットワークデバイス＃Ｂとが確定したサービス＃Ｂのサービスタイプは、一致しており、さらに、本発明におけるサービス伝送方法の信頼性を確保することができる。
【０２３６】
限定ではなく、例として、当該サービスタイプテーブル＃Ｂは、上位層管理のデバイス又は通信事業者より移動局＃Ｂとネットワークデバイス＃Ｂとに送信されたものであっても良く、又は、当該サービスタイプテーブル＃Ｂは、メーカーが移動局＃Ｂとネットワークデバイス＃Ｂとに予め設定されたものであっても良く、又は、当該サービスタイプテーブル＃Ｂは、ネットワークデバイス＃Ｂ（例えば、移動局＃Ｂのアクセス過程において）が移動局＃Ｂに送信されたものであっても良く、本発明では特に限定しない。
【０２３７】
次に、移動局＃Ｂは、当該サービスタイプテーブル＃Ｂに基づいて、当該移動局＃Ｂのアクセス可能な複数の（例えば、Ｋ個の）サービスのうちの各サービスのサービスタイプを確定することができ、確定された複数の（例えば、Ｔ個の）サービスタイプの指示情報をネットワークデバイス＃Ｂに送信する。
【０２３８】
なお、本発明の実施例において、一つのサービスタイプは、多種のサービスを含むことが可能であるが、一つのサービスは、一つのみのサービスタイプに属し、そのため、Ｋ≧Ｔである。
【０２３９】
限定ではなく、例として、移動局＃Ｂは、下記の方式でＴ個のサービスタイプの指示情報をネットワークデバイス＃Ｂに送信することができる。
【０２４０】
即ち、選択肢として、当該第１移動局は、当該ネットワークデバイスに当該第１移動局のサポート可能なＴ個のサービスタイプを報告することは、
当該第１移動局はアクセス層（ＡＳ）シグナリングによって、当該ネットワークデバイスに当該第１移動局のサポート可能なＴ個のサービスタイプを報告することを含む。
【０２４１】
具体的に、本発明の実施例において、当該移動局＃Ｂは、ネットワークデバイス＃Ｂにアクセスする過程において、当該Ｔ個のサービスタイプの指示情報をアクセス層（ＡＳ：Ａｃｃｅｓｓ  Ｓｔｒａｔｕｍ）シグナリングにベアラし、ネットワークデバイス＃Ｂに送信する。
【０２４２】
限定ではなく、例として、当該ＡＳシグナリングは、無線リソース制御（ＲＲＣ：Ｒａｄｉｏ  Ｒｅｓｏｕｒｃｅ  Ｃｏｎｔｒｏｌ）シグナリングを含むことが可能である。
【０２４３】
又は、選択肢として、当該第１移動局は、当該ネットワークデバイスに当該第１移動局のサポート可能なＴ個のサービスタイプを報告することは、
当該第１移動局は非アクセス層（ＮＡＳ）シグナリングによって、モビリティ管理エンティティＭＭＥを経由して、当該ネットワークデバイスに当該第１移動局のサポート可能なＴ個のサービスタイプを報告することを含む。
【０２４４】
具体的に、本発明の実施例において、当該移動局＃Ｂは、当該Ｔ個のサービスタイプの指示情報を、非アクセス層（ＮＡＳ：Ｎｏｎ−Ａｃｃｅｓｓ  Ｓｔｒａｔｕｍ）シグナリングにベアラし、モビリティ管理エンティティ（ＭＭＥ：Ｍｏｂｉｌｉｔｙ  Ｍａｎａｇｅｍｅｎｔ  Ｅｎｔｉｔｙ）に送信することができ、それによって、ＭＭＥは、例えば、Ｓ１インターフェースを介して、当該Ｔ個のサービスタイプの指示情報をネットワークデバイス＃Ｂに送信することができる。
【０２４５】
なお、本発明の実施例において、移動局＃ＢがＴ個のサービスタイプを報告する過程は、一回の報告（又は、一回にメッセージ又はシグナリング伝送）によって完成させても良く、複数回の報告によって完成させてもよく、本発明では特に限定しない。
【０２４６】
それによって、ネットワークデバイス＃Ｂは、当該移動局＃ＢのサポートするＴ個のサービスタイプを確定することができ、また、当該Ｔ個のサービスタイプのうちの各サービスタイプに対応するリソース割り当てパラメータ集合を、当該Ｎ個のリソース割り当てパラメータ集合として確定することができる。
【０２４７】
限定ではなく、例として、本発明の実施例において、ネットワークデバイス＃Ｂは、複数のサービスタイプと複数個のリソース割り当てパラメータ集合とのマッピング関係を示すためのリソース割り当てパラメータ集合テーブル＃Ｂを取得することができ、それによって、ネットワークデバイス＃Ｂは、当該リソース割り当てパラメータ集合テーブル＃Ｂにおいて、当該Ｔ個のサービスタイプのうちの各サービスタイプに対応するリソース割り当てパラメータ集合をサーチすることができ、それによって当該Ｎ個のリソース割り当てパラメータ集合を確定する。なお、本発明の実施例において、一つのリソース割り当てパラメータ集合は複数のサービスタイプに対応することができるが、各サービスタイプは、一つのみのリソース割り当てパラメータ集合に対応する。そのため、Ｔ≧Ｎである。また、例えば、当該複数の（二つ又は二つ以上）サービスタイプが、同一のリソース割り当てパラメータ集合に対応する場合において、又は、当該リソース割り当てパラメータ集合テーブル＃Ｂに、当該Ｔ個のサービスタイプのうちの一つ又は複数のサービスタイプに対応するリソース割り当てパラメータ集合が記録されていない場合において、当該Ｎ個のリソース割り当てパラメータ集合が、Ｔ個のサービスタイプのうちのＭ個のサービスタイプに事実的に対応する場合があり、Ｔ≧Ｍである。
【０２４８】
限定ではなく、例として、当該リソース割り当てパラメータ集合テーブル＃Ｂは、上位層管理のデバイス、又は通信事業者よりネットワークデバイス＃Ｂに送信されたものであっても良く、又は、当該サービスタイプテーブル＃Ｂは、メーカーによりネットワークデバイス＃Ｂに予め設定されたものであっても良く、本発明では特に限定しない。
【０２４９】
本発明の実施例によるサービス伝送方法は、ネットワークデバイスが移動局より報告された当該移動局のサポート可能なサービスのサービスタイプに基づいて、複数個のリソース割り当てパラメータ集合を確定して移動局に送信することができ、異なる移動局が異なるサービス伝送に対する要求を柔軟に対応することができる。
【０２５０】
なお、上記に例として挙げたネットワークデバイス＃ＢがＮ個のリソース割り当てパラメータ集合とＭ個のサービスタイプとの対応関係を確定する方法及びプロセスは、例示的な説明に過ぎず、本発明はそれに限らず、例えば、ネットワークデバイス＃Ｂは、当該Ｎ個のリソース割り当てパラメータ集合とＭ個のサービスタイプとの対応関係を自主的に確定することができ、又は、ネットワークデバイス＃Ｂは、移動局＃Ｂより報告されたサービスタイプを参照せず、当該Ｎ個のリソース割り当てパラメータ集合とＭ個のサービスタイプとの対応関係を確定することができ、限定ではなく、例として、この場合において、ネットワークデバイス＃Ｂは、予め記憶されたすべてのリソース割り当てパラメータ集合を当該Ｎ個のリソース割り当てパラメータ集合とすることができる。
【０２５１】
上記に記載しているように、Ｎ個のリソース割り当てパラメータ集合を確定した後に、ネットワークデバイス＃Ｂは、当該Ｎ個のリソース割り当てパラメータ集合とＭ個のサービスタイプとの対応関係（即ち、リソース割り当てパラメータ集合テーブル＃Ｙである）を移動局＃Ｂに送信することができる。
【０２５２】
本発明の実施例において、ネットワークデバイス＃Ｂは、例えば、ＲＲＣシグナリングなどによって、当該リソース割り当てパラメータ集合テーブル＃Ｙを移動局＃Ｂに送信することができる。
【０２５３】
なお、本発明の実施例において、ネットワークデバイス＃Ｂが、リソース割り当てパラメータ集合テーブル＃Ｙを送信する過程は、一回の送信（又は、一回のメッセージ又はシグナリング伝送）によって完成させても良く、ｎ回の送信（例えば、ｎ個の構成情報によって送信し、ここで、一回の送信過程において一つの構成情報を伝送する）によって完成させても良く、本発明では特に限定しない。
【０２５４】
また、ネットワークデバイス＃ＢがＮ個のリソース割り当てパラメータ集合を送信する過程は、移動局＃ＢがＴ個のサービスタイプを報告する過程に対応することができ、例えば、移動局＃Ｂが一回の報告によって、Ｔ個のサービスタイプの報告過程を完成させた場合、ネットワークデバイス＃Ｂは、一回の送信によって、Ｎ個のリソース割り当てパラメータ集合の送信過程を完成させることができ、又は、移動局＃Ｂが、複数回の報告によって、Ｔ個のサービスタイプの報告過程を完成させた場合、ネットワークデバイス＃Ｂは、ｎ回の送信（例えば、ｎ個の構成情報によって）で、Ｎ個のリソース割り当てパラメータ集合の送信過程を完成させることができ、また、この場合において、ネットワークデバイス＃Ｂが第ｉ回の送信で伝送されるリソース割り当てパラメータ集合は、移動局＃Ｂが第ｉ回の報告で伝送されるサービスタイプに対応することが可能であり、それによって、移動局＃Ｂが毎回に一つのサービスタイプを報告する時に、移動局＃Ｂは、当該第ｉ回で報告された後の受信した（又は、移動局＃Ｂが第ｉ回で受信された）リソース割り当てパラメータ集合を、当該第ｉ回で報告されたサービスタイプに対応するリソース割り当てパラメータ集合とすることができる。
【０２５５】
そのため、移動局＃Ｂ、当該リソース割り当てパラメータ集合テーブル＃Ｙを取得することができる。
【０２５６】
本発明の実施例において、ネットワークデバイスと移動局とが、サービスが生成される前に、例えば、移動局がネットワークデバイスにアクセスする過程において、当該Ｎ個のリソース割り当てパラメータ集合を伝送することによって、情報量の比較的に大きいリソース割り当てパラメータ集合の伝送過程をサービスの発生前に行うことができ、それによって、サービスのアクセス過程を早めることができ、ユーザエクスペリエンスを改善することができる。
【０２５７】
選択肢として、当該Ｎ個のサービスタイプに一つの基本サービスタイプが含まれ、当該基本サービスタイプに対応するリソース割り当てパラメータ集合は、周期スケジューリングに基づくサービス伝送のためのすべてのパラメータを含む。
【０２５８】
具体的に、本発明の実施例において、当該Ｎ個のサービスタイプは、基本サービスタイプを含むことが可能であり、基本サービスタイプは、その対応するリソース割り当てパラメータ集合（以下、理解と区別がしやすいように、基本リソース割り当てパラメータ集合と記述する）は、周期スケジューリングに基づくサービス伝送のためのすべてのパラメータを含むことが可能であり、例えば、上記の送信周期、受信周期、送信電力制御パラメータ、ＨＡＲＱプロセス数のうちのすべてのパラメータである。
【０２５９】
また、本発明の実施例において、当該基本リソース割り当てパラメータ集合は、移動局がサービス伝送する時に使用されるデフォルトパラメータとされても良く、即ち、移動局が、ネットワークデバイスより指示されたサービス伝送時に使用されるリソース割り当てパラメータ集合を受信していない場合、移動局は、デフォルト的に、当該基本リソース割り当てパラメータ集合に基づいて、サービス伝送を行うことが可能である。
【０２６０】
また、選択肢として、当該Ｎ個のサービスタイプに基本サービスタイプが含まれ、当該基本サービスタイプに対応するリソース割り当てパラメータ集合は、準静的スケジューリングに基づくデータ伝送のためのすべてのパラメータを含み、当該第２移動局に、当該基本サービスタイプに対応するリソース割り当てパラメータ集合が含まれる。
【０２６１】
当該第２リソース割り当てパラメータ集合が周期スケジューリングに基づくサービス伝送のための一部のパラメータを含む場合、当該第１移動局は、当該第２リソース割り当てパラメータ集合に基づいて、第２ターゲットリソースを利用して当該第２サービスを伝送することは、
当該第１移動局は、当該第１リソース割り当てパラメータ集合に基づいて、当該基本サービスタイプに対応するリソース割り当てパラメータ集合と第２ターゲットリソースとを確定し、当該第２移動局と当該第２サービスを伝送することを含む。
【０２６２】
具体的に、本発明の実施例において、当該Ｎ個のサービスタイプは、一つ又は複数の非基本サービスタイプを含むことが可能であり、非基本サービスタイプは、その対応するリソース割り当てパラメータ集合（以下、理解と区別がしやすいように、非基本リソース割り当てパラメータ集合と記述する）は、周期スケジューリングに基づくサービス伝送のためのすべて又は一部のパラメータを含むことが可能であり、例えば、上記の送信周期、受信周期、送信電力制御パラメータ、ＨＡＲＱプロセス数のうちのすべて又は一部のパラメータである。
【０２６３】
移動局の伝送する必要があるサービスのサービスタイプが、非基本サービスタイプであり、且つ、当該非基本サービスタイプの対応する非基本リソース割り当てパラメータ集合が、周期スケジューリングに基づくサービス伝送のための一部のパラメータを含む場合、周期スケジューリングに基づくサービス伝送のすべてのパラメータ（即ち、基本リソース割り当てパラメータ集合）をパラメータ集合αとし、当該非基本リソース割り当てパラメータ集合内のパラメータをパラメータ集合βとする場合、パラメータ集合βは、パラメータ集合αの部分集合である。それによって、ネットワークデバイスと移動局とは、パラメータ集合α内のパラメータ集合β以外のパラメータ、及び、パラメータ集合βに基づいて、当該非基本サービスタイプのサービスを伝送することができる。
【０２６４】
限定ではなく、例として、本発明の実施例をＶ２Ｖシステム又はＶ２Ｘシステムに適用する場合、当該基本サービスタイプのサービスは、伝送位置、速度、軌跡など情報のサービスを含むことが可能であり、当該非基本サービスタイプのサービスは、衝突アラートの伝送、緊急停車アラートなど情報のサービスを含むことが可能である。
【０２６５】
なお、后述の移動局＃Ｃは、移動局＃Ｂと同様又は類似している方式によって基本リソース割り当てパラメータ集合を取得することができる。
【０２６６】
Ｓ４２０において、移動局＃Ｂがその他の移動局（以下、理解と区別がしやすいように、移動局＃Ｃと記述する）とサービス＃Ｂ（即ち、第２サービスの一例である）を伝送しようとするときに、当該移動局＃Ｂは、（例えば、ネットワークデバイスの指示に基づく、又は競争方式を採用する）当該サービス＃Ｂを伝送するためのリソース（即ち、第２ターゲットリソースであり、以下、理解と説明がしやすいように、リソース＃Ｂと記述する）を取得することができる。
【０２６７】
また、移動局＃Ｂは、当該サービス＃Ｂのサービスタイプに基づいて、当該サービス＃Ｂのサービスタイプに対応するリソース割り当てパラメータ集合（即ち、第２リソース割り当てパラメータ集合の一例であり、以下、理解と説明がしやすいように、リソース割り当てパラメータ集合＃Ｂと記述する）を確定して使用する。
【０２６８】
例えば、移動局＃Ｂは、上記リソース割り当てパラメータ集合テーブル＃Ｙにおいて、当該サービス＃Ｂに対応するリソース割り当てパラメータ集合をサーチし、当該リソース割り当てパラメータ集合＃Ｂとすることができる。
【０２６９】
又は、さらに、例えば、移動局＃Ｂは、ネットワークデバイスから、又は、出荷設定又は通信プロトコルの規定などの方式によって、上記に記載されているように取得するＮ個のリソース割り当てパラメータ集合とＭ個のサービスタイプとの対応関係を取得し、当該対応関係に基づいて、当該サービス＃Ｂに対応するリソース割り当てパラメータ集合を、当該リソース割り当てパラメータ集合＃Ｂとすることができる。
【０２７０】
選択肢として、当該第１移動局が第２ターゲットリソースを確定することは、
当該第１移動局は、当該第２サービスのサービスタイプ及び／又は第２リソース割り当てパラメータ集合に基づいて、当該第２ターゲットリソースを確定することを含む。
【０２７１】
具体的に、本発明の実施例において、当該移動局＃Ｂは、当該リソース割り当てパラメータ集合＃Ｂに基づいて、上記リソース＃Ｂを確定することができ、限定ではなく、例として、当該移動局＃Ｂは、リソース割り当てパラメータ集合＃Ｂに基づいて、当該リソース＃Ｂに対応する時間ドメインリソースが当該リソース割り当てパラメータ集合＃Ｂに指示された伝送周期内にあることを確保することができる。
【０２７２】
なお、上記に例として挙げた、ネットワークデバイスが、通信時に使用されるリソース割り当てパラメータに基づいてリソースを割り当てる方式は、例示的な説明に過ぎず、本発明はそれに限らず、通信時に使用されるリソース割り当てパラメータに基づいてリソースを割り当てることができるその他の方法は、本発明の保護範囲内であり、例えば、移動局＃Ｂは、さらに、サービス＃Ｂのサービスタイプに基づいて、当該リソース＃Ｂに対応する時間ドメインリソースが、サービス＃Ｂのサービスタイプに対応するリソース割り当てパラメータ集合（即ち、リソース割り当てパラメータ集合＃Ｂ）に指示された伝送周期内にあることを確保することができる。
【０２７３】
そのため、移動局＃Ｂは、サービス＃Ｂを伝送するためのリソース割り当てパラメータ集合＃Ｂとリソース＃Ｂとを確定することができる。
【０２７４】
また、Ｓ４３０において、移動局＃Ｂは、当該リソース＃Ｂの指示情報（即ち、当該第２リソース割り当てパラメータ集合の指示情報の一例である）と当該リソース＃Ｂの指示情報（即ち、第２ターゲットリソースの指示情報である）とを、例えば、制御チャネルなどを介して、移動局＃Ｃに送信することができる。
【０２７５】
それによって、移動局＃Ｃは、当該リソース＃Ｂとリソース割り当てパラメータ集合＃Ｂとを確定することができる。
【０２７６】
Ｓ４４０において、移動局＃Ｂは、当該リソース割り当てパラメータ集合＃Ｂとリソース＃Ｂとに基づいて、移動局＃Ｃと当該サービス＃Ｂを伝送することができる。
【０２７７】
例えば、移動局＃Ｂは、当該リソース割り当てパラメータ集合＃Ｂにより指示された送信周期内において、リソース＃Ｂを使用して、移動局＃Ｃにサービス＃Ｂのデータを送信することができる。
【０２７８】
さらに例えば、移動局＃Ｂは、当該リソース割り当てパラメータ集合＃Ｂにより指示された受信周期内において、リソース＃Ｂを使用して、移動局＃Ｃより送信されたサービス＃Ｂのデータを受信することができる。
【０２７９】
さらに、例えば、移動局＃Ｂがサービス＃Ｂのデータを送信する時に、送信電力を、リソース割り当てパラメータ集合＃Ｂにより指示された送信電力制御パラメータを低めることができ、また、移動局＃Ｃがサービス＃Ｃのデータを送信する時に、送信電力をリソース割り当てパラメータ集合＃Ｂにより指示された送信電力制御パラメータより低めることができる。
【０２８０】
さらに、例えば、移動局＃Ｂは、リソース割り当てパラメータ集合＃Ｂにより指示されたＨＡＲＱプロセス数を使用して、サービス＃Ｂのデータの再送を行うことができ、また、移動局＃Ｃは、リソース割り当てパラメータ集合＃Ｂにより指示されたＨＡＲＱプロセス数を使用して、サービス＃Ｂのデータを再送することができる。
【０２８１】
選択肢として、当該方法は、
当該第２移動局は、当該第２サービスを伝送する時間帯内において、当該第２リソース割り当てパラメータ集合以外のリソース割り当てパラメータ集合に基づくサービス伝送を避ける。
【０２８２】
具体的に、本発明の実施例において、移動局＃Ｂが一つ以上のリソース割り当てパラメータ集合を使用してサービス伝送を行う時に、移動局＃Ｂは、同一の時間帯（又は、同様な基本時間割り当てユニット）において、一つのみのリソース割り当てパラメータ集合を採用し、サービス伝送を行うことができる。
【０２８３】
例えば、ネットワークデバイスの指示によって、移動局＃Ｂがリソース割り当てパラメータ集合＃Ｂに基づいてサービス＃Ｂを伝送する時に、リソース割り当てパラメータ集合＃Ｂ以外のリソース割り当てパラメータ集合に基づくサービス伝送を避ける（又は、禁止）ことができる。
【０２８４】
又は、プロトコルの規定又は工場出荷時の設定などによって、移動局＃Ｂがリソース割り当てパラメータ集合＃Ｂに基づいてサービス＃Ｂを伝送する時に、リソース割り当てパラメータ集合＃Ｂ以外のリソース割り当てパラメータ集合に基づくサービス伝送を避ける（又は、禁止）ことができる。
【０２８５】
選択肢として、当該方法は、
当該第１移動局は、当該第２移動局に第５指示情報を送信することをさらに含み、当該第５指示情報が、当該第２リソース割り当てパラメータ集合に基づくサービス伝送を停止するように、当該第２移動局に指示するために用いられる。
【０２８６】
具体的に、本発明の実施例において、移動局＃Ｂは、移動局＃Ｃに、上記リソース割り当てパラメータ集合＃Ｂに基づくサービス伝送を停止させる必要があることを確定した（例えば、サービス＃Ｂの伝送完了、又はその他のリソース割り当てパラメータ集合に基づいてより緊急のサービスを伝送する必要がある）場合、上記リソース割り当てパラメータ集合＃Ｂに基づくサービス伝送を停止するように移動局＃Ｃに指示するための情報（即ち、第５指示情報の一例である）を、移動局＃Ｃに送信することができる。
【０２８７】
限定ではなく、例として、本発明の実施例において、第５指示情報に、当該リソース割り当てパラメータ集合＃Ｂのインデックス識別子を含むことができる。
【０２８８】
また、本発明の実施例において、当該第５指示情報は、非アクティブ化情報とされることが可能であり、即ち、移動局＃Ｃは、当該第５指示情報を受信した後に、当該第５指示情報に指示されたリソース割り当てパラメータ集合（ここで、リソース割り当てパラメータ集合＃Ｂである）によってサービスを伝送することを避ける（又は、禁止）必要があると認められる。
【０２８９】
図５は、サービス伝送方法の一つの例の概略的なインタラクション図である。図５に示すように、
Ｓ５０１において、移動局＃Ｂは、例えば、アクセス過程において、例えば、ＲＲＣシグナリングを介してネットワークデバイス＃Ｂに当該移動局＃Ｂのサポート可能な多種のサービスタイプを報告することができる。
【０２９０】
Ｓ５０５において、ネットワークデバイス＃Ｂは、当該移動局＃Ｂのサポート可能な多種のサービスタイプに基づいて、多種のリソース割り当てパラメータ集合を確定することができ、例えば、ＲＲＣシグナリングを介して当該多種のリソース割り当てパラメータ集合を移動局＃Ｂに送信することができる。
【０２９１】
Ｓ５１０において、移動局＃Ｂが、移動局Ｃとサービス＃Ｂ（又は、サービス＃Ｂの生成時）を伝送しようとする時に、移動局＃Ｂは、当該サービス＃Ｂのサービスタイプに対応するリソース割り当てパラメータ集合＃Ｂを確定することができ、また、サービス＃Ｂをベアラするためのリソース＃Ｂを確定することができ、例えば、制御チャネルを介して、当該リソース割り当てパラメータ集合＃Ｂの指示情報（例えば、リソース割り当てパラメータ集合＃Ｂのインデックス識別子）とリソース＃Ｂの指示情報とを、移動局＃Ｃに送信する。
【０２９２】
なお、当該多種のリソース割り当てパラメータ集合は、基本リソース割り当てパラメータ集合を含むことができ、また、リソース割り当てパラメータ集合＃Ｂが基本リソース割り当てパラメータ集合である場合、移動局＃Ｂは、当該リソース割り当てパラメータ集合＃Ｂの指示情報を送信しなくても良く、即ち、移動局＃Ｃは、リソース＃Ｂの指示情報を送信した後に、所定時間内において、リソース割り当てパラメータ集合の指示情報を受信していない場合、基本リソース割り当てパラメータ集合を使用してサービス＃Ｂを伝送することを確定することができる。
【０２９３】
Ｓ５１５において、移動局＃Ｂと移動局＃Ｃとは、当該リソース割り当てパラメータ集合＃Ｂに基づいて、リソース＃Ｂを使用して、サービス＃Ｂを伝送することができる。
【０２９４】
Ｓ５２０において、例えば、当該サービス＃Ｂが伝送完了後に、移動局＃Ｂは、当該リソース割り当てパラメータ集合＃Ｂに基づくサービス伝送を停止するように、移動局＃Ｃに指示することができる。
【０２９５】
本発明の実施例によるサービス伝送方法は、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって、当該第１移動局と第２移動局とは、第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定し、当該第２リソース割り当てパラメータ集合に基づいて、第２移動局と当該第１サービスを伝送し、それによって異なるサービスで準静的スケジューリングに対して異なる要求を柔軟、迅速に対応することができる。
【０２９６】
図６は、ネットワークデバイスを視点とする本発明の実施例におけるサービス伝送方法６００の概略的なフローチャートである。図６に示すように、当該方法６００は、Ｓ６１０〜Ｓ６４０を含む。
【０２９７】
Ｓ６１０において、ネットワークデバイスは、第１移動局にＮ個のリソース割り当てパラメータ集合を送信し、ここで、各リソース割り当てパラメータ集合が、少なくとも一つのリソース割り当てパラメータを含み、Ｎ≧２である。
【０２９８】
Ｓ６２０において、当該ネットワークデバイスは、当該第１移動局より送信された第１指示情報を受信し、当該第１指示情報が、当該第１移動局の伝送する必要のある第１サービスのサービスタイプを示すために用いられる。
【０２９９】
Ｓ６３０において、当該ネットワークデバイスは当該第１指示情報に基づいて、当該Ｎ個のリソース割り当てパラメータ集合から、当該第１サービスのサービスタイプに対応する第１リソース割り当てパラメータ集合を確定する。
【０３００】
Ｓ６４０において、当該ネットワークデバイスは第１ターゲットリソースを確定し、当該第１移動局に第１ターゲットリソースを示すための第２指示情報を送信する。
【０３０１】
選択肢として、当該ネットワークデバイスが第１ターゲットリソースを確定することは
当該ネットワークデバイスは、当該第１リソース割り当てパラメータ集合に基づいて、第１ターゲットリソースを確定することを含む。
【０３０２】
選択肢として、当該ネットワークデバイスは、第１移動局にＮ個のリソース割り当てパラメータ集合を送信することは、
ネットワークデバイスは、第１移動局にＮ個のリソース割り当てパラメータ集合とＭ個のサービスタイプとの対応関係を送信することを含み、ここで、Ｍ≧Ｎであり、当該Ｍ個のサービスタイプのうちの各サービスタイプが、一つのリソース割り当てパラメータ集合に対応する。
【０３０３】
選択肢として、当該方法は、
当該ネットワークデバイスは、当該第１移動局に第３指示情報を送信することをさらに含み、当該第３指示情報が、第１移動局が当該第１リソース割り当てパラメータ集合を利用して当該第１サービスを伝送するように指示するために用いられる。
【０３０４】
選択肢として、当該ネットワークデバイスは、当該第１移動局に第３指示情報を送信することは、
当該ネットワークデバイスはダウンリンク制御チャネルを介して当該第１移動局に第３指示情報を送信することを含む。
【０３０５】
選択肢として、当該ネットワークデバイスがダウンリンク制御チャネルを介して当該第１移動局に第３指示情報を送信することは、
当該ネットワークデバイスは、ダウンリンク制御チャネル内の第１リザーブリソースによって、当該第１移動局に第３指示情報を送信すること、又は、
当該ネットワークデバイスは第１予め設定されたフォーマットを確定し、当該第１予め設定されたフォーマットに基づいて、第３指示情報を生成して送信すること、又は、
当該第１移動局は、第１予め設定された無線ネットワーク一時識別子（ＲＮＴＩ）を確定し、当該第１予め設定されたＲＮＴＩを当該第３指示情報にベアラし、当該第１移動局に送信すること、を含む。
【０３０６】
選択肢として、当該ネットワークデバイスは、第１移動局にＮ個のリソース割り当てパラメータ集合を送信することは、
当該ネットワークデバイスは、第１移動局に、Ｎ個のリソース割り当てパラメータ集合とＮ個のインデックス識別子との１対１の対応関係を送信することを含み、また、
当該第３指示情報が、当該第１リソース割り当てパラメータ集合に対応するインデックス識別子を含む。
【０３０７】
選択肢として、当該インデックス識別子は、番号又は無線ネットワーク一時識別子（ＲＮＴＩ）を含む。
【０３０８】
選択肢として、当該ネットワークデバイスが、第１移動局にＮ個のリソース割り当てパラメータ集合を送信する前に、当該方法は、
当該ネットワークデバイスは、当該第１移動局から、当該第１移動局のサポート可能なＴ個のサービスタイプを取得することと、
当該ネットワークデバイスが当該Ｔ個のサービスタイプに基づいて、当該Ｎ個のリソース割り当てパラメータ集合を確定することと、をさらに含み、ここで、Ｔ≧Ｎであり、当該Ｔ個のサービスタイプのうちの各サービスタイプが、一つのリソース割り当てパラメータ集合に対応する。
【０３０９】
選択肢として、当該ネットワークデバイスが、当該第１移動局から、当該第１移動局のサポート可能なＴ個のサービスタイプを取得することは、
当該ネットワークデバイスは、アクセス層（ＡＳ）シグナリングによって、当該第１移動局より報告された当該第１移動局のサポート可能なＴ個のサービスタイプを取得すること、又は、
当該ネットワークデバイスは、モビリティ管理エンティティＭＭＥを経由して、当該第１移動局のサポート可能なＴ個のサービスタイプを取得すること、
を含み、当該第１移動局のサポート可能なＴ個のサービスタイプは、当該第１移動局が非アクセス層（ＮＡＳ）シグナリングによって当該ＭＭＥに報告するものである。
【０３１０】
選択肢として、当該ネットワークデバイスは、当該第１移動局より送信された第１指示情報を受信することは、
当該ネットワークデバイスはアップリンクデータチャネルを介して、当該第１移動局より送信された第１指示情報を受信すること、又は
当該ネットワークデバイスはアップリンク制御チャネルを介して、当該第１移動局より送信された第１指示情報を受信すること、又は
当該ネットワークデバイスは無線リソース制御（ＲＲＣ）シグナリングによって、当該第１移動局より送信された第１指示情報を受信すること、
を含み、ここで、当該第１指示情報が当該データパケットのメディアアクセス制御（ＭＡＣ）層にベアラされる。
【０３１１】
選択肢として、当該方法は、
当該ネットワークデバイスは、当該第１移動局に第５指示情報を送信することをさらに含み、当該第５指示情報は、当該第１リソース割り当てパラメータ集合に基づくサービス伝送を停止するように当該第１移動局に指示するために用いられる。
【０３１２】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３１３】
選択肢として、当該ネットワークデバイスが、第１移動局にＮ個のリソース割り当てパラメータ集合を送信することは、
当該ネットワークデバイスは、第１移動局に、Ｎ個のリソース割り当てパラメータ集合をベアラするｎ個の構成情報を送信することを含み、ここで、各構成情報に少なくとも一つのリソース割り当てパラメータ集合がベアラされ、Ｎ≧ｎ≧１である。
【０３１４】
選択肢として、当該方法は、
当該ネットワークデバイスは、第２マッピング関係情報を取得することをさらに含み、ここで、当該第２マッピング関係情報が、複数のサービスのうちの各サービスのサービスタイプを示すために用いられ、ここで、当該第２マッピング関係が第１マッピング関係と同じであり、当該第１マッピング関係情報が、前記第１移動局が前記複数のサービスのうちの各サービスのサービスタイプを確定する時に使用される情報である。
【０３１５】
上記方法６００における第１移動局の動作が、上記方法２００における移動局＃Ａの動作と類似しており、上記方法６００におけるネットワークデバイスの操作は、上記方法２００におけるネットワークデバイス＃Ａの動作と類似しており、ここで、重複を避けるため、詳細を省略する。
【０３１６】
本発明の実施例によるサービス伝送方法は、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０３１７】
図７は、移動局を視点とする本発明の実施例におけるサービス伝送方法７００の概略的なフローチャートである。図７に示すように、当該方法７００は、Ｓ７１０〜Ｓ７２０を含む。
【０３１８】
Ｓ７１０において、第２移動局は、第１移動局より送信された第２リソース割り当てパラメータ集合の指示情報と第２ターゲットリソースの指示情報とを受信し、当該第２リソース割り当てパラメータ集合が第２サービスのサービスタイプに対応し、当該第２リソース割り当てパラメータ集合は、当該第１移動局がＮ個のリソース割り当てパラメータ集合とＭ個のサービスタイプとの対応関係と、第２サービスのサービスタイプとに基づいて、当該Ｎ個のリソース割り当てパラメータ集合から確定されたものである。
【０３１９】
Ｓ７２０において、当該第２移動局は、当該第２リソース割り当てパラメータ集合に基づいて、当該第２ターゲットリソースを使用して、当該第１移動局と当該第２サービスを伝送する。
【０３２０】
選択肢として、当該第２ターゲットリソースは、当該第１移動局が当該第２リソース割り当てパラメータ集合に基づいて確定されたものである。
【０３２１】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３２２】
選択肢として、当該方法は、
当該第２移動局は、当該第２サービスを伝送する時間帯内において、当該第２リソース割り当てパラメータ集合以外のリソース割り当てパラメータ集合に基づくサービス伝送を避けることをさらに含む。
【０３２３】
選択肢として、当該Ｎ個のサービスタイプは、基本サービスタイプを含み、当該基本サービスタイプに対応するリソース割り当てパラメータ集合は、準静的のスケジューリングに基づくデータ伝送のためのすべてのパラメータを含み、当該第２移動局に、当該基本サービスタイプに対応するリソース割り当てパラメータ集合が含まれる。
【０３２４】
当該第２リソース割り当てパラメータ集合が、周期スケジューリングに基づくサービス伝送のための一部のパラメータを含む場合、当該第２移動局は、当該第２リソース割り当てパラメータ集合に基づいて、当該第２ターゲットリソースを使用して当該第１移動局と当該第２サービスを伝送することは、
当該第２移動局は、当該第１リソース割り当てパラメータ集合、当該基本サービスタイプに対応するリソース割り当てパラメータ集合、及び当該第２ターゲットリソースに基づいて、当該第１移動局と当該第２サービスを伝送する。
【０３２５】
上記方法７００における第１移動局の動作は、上記方法４００における移動局＃Ｂの動作と類似しており、上記方法７００における第２移動局の動作は、上記方法４００における移動局＃Ｃの動作と類似しており、ここで、重複を避けるため、詳細を省略する。
【０３２６】
本発明の実施例によるサービス伝送方法は、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって当該第１移動局と第２移動局とは第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定することができ、当該第２リソース割り当てパラメータ集合に基づいて、第２移動局と当該第１サービスを伝送し、それによって異なるサービスで準静的スケジューリングに対して異なる要求を柔軟、迅速に対応することができる。
【０３２７】
図８は、本発明の実施例におけるサービス伝送装置８００の概略的なブロック図である。図８に示すように、当該装置８００は、取得ユニット８１０、通信ユニット８２０、確定ユニット８３０を含む。
【０３２８】
取得ユニット８１０は、ネットワークデバイスからＮ個のリソース割り当てパラメータ集合を取得するように構成され、ここで、各リソース割り当てパラメータ集合が、少なくとも一つのリソース割り当てパラメータを含み、Ｎ≧２である。
【０３２９】
通信ユニット８２０は、当該ネットワークデバイスが、当該Ｎ個のリソース割り当てパラメータ集合から、当該第１サービスのサービスタイプに対応する第１リソース割り当てパラメータ集合を確定することができるように、当該ネットワークデバイスに第１指示情報を送信するように構成され、当該第１指示情報が、当該装置が伝送する必要がある第１サービスのサービスタイプを示すために用いられ、又は、当該ネットワークデバイスより送信された第２指示情報を受信するように構成され、当該第２指示情報が、第１ターゲットリソースを示すために用いられる。
【０３３０】
確定ユニット８３０は、当該Ｎ個のリソース割り当てパラメータ集合から、当該第１サービスのサービスタイプに対応する第１リソース割り当てパラメータ集合を確定するように構成される。
【０３３１】
当該通信ユニット８２０は、当該第１リソース割り当てパラメータ集合に基づいて、第１ターゲットリソースを利用して当該第１サービスを伝送するようにさらに構成される。
【０３３２】
選択肢として、第１ターゲットリソースは、当該ネットワークデバイスが当該第１リソース割り当てパラメータ集合に基づいて、当該装置に割り当てられたものである。
【０３３３】
選択肢として、当該取得ユニットは、具体的に、ネットワークデバイスからＮ個のリソース割り当てパラメータ集合とＭ個のサービスタイプとの対応関係を取得するように構成され、ここで、Ｍ≧Ｎであり、当該Ｍ個のサービスタイプのうちの各サービスタイプが、一つのリソース割り当てパラメータ集合に対応する。
【０３３４】
当該確定ユニットは、具体的に、Ｎ個のリソース割り当てパラメータ集合とＭ個のサービスタイプとの対応関係と当該第１サービスのサービスタイプとに基づいて、当該Ｎ個のリソース割り当てパラメータ集合から、当該第１リソース割り当てパラメータ集合を取得するように構成される。
【０３３５】
選択肢として、当該通信ユニットは、当該ネットワークデバイスより送信された第３指示情報を受信するようにさらに構成され、当該第３指示情報が、当該第１リソース割り当てパラメータ集合を使用して当該第１サービスを伝送するように装置に指示するために用いられ、
当該確定ユニットは、当該第３指示情報に基づいて、当該Ｎ個のリソース割り当てパラメータ集合から、当該第１リソース割り当てパラメータ集合を取得する。
【０３３６】
選択肢として、当該通信ユニットは、具体的に、ダウンリンク制御チャネルを介して、当該ネットワークデバイスより送信された第３指示情報を受信するように構成される。
【０３３７】
選択肢として、当該通信ユニットは、具体的に、当該ダウンリンク制御チャネル内の第１リザーブリソースによって、当該第３指示情報を受信するように構成され、又は、
当該通信ユニットは、具体的に、第１予め設定されたフォーマットを確定し、当該ダウンリンク制御チャネル内の、フォーマットが当該第１予め設定されたフォーマットである情報を当該第３指示情報とするように構成され、又は、
当該通信ユニットは、具体的に、第１予め設定された無線ネットワーク一時識別子（ＲＮＴＩ）を確定し、当該ダウンリンク制御チャネル内の、当該第１予め設定されたＲＮＴＩを含む情報を当該第３指示情報とするように構成される。
【０３３８】
選択肢として、当該取得ユニットは、具体的に、ネットワークデバイスから、Ｎ個のリソース割り当てパラメータ集合とＮ個のインデックス識別子との１対１の対応関係を取得するように構成され、
当該第３指示情報が、当該第１リソース割り当てパラメータ集合に対応するインデックス識別子を含む。
【０３３９】
選択肢として、当該インデックス識別子は、番号又は無線ネットワーク一時識別子（ＲＮＴＩ）を含む。
【０３４０】
選択肢として、当該通信ユニットは、当該ネットワークデバイスが当該Ｔ個のサービスタイプに基づいて、当該Ｎ個のリソース割り当てパラメータ集合を確定し、またそれを当該移動局に送信することができるように、当該ネットワークデバイスに当該装置のサポート可能なＴ個のサービスタイプを報告するようにさらに構成され、ここで、Ｔ≧Ｎであり、当該Ｔ個のサービスタイプのうちの各サービスタイプが、一つのリソース割り当てパラメータ集合に対応する。
【０３４１】
選択肢として、当該取得ユニットは、第１マッピング関係情報を取得するようにさらに構成され、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報であり、
当該確定ユニットは、当該第１マッピング関係情報に基づいて、当該装置のサポート可能なＫ個のサービスに対応するＴ個のサービスタイプを確定するようにさらに構成され、ここで、Ｋ≧Ｔである。
【０３４２】
選択肢として、当該通信ユニットは、具体的に、アクセス層（ＡＳ）シグナリングを介して、当該ネットワークデバイスに当該装置のサポート可能なＴ個のサービスタイプを報告するようにさらに構成され、又は
当該通信ユニットは、具体的に、非アクセス層（ＮＡＳ）シグナリングを介して、モビリティ管理エンティティＭＭＥを経由して、当該ネットワークデバイスに当該装置のサポート可能なＴ個のサービスタイプを報告するように構成される。
【０３４３】
選択肢として、当該通信ユニットは、具体的に、アップリンクデータチャネルを介して、当該ネットワークデバイスに当該第１指示情報を含むデータパケットを送信するように構成され、ここで、当該第１指示情報が当該データパケットのメディアアクセス制御（ＭＡＣ）層にベアラされ、又は
当該通信ユニットは、具体的に、アップリンク制御チャネルを介して、当該ネットワークデバイスに当該第１指示情報を送信するように構成され、又は
当該通信ユニットは、具体的に、無線リソース制御（ＲＲＣ）シグナリングを介して、当該ネットワークデバイスに当該第１指示情報を送信するように構成される。
【０３４４】
選択肢として、当該第４指示情報に基づいて、当該第１リソース割り当てパラメータ集合に基づくサービス伝送を停止するために、当該通信ユニットは、当該ネットワークデバイスより送信された第４指示情報を受信するようにさらに構成され、当該第４指示情報が、当該第１リソース割り当てパラメータ集合に基づくサービス伝送を停止するように当該装置に指示するために用いられる。
【０３４５】
選択肢として、当該通信ユニットは、具体的に、ダウンリンク制御チャネルを介して、当該ネットワークデバイスより送信された第４指示情報を受信するように構成される。
【０３４６】
選択肢として、当該通信ユニットは、具体的に、当該ダウンリンク制御チャネル内の第２リザーブリソースによって、当該第４指示情報を受信するように構成され、又は
当該通信ユニットは、具体的に、第２予め設定されたフォーマットを確定し、当該ダウンリンク制御チャネル内の、フォーマットが当該第２予め設定されたフォーマットである情報を当該第４指示情報とするように構成され、又は
当該通信ユニットは、具体的に、第２予め設定されたＲＮＴＩを確定し、当該ダウンリンク制御チャネル内の、当該第２予め設定されたＲＮＴＩを含む情報を当該第４指示情報とするように構成される。
【０３４７】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３４８】
選択肢として、当該通信ユニットは、具体的に、当該第１サービスを伝送する時間帯内において、当該第１リソース割り当てパラメータ集合以外のリソース割り当てパラメータ集合に基づくサービス伝送を避けるように構成される。
【０３４９】
選択肢として、当該Ｎ個のサービスタイプは、基本サービスタイプを含み、当該基本サービスタイプに対応するリソース割り当てパラメータ集合は、周期スケジューリングに基づくサービス伝送のためのすべてのパラメータを含む。
【０３５０】
選択肢として、当該第１リソース割り当てパラメータ集合が周期スケジューリングに基づくサービス伝送のための一部のパラメータを含む場合、当該通信ユニットは、具体的に、当該第１リソース割り当てパラメータ集合に基づいて、当該基本サービスタイプに対応するリソース割り当てパラメータ集合と第１ターゲットリソースとを確定し、当該第１サービスを伝送するように構成される。
【０３５１】
選択肢として、当該通信ユニットは、具体的に、ネットワークデバイスより送信された、Ｎ個のリソース割り当てパラメータ集合をベアラするｎ個の構成情報を受信するように構成され、ここで、各構成情報に少なくとも一つのリソース割り当てパラメータ集合がベアラされる、Ｎ≧ｎ≧１である。
【０３５２】
本発明の実施例によるサービス伝送装置８００は、本発明の実施例の方法における第１移動局（例えば、移動局＃Ａ）に対応することが可能であり、また、サービス伝送装置８００内の各ユニット、即ち、モジュールと上記その他の操作及び／又は機能のそれぞれは、図２の方法２００に対応するフローを実現するために用いられ、簡潔上、ここでそれ以上説明しない。
【０３５３】
本発明の実施例によるサービス伝送装置は、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０３５４】
図９は、本発明の実施例におけるサービス伝送装置９００の概略的なブロック図である。図９に示すように、当該装置９００は、送信ユニット９１０、受信ユニット９２０、確定ユニット９３０を含む。
【０３５５】
送信ユニット９１０は、第１移動局にＮ個のリソース割り当てパラメータ集合を送信するように構成され、ここで、各リソース割り当てパラメータ集合が、少なくとも一つのリソース割り当てパラメータを含み、Ｎ≧２である。
【０３５６】
受信ユニット９２０は、当該第１移動局より送信された第１指示情報を受信するように構成され、当該第１指示情報が、当該第１移動局の伝送する必要のある第１サービスのサービスタイプを示すために用いられる。
【０３５７】
確定ユニット９３０は、当該第１指示情報に基づいて、当該Ｎ個のリソース割り当てパラメータ集合から、当該第１サービスのサービスタイプに対応する第１リソース割り当てパラメータ集合を確定するように構成され、第１ターゲットリソースを確定するように構成される。
【０３５８】
当該送信ユニット９１０は、当該第１移動局に第１ターゲットリソースを示すための第２指示情報を送信するようにさらに構成される。
【０３５９】
選択肢として、当該確定ユニットは、具体的に、当該第１リソース割り当てパラメータ集合に基づいて、第１ターゲットリソースを確定するように構成される。
【０３６０】
選択肢として、当該送信ユニットは、具体的に、第１移動局にＮ個のリソース割り当てパラメータ集合とＭ個のサービスタイプとの対応関係を送信するように構成され、ここで、Ｍ≧Ｎであり、当該Ｍ個のサービスタイプのうちの各サービスタイプが、一つのリソース割り当てパラメータ集合に対応する。
【０３６１】
選択肢として、当該送信ユニットは、当該第１移動局に第３指示情報を送信するようにさらに構成され、当該第３指示情報が、第１移動局が当該第１リソース割り当てパラメータ集合を利用して当該第１サービスを伝送するように指示するために用いられる。
【０３６２】
選択肢として、当該送信ユニットは、具体的に、ダウンリンク制御チャネルを介して、当該第１移動局に第３指示情報を送信するように構成される。
【０３６３】
選択肢として、当該送信ユニットは、具体的に、ダウンリンク制御チャネル内の第１リザーブリソースによって、当該第１移動局に第３指示情報を送信するように構成され、又は
当該送信ユニットは、具体的に、第１予め設定されたフォーマットを確定し、当該第１予め設定されたフォーマットに基づいて、第３指示情報を生成して送信するように構成され、又は
当該送信ユニットは、具体的に、第１予め設定された無線ネットワーク一時識別子（ＲＮＴＩ）を確定し、当該第１予め設定されたＲＮＴＩを当該第３指示情報にベアラし、当該第１移動局に送信するように構成される。
【０３６４】
選択肢として、当該送信ユニットは、具体的に、第１移動局にＮ個のリソース割り当てパラメータ集合とＮ個のインデックス識別子との１対１の対応関係を送信するように構成され、また
当該第３指示情報が、当該第１リソース割り当てパラメータ集合に対応するインデックス識別子を含む。
【０３６５】
選択肢として、当該インデックス識別子は、番号又は無線ネットワーク一時識別子（ＲＮＴＩ）を含む。
【０３６６】
選択肢として、当該受信ユニットは、当該第１移動局から、当該第１移動局のサポート可能なＴ個のサービスタイプを取得するようにさらに構成され、
当該確定ユニットは、具体的に、当該Ｔ個のサービスタイプに基づいて、当該Ｎ個のリソース割り当てパラメータ集合を確定するように構成され、ここで、Ｔ≧Ｎであり、当該Ｔ個のサービスタイプのうちの各サービスタイプが、一つのリソース割り当てパラメータ集合に対応する。
【０３６７】
選択肢として、当該受信ユニットは、具体的に、アクセス層（ＡＳ）シグナリングを介して、当該第１移動局より報告された当該第１移動局のサポート可能なＴ個のサービスタイプを取得するように構成され、又は
当該受信ユニットは、具体的に、モビリティ管理エンティティＭＭＥを経由して、当該第１移動局のサポート可能なＴ個のサービスタイプを取得するように構成され、当該第１移動局のサポート可能なＴ個のサービスタイプが、当該第１移動局が非アクセス層（ＮＡＳ）シグナリングを介して当該ＭＭＥに報告されるものである。
【０３６８】
選択肢として、当該受信ユニットは、具体的に、アップリンクデータチャネルを介して、当該第１移動局より送信された第１指示情報を受信するように構成され、ここで、当該第１指示情報が当該データパケットのメディアアクセス制御（ＭＡＣ）層にベアラされる、又は
当該受信ユニットは、具体的に、アップリンク制御チャネルを介して、当該第１移動局より送信された第１指示情報を受信するように構成され、又は
当該受信ユニットは、具体的に、無線リソース制御（ＲＲＣ）シグナリングを介して、当該第１移動局より送信された第１指示情報を受信するように構成される。
【０３６９】
選択肢として、当該送信ユニットは、当該第１移動局に第４指示情報を送信するようにさらに構成され、当該第４指示情報は、当該第１リソース割り当てパラメータ集合に基づくサービス伝送を停止するように当該第１移動局に指示するために用いられる。
【０３７０】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３７１】
選択肢として、当該送信ユニットは、具体的に、第１移動局に、Ｎ個のリソース割り当てパラメータ集合をベアラするｎ個の構成情報を送信するように構成され、ここで、各構成情報に少なくとも一つのリソース割り当てパラメータ集合がベアラされる、Ｎ≧ｎ≧１である。
【０３７２】
選択肢として、当該確定ユニットは、第２マッピング関係情報を取得するようにさらに構成され、ここで、当該第２マッピング関係情報が、複数のサービスのうちの各サービスのサービスタイプを示すために用いられ、ここで、当該第２マッピング関係が第１マッピング関係と同じであり、当該第１マッピング関係情報が、前記第１移動局が前記複数のサービスのうちの各サービスのサービスタイプを確定する時に使用される情報である。
【０３７３】
本発明の実施例によるサービス伝送装置９００は、本発明の実施例の方法におけるネットワークデバイス（ネットワークデバイス＃Ａ）に対応することが可能であり、また、サービス伝送装置９００内の各ユニット、即ち、モジュールと上記その他の操作及び／又は機能のそれぞれは、図６の方法６００に対応するフローを実現するために用いられ、簡潔上、ここでそれ以上説明しない。
【０３７４】
本発明の実施例によるサービス伝送装置は、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０３７５】
図１０は、本発明の実施例におけるサービス伝送装置１０００の概略的なブロック図である。図１０に示すように、当該装置１０００は、取得ユニット１０１０、確定ユニット１０２０、通信ユニット１０３０を含む。
【０３７６】
取得ユニット１０１０は、Ｎ個のリソース割り当てパラメータ集合とＭ個のサービスタイプとの対応関係を取得するように構成され、ここで、各リソース割り当てパラメータ集合が、少なくとも一つのリソース割り当てパラメータを含み、各サービスタイプが、一つのリソース割り当てパラメータ集合に対応し、Ｍ≧Ｎ≧２である。
【０３７７】
確定ユニット１０２０は、当該Ｎ個のリソース割り当てパラメータ集合とＭ個のサービスタイプとの対応関係、及び第２サービスのサービスタイプに基づいて、当該Ｎ個のリソース割り当てパラメータ集合から、当該第２サービスのサービスタイプに対応する第２リソース割り当てパラメータ集合を確定するように構成され、また、第２ターゲットリソースを確定するようにさらに構成される。
【０３７８】
通信ユニット１０３０は、第２移動局に、当該第２リソース割り当てパラメータ集合の指示情報と、第２ターゲットリソースの指示情報とを送信するように構成され、当該第２リソース割り当てパラメータ集合に基づいて、当該第２ターゲットリソースを使用して、当該第２移動局と当該第２サービスを伝送するように構成される。
【０３７９】
選択肢として、当該確定ユニットは、具体的に、当該第２リソース割り当てパラメータ集合に基づいて、当該第２ターゲットリソースを確定するように構成される。
【０３８０】
選択肢として、当該Ｎ個のリソース割り当てパラメータ集合とＭ個のサービスタイプとの対応関係は、当該装置に予め設定される。
【０３８１】
選択肢として、当該取得ユニットは、具体的に、ネットワークデバイスから、当該Ｎ個のリソース割り当てパラメータ集合とＭ個のサービスタイプとの対応関係を取得するように構成される。
【０３８２】
選択肢として、当該通信ユニットは、当該ネットワークデバイスが当該Ｔ個のサービスタイプに基づいて、当該Ｎ個のリソース割り当てパラメータ集合とＭ個のサービスタイプとの対応関係を確定し、それを当該移動局に送信することができるように、当該ネットワークデバイスに当該装置のサポート可能なＴ個のサービスタイプを報告するようにさらに構成され、ここで、当該Ｍ個のサービスタイプが、当該Ｔ個のサービスタイプに属し、Ｔ≧Ｎであり、当該Ｔ個のサービスタイプのうちの各サービスタイプが、一つのリソース割り当てパラメータ集合に対応する。
【０３８３】
選択肢として、当該取得ユニットは、第１マッピング関係情報を取得するようにさらに構成され、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報である。
【０３８４】
当該確定ユニットは、当該第１マッピング関係情報に基づいて、当該装置のサポート可能なＫ個のサービスに対応するＴ個のサービスタイプを確定するようにさらに構成され、ここで、Ｋ≧Ｔである。
【０３８５】
選択肢として、当該通信ユニットは、具体的に、アクセス層（ＡＳ）シグナリングを介して、当該ネットワークデバイスに当該装置のサポート可能なＴ個のサービスタイプを報告するように構成され、又は
当該通信ユニットは、具体的に、非アクセス層（ＮＡＳ）シグナリングを介して、モビリティ管理エンティティＭＭＥを経由して、当該ネットワークデバイスに当該装置のサポート可能なＴ個のサービスタイプを報告するように構成される。
【０３８６】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３８７】
選択肢として、当該通信ユニットは、具体的に、当該第２サービスを伝送する時間帯内において、当該第２リソース割り当てパラメータ集合以外のリソース割り当てパラメータ集合に基づくサービス伝送を避けるように構成される。
【０３８８】
選択肢として、当該Ｎ個のサービスタイプは、基本サービスタイプを含み、当該基本サービスタイプに対応するリソース割り当てパラメータ集合は、準静的のスケジューリングに基づくデータ伝送のためのすべてのパラメータを含み、当該第２移動局に、当該基本サービスタイプに対応するリソース割り当てパラメータ集合が含まれる。
【０３８９】
当該第２リソース割り当てパラメータ集合が、周期スケジューリングに基づくサービス伝送のための一部のパラメータを含む場合、当該通信ユニットは、具体的に、当該第１リソース割り当てパラメータ集合に基づいて、当該基本サービスタイプに対応するリソース割り当てパラメータ集合と当該第２ターゲットリソースとに基づいて、当該第２移動局と当該第２サービスを伝送するように構成される。
【０３９０】
本発明の実施例によるサービス伝送装置１０００は、本発明の実施例の方法における第１移動局（例えば、移動局＃Ｂ）に対応することが可能であり、また、サービス伝送装置１０００内の各ユニット、即ち、モジュールと上記その他の操作及び／又は機能のそれぞれは、図４の方法４００に対応するフローを実現するために用いられ、簡潔上、ここでそれ以上説明しない。
【０３９１】
本発明の実施例によるサービス伝送装置は、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって当該第１移動局と第２移動局とは第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定することができ、当該第２リソース割り当てパラメータ集合に基づいて、第２移動局と当該第２サービスを伝送し、それによって異なるサービスで準静的スケジューリングに対して異なる要求を柔軟、迅速に対応することができる。
【０３９２】
図１１は、本発明の実施例におけるサービス伝送装置１１００概略的なブロック図である。図１１に示すように、当該装置１１００は、通信ユニット１１１０、確定ユニット１１２０を含む。
【０３９３】
通信ユニット１１１０は、第１移動局より送信された第２リソース割り当てパラメータ集合の指示情報と第２ターゲットリソースの指示情報とを受信するように構成され、当該第２リソース割り当てパラメータ集合が第２サービスのサービスタイプに対応し、当該第２リソース割り当てパラメータ集合が、当該第１移動局がＮ個のリソース割り当てパラメータ集合とＭ個のサービスタイプとの対応関係、及び第２サービスのサービスタイプに基づいて、当該Ｎ個のリソース割り当てパラメータ集合から確定されたものである。
【０３９４】
確定ユニット１１２０は、第２リソース割り当てパラメータ集合の指示情報に基づいて、当該第２リソース割り当てパラメータ集合を確定するように構成され、当該第２ターゲットリソースの指示情報に基づいて、当該第２ターゲットリソースを確定するように構成される。
【０３９５】
当該通信ユニット１１１０は、当該第２リソース割り当てパラメータ集合に基づいて、当該第２ターゲットリソースを使用して当該第１移動局と当該第２サービスを伝送するようにさらに構成される。
【０３９６】
選択肢として、当該第２ターゲットリソースは、当該第１移動局が当該第２リソース割り当てパラメータ集合に基づいて確定されたものである。
【０３９７】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０３９８】
選択肢として、当該通信ユニットは、当該第２サービスを伝送する時間帯内において、当該第２リソース割り当てパラメータ集合以外のリソース割り当てパラメータ集合に基づくサービス伝送を避けるようにさらに構成される。
【０３９９】
選択肢として、当該Ｎ個のサービスタイプは、基本サービスタイプを含み、当該基本サービスタイプに対応するリソース割り当てパラメータ集合は、準静的のスケジューリングに基づくデータ伝送のためのすべてのパラメータを含み、当該装置に、当該基本サービスタイプに対応するリソース割り当てパラメータ集合が含まれる。
【０４００】
当該第２リソース割り当てパラメータ集合が、周期スケジューリングに基づくサービス伝送のための一部のパラメータを含む場合、当該通信ユニットは、具体的に、当該第２リソース割り当てパラメータ集合に基づいて、当該基本サービスタイプに対応するリソース割り当てパラメータ集合と当該第２ターゲットリソースとに基づいて、当該第１移動局と当該第２サービスを伝送するように構成される。
【０４０１】
本発明の実施例によるサービス伝送装置１１００は、本発明の実施例の方法における第２移動局（例えば、移動局＃Ｃ）に対応することが可能であり、また、サービス伝送装置１１００内の各ユニット、即ち、モジュールと上記その他の操作及び／又は機能のそれぞれは、図７の方法７００に対応するフローを実現するために用いられ、簡潔上、ここでそれ以上説明しない。
【０４０２】
本発明の実施例によるサービス伝送装置は、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって当該第１移動局と第２移動局とは第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定することができ、当該第２リソース割り当てパラメータ集合に基づいて、第２移動局と当該第１サービスを伝送し、それによって異なるサービスで準静的スケジューリングに対して異なる要求を柔軟、迅速に対応することができる。
【０４０３】
図１２は、本発明の実施例におけるサービス伝送デバイス１２００の概略的なブロック図である。図１２に示すように、当該デバイス１２００は、
プロセッサー１２１０と送受信機１２２０とを含み、プロセッサー１２１０が送受信機１２２０に接続され、選択肢として、当該デバイス１２００は、記憶装置１２３０をさらに含み、記憶装置１２３０がプロセッサー１２１０に接続され、さらに、選択肢として、当該デバイス１２００は、バスシステム１２４０を含む。ここで、プロセッサー１２１０、記憶装置１２３０、及び送受信機１２２０は、バスシステム１２４０を介して接続され、当該記憶装置１２３０は、命令を記憶するように構成されることが可能であり、当該プロセッサー１２１０は、当該記憶装置１２３０に記憶された命令を実行するように構成され、送受信機１２２０が、ネットワークデバイスからＮ個のリソース割り当てパラメータ集合を取得するように制御するために用いられ、ここで、各リソース割り当てパラメータ集合が、少なくとも一つのリソース割り当てパラメータを含み、Ｎ≧２であり、
送受信機１２２０が、当該ネットワークデバイスが、当該Ｎ個のリソース割り当てパラメータ集合から、当該第１サービスのサービスタイプに対応する第１リソース割り当てパラメータ集合を確定することができるように、当該ネットワークデバイスに第１指示情報を送信するように制御するように構成され、当該第１指示情報が、伝送しようとする第１サービスのサービスタイプを当該デバイスに指示するために用いられ、当該ネットワークデバイスより送信された第２指示情報を受信するように構成され、当該第２指示情報が、第１ターゲットリソースを示すために用いられ、
当該Ｎ個のリソース割り当てパラメータ集合から、当該第１サービスのサービスタイプに対応する第１リソース割り当てパラメータ集合を確定するように構成され、
送受信機１２２０が当該第１リソース割り当てパラメータ集合に基づいて、第１ターゲットリソースを利用して当該第１サービスを伝送するように制御するように構成される。
【０４０４】
選択肢として、第１ターゲットリソースは、当該ネットワークデバイスが当該第１リソース割り当てパラメータ集合に基づいて、当該デバイスに割り当てられたものである。
【０４０５】
選択肢として、当該プロセッサー１２１０は、具体的に、送受信機１２２０が、ネットワークデバイスからＮ個のリソース割り当てパラメータ集合とＭ個のサービスタイプとの対応関係を取得するように制御するように構成され、ここで、Ｍ≧Ｎであり、当該Ｍ個のサービスタイプのうちの各サービスタイプが、一つのリソース割り当てパラメータ集合に対応し、
当該プロセッサー１２１０は、具体的に、Ｎ個のリソース割り当てパラメータ集合とＭ個のサービスタイプとの対応関係と当該第１サービスのサービスタイプとに基づいて、当該Ｎ個のリソース割り当てパラメータ集合から、当該第１リソース割り当てパラメータ集合を取得するように構成される。
【０４０６】
選択肢として、当該プロセッサー１２１０は、具体的に、送受信機１２２０が、当該ネットワークデバイスより送信された第３指示情報を受信するように制御するように構成され、当該第３指示情報が、当該第１リソース割り当てパラメータ集合を使用して当該第１サービスを伝送するように指示するために用いられ、
当該プロセッサー１２１０は、具体的に、当該第３指示情報に基づいて、当該Ｎ個のリソース割り当てパラメータ集合から、当該第１リソース割り当てパラメータ集合を取得する。
【０４０７】
選択肢として、当該プロセッサー１２１０は、具体的に、送受信機１２２０が、ダウンリンク制御チャネルを介して、当該ネットワークデバイスより送信された第３指示情報を受信するように制御するように構成される。
【０４０８】
選択肢として、当該プロセッサー１２１０は、具体的に、送受信機１２２０が当該ダウンリンク制御チャネル内の第１リザーブリソースによって、当該第３指示情報を受信するように制御するように構成され、又は、
当該プロセッサー１２１０は、具体的に、第１予め設定されたフォーマットを確定し、当該ダウンリンク制御チャネル内の、フォーマットが当該第１予め設定されたフォーマットである情報を当該第３指示情報とするように構成され、又は、
当該プロセッサー１２１０は、具体的に、第１予め設定された無線ネットワーク一時識別子（ＲＮＴＩ）を確定し、当該ダウンリンク制御チャネル内の、当該第１予め設定されたＲＮＴＩを含む情報を当該第３指示情報とするように構成される。
【０４０９】
選択肢として、当該プロセッサー１２１０は、具体的に、送受信機１２２０ネットワークデバイスから、Ｎ個のリソース割り当てパラメータ集合とＮ個のインデックス識別子との１対１の対応関係を取得するように制御するように構成され、
当該第３指示情報が、当該第１リソース割り当てパラメータ集合に対応するインデックス識別子を含む。
【０４１０】
選択肢として、当該インデックス識別子は、番号又は無線ネットワーク一時識別子（ＲＮＴＩ）を含む。
【０４１１】
選択肢として、当該プロセッサー１２１０は、当該ネットワークデバイスが当該Ｔ個のサービスタイプに基づいて、当該Ｎ個のリソース割り当てパラメータ集合を確定し、またそれを当該移動局に送信することができるように、具体的に、送受信機１２２０が、当該ネットワークデバイスに当該デバイスのサポート可能なＴ個のサービスタイプを報告するように制御するように構成され、ここで、Ｔ≧Ｎであり、当該Ｔ個のサービスタイプのうちの各サービスタイプが、一つのリソース割り当てパラメータ集合に対応する。
【０４１２】
選択肢として、当該プロセッサー１２１０は、具体的に、第１マッピング関係情報を取得するように構成され、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報であり、
当該第１マッピング関係情報に基づいて、当該デバイスのサポート可能なＫ個のサービスに対応するＴ個のサービスタイプを確定するように構成され、ここで、Ｋ≧Ｔである。
【０４１３】
選択肢として、当該プロセッサー１２１０は、具体的に、送受信機１２２０がアクセス層（ＡＳ）シグナリングを介して、当該ネットワークデバイスに、当該デバイスのサポート可能なＴ個のサービスタイプを報告するように制御するように構成され、又は、
当該プロセッサー１２１０は、具体的に、送受信機１２２０が非アクセス層（ＮＡＳ）シグナリングを介して、モビリティ管理エンティティＭＭＥを経由して、当該ネットワークデバイスに、当該デバイスのサポート可能なＴ個のサービスタイプを報告するように制御するように構成される。
【０４１４】
選択肢として、当該プロセッサー１２１０は、具体的に、送受信機１２２０がアップリンクデータチャネルを介して、当該ネットワークデバイスに当該第１指示情報を含むデータパケットを送信するように制御するように構成され、ここで、当該第１指示情報が当該データパケットのメディアアクセス制御（ＭＡＣ）層にベアラされ、又は、
当該プロセッサー１２１０は、具体的に、送受信機１２２０がアップリンク制御チャネルを介して、当該ネットワークデバイスに当該第１指示情報を送信するように制御するように構成され、又は、
当該プロセッサー１２１０は、具体的に、送受信機１２２０が無線リソース制御（ＲＲＣ）シグナリングを介して、当該ネットワークデバイスに当該第１指示情報を送信するように制御するように構成される。
【０４１５】
選択肢として、当該プロセッサー１２１０は、具体的に、送受信機１２２０が当該ネットワークデバイスより送信された第４指示情報を受信するように制御するように構成され、当該第４指示情報は、当該第１リソース割り当てパラメータ集合に基づくサービス伝送を停止するように当該デバイスに指示するために用いられ、当該第４指示情報に基づいて、当該第１リソース割り当てパラメータ集合に基づくサービス伝送を停止するように構成される。
【０４１６】
選択肢として、当該プロセッサー１２１０は、具体的に、送受信機１２２０がダウンリンク制御チャネルを介して、当該ネットワークデバイスより送信された第４指示情報を受信するように制御するように構成される。
【０４１７】
選択肢として、当該プロセッサー１２１０は、具体的に、送受信機１２２０が当該ダウンリンク制御チャネル内の第２リザーブリソースによって、当該第４指示情報を受信するように制御するように構成され、又は、
当該プロセッサー１２１０は、具体的に、第２予め設定されたフォーマットを確定し、当該ダウンリンク制御チャネル内の、フォーマットが当該第２予め設定されたフォーマットである情報を当該第４指示情報とするように構成され、又は、
当該プロセッサー１２１０は、具体的に、第２予め設定されたＲＮＴＩを確定し、当該ダウンリンク制御チャネル内の、当該第２予め設定されたＲＮＴＩを含む情報を当該第４指示情報とするように構成される。
【０４１８】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０４１９】
選択肢として、当該プロセッサー１２１０は、具体的に、送受信機１２２０が、当該第１サービスを伝送する時間帯内において、当該第１リソース割り当てパラメータ集合以外のリソース割り当てパラメータ集合に基づくサービス伝送を避けるように制御するように構成される。
【０４２０】
選択肢として、当該Ｎ個のサービスタイプは、基本サービスタイプを含み、当該基本サービスタイプに対応するリソース割り当てパラメータ集合は、周期スケジューリングに基づくサービス伝送のためのすべてのパラメータを含む。
【０４２１】
選択肢として、当該第１リソース割り当てパラメータ集合が周期スケジューリングに基づくサービス伝送のための一部のパラメータを含む場合、当該プロセッサー１２１０は、具体的に、送受信機１２２０が当該第１リソース割り当てパラメータ集合に基づいて、当該基本サービスタイプに対応するリソース割り当てパラメータ集合と第１ターゲットリソースとを確定し、当該第１サービスを伝送するように制御するように構成される。
【０４２２】
選択肢として、当該プロセッサー１２１０は、具体的に、送受信機１２２０が、ネットワークデバイスより送信された、Ｎ個のリソース割り当てパラメータ集合をベアラするｎ個の構成情報を受信するように制御するように構成され、ここで、各構成情報に少なくとも一つのリソース割り当てパラメータ集合がベアラされる、Ｎ≧ｎ≧１である。
【０４２３】
本発明の実施例によるサービス伝送デバイス１２００は、本発明の実施例の方法における第１移動局（例えば、移動局＃Ａ）に対応することが可能であり、また、サービス伝送デバイス１２００内の各ユニット、即ち、モジュールと上記その他の操作及び／又は機能のそれぞれは、図２の方法２００に対応するフローを実現するために用いられ、簡潔上、ここでそれ以上説明しない。
【０４２４】
本発明の実施例によるサービス伝送デバイスは、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０４２５】
図１３は、本発明の実施例におけるサービス伝送デバイス１３００の概略的なブロック図である。図１３に示すように、当該デバイス１３００は、プロセッサー１３１０と送受信機１３２０とを含み、プロセッサー１３１０は送受信機１３２０に接続され、選択肢として、当該デバイス１３００は、記憶装置１３３０をさらに含み、記憶装置１３３０がプロセッサー１３１０に接続され、さらに選択肢として、当該デバイス１３００は、バスシステム１３４０を含む。ここで、プロセッサー１３１０、記憶装置１３３０、及び送受信機１３２０は、バスシステム１３４０を確定するように接続されることができ、当該記憶装置１３３０は、命令を記憶するために構成されることができ、当該プロセッサー１３１０は、当該記憶装置１３３０に記憶されている命令を実行するように構成され、送受信機１３２０が第１移動局にＮ個のリソース割り当てパラメータ集合を送信するように制御し、ここで、各リソース割り当てパラメータ集合が、少なくとも一つのリソース割り当てパラメータを含み、Ｎ≧２であり、
送受信機１３２０が当該第１移動局より送信された第１指示情報を受信するように制御するように構成され、当該第１指示情報が、当該第１移動局の伝送する必要のある第１サービスのサービスタイプを示すために用いられ、
当該第１指示情報に基づいて、当該Ｎ個のリソース割り当てパラメータ集合から、当該第１サービスのサービスタイプに対応する第１リソース割り当てパラメータ集合を確定するように構成され、第１ターゲットリソースを確定するように構成され、
送受信機１３２０が、当該第１移動局に第１ターゲットリソースを示すための第２指示情報を送信するように制御するように構成される。
【０４２６】
選択肢として、当該プロセッサー１３１０は、具体的に、当該第１リソース割り当てパラメータ集合に基づいて、第１ターゲットリソースを確定するように構成される。
【０４２７】
選択肢として、当該プロセッサー１３１０は、具体的に、送受信機１３２０第１移動局にＮ個のリソース割り当てパラメータ集合とＭ個のサービスタイプとの対応関係を送信するように構成され、ここで、Ｍ≧Ｎであり、当該Ｍ個のサービスタイプのうちの各サービスタイプが、一つのリソース割り当てパラメータ集合に対応する。
【０４２８】
選択肢として、当該プロセッサー１３１０は、具体的に、送受信機１３２０が、当該第１移動局に第３指示情報を送信するように制御するように構成され、当該第３指示情報が、第１移動局が当該第１リソース割り当てパラメータ集合を利用して当該第１サービスを伝送するように指示するために用いられる。
【０４２９】
選択肢として、当該プロセッサー１３１０は、具体的に、送受信機１３２０がダウンリンク制御チャネルを介して、当該第１移動局に第３指示情報を送信するように制御するように構成される。
【０４３０】
選択肢として、当該プロセッサー１３１０は、具体的に、送受信機１３２０がダウンリンク制御チャネル内の第１リザーブリソースを介して、当該第１移動局に第３指示情報を送信するように制御するように構成され、又は
当該プロセッサー１３１０は、具体的に、第１予め設定されたフォーマットを確定し、当該第１予め設定されたフォーマットに基づいて、第３指示情報を生成して送信するように構成され、又は
当該プロセッサー１３１０は、具体的に、第１予め設定された無線ネットワーク一時識別子（ＲＮＴＩ）を確定し、当該第１予め設定されたＲＮＴＩを当該第３指示情報にベアラし、当該第１移動局に送信するように構成される。
【０４３１】
選択肢として、当該プロセッサー１３１０は、具体的に、送受信機１３２０が第１移動局にＮ個のリソース割り当てパラメータ集合とＮ個のインデックス識別子との１対１の対応関係を送信するように構成される。
【０４３２】
当該第３指示情報が、当該第１リソース割り当てパラメータ集合に対応するインデックス識別子を含む。
【０４３３】
選択肢として、当該インデックス識別子は、番号又は無線ネットワーク一時識別子（ＲＮＴＩ）を含む。
【０４３４】
選択肢として、当該プロセッサー１３１０は、具体的に、送受信機１３２０が、当該第１移動局から、当該第１移動局のサポート可能なＴ個のサービスタイプを取得するように制御するように構成され、
当該プロセッサー１３１０は、具体的に、当該Ｔ個のサービスタイプに基づいて、当該Ｎ個のリソース割り当てパラメータ集合を確定するように構成され、ここで、Ｔ≧Ｎであり、当該Ｔ個のサービスタイプのうちの各サービスタイプが、一つのリソース割り当てパラメータ集合に対応する。
【０４３５】
選択肢として、当該プロセッサー１３１０は、具体的に、送受信機１３２０が、アクセス層（ＡＳ）シグナリングを介して、当該第１移動局より報告された当該第１移動局のサポート可能なＴ個のサービスタイプを取得するように制御するように構成され、又は、
当該プロセッサー１３１０は、具体的に、送受信機１３２０モビリティ管理エンティティＭＭＥを経由して、当該第１移動局のサポート可能なＴ個のサービスタイプを取得するように制御するように構成され、当該第１移動局のサポート可能なＴ個のサービスタイプが、当該第１移動局が非アクセス層（ＮＡＳ）シグナリングを介して当該ＭＭＥに報告されるものである。
【０４３６】
選択肢として、当該プロセッサー１３１０は、具体的に、送受信機１３２０がアップリンクデータチャネルを介して、当該第１移動局より送信された第１指示情報を受信するように制御するように構成され、ここで、当該第１指示情報が当該データパケットのメディアアクセス制御（ＭＡＣ）層にベアラされる、又は、
当該プロセッサー１３１０は、具体的に、送受信機１３２０がアップリンク制御チャネルを介して、当該第１移動局より送信された第１指示情報を受信するように制御するように構成され、又は、
当該プロセッサー１３１０は、具体的に、送受信機１３２０が無線リソース制御（ＲＲＣ）シグナリングを介して、当該第１移動局より送信された第１指示情報を受信するように制御するように構成される。
【０４３７】
選択肢として、当該プロセッサー１３１０は、具体的に、送受信機１３２０が、当該第１移動局に第４指示情報を送信するように制御するように構成され、当該第４指示情報は、当該第１リソース割り当てパラメータ集合に基づくサービス伝送を停止するように、当該第１移動局に指示するために用いられる。
【０４３８】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０４３９】
選択肢として、当該プロセッサー１３１０は、具体的に、送受信機１３２０第１移動局に、Ｎ個のリソース割り当てパラメータ集合をベアラするｎ個の構成情報を送信するように制御するように構成され、ここで、各構成情報に少なくとも一つのリソース割り当てパラメータ集合がベアラされる、Ｎ≧ｎ≧１である。
【０４４０】
選択肢として、当該プロセッサー１３１０は、具体的に、第２マッピング関係情報を取得するように構成され、ここで、当該第２マッピング関係情報が、複数のサービスのうちの各サービスのサービスタイプを示すために用いられ、ここで、当該第２マッピング関係が第１マッピング関係と同じであり、当該第１マッピング関係情報が、前記第１移動局が前記複数のサービスのうちの各サービスのサービスタイプを確定する時に使用される情報である。
【０４４１】
本発明の実施例によるサービス伝送デバイス１３００は、本発明の実施例の方法におけるネットワークデバイス（ネットワークデバイス＃Ａ）に対応することが可能であり、また、サービス伝送デバイス１３００内の各ユニット、即ち、モジュールと上記その他の操作及び／又は機能のそれぞれは、図６の方法６００に対応するフローを実現するために用いられ、簡潔上、ここでそれ以上説明しない。
【０４４２】
本発明の実施例によるサービス伝送デバイスは、第１移動局とネットワークデバイスとの事前のネゴシエーションによって、複数個のリソース割り当てパラメータ集合を確定し、当該複数個のリソース割り当てパラメータ集合は、多種の準静的スケジューリング方式にそれぞれ対応しており、それによって当該第１移動局と当該ネットワークデバイスとが第１サービスを伝送する必要がある時に、当該第１移動局とネットワークデバイスとは、当該第１サービスのサービスタイプに基づいて、当該複数個のＮ個のリソース割り当てパラメータ集合から、当該第１サービスのサービスタイプに対応する第１リソース割り当てパラメータ集合を確定し、当該第１リソース割り当てパラメータ集合に基づいて、当該第１サービスを伝送する。それによって異なるサービスで準静的スケジューリングに対して異なる要求を柔軟、迅速に対応することができる。
【０４４３】
図１４は、本発明の実施例におけるサービス伝送デバイス１４００の概略的なブロック図である。図１４に示すように、当該デバイス１４００は、プロセッサー１４１０と送受信機１４２０を含み、プロセッサー１４１０が送受信機１４２０に接続され、選択肢として、当該デバイス１４００は記憶装置１４３０をさらに含み、記憶装置１４３０がプロセッサー１４１０に接続され、さらに、選択肢として、当該デバイス１４００は、バスシステム１４４０を含む。ここで、プロセッサー１４１０、記憶装置１４３０、及び送受信機１４２０は、バスシステム１４４０を介して接続されることでき、当該記憶装置１４３０は、命令を記憶するように構成され、当該プロセッサー１４１０は、当該記憶装置１４３０に記憶されている命令を実行するように構成され、送受信機１４２０がＮ個のリソース割り当てパラメータ集合とＭ個のサービスタイプとの対応関係を取得するように制御し、ここで、各リソース割り当てパラメータ集合が、少なくとも一つのリソース割り当てパラメータを含み、各サービスタイプが、一つのリソース割り当てパラメータ集合に対応し、Ｍ≧Ｎ≧２であり、
当該Ｎ個のリソース割り当てパラメータ集合とＭ個のサービスタイプとの対応関係、及び第２サービスのサービスタイプに基づいて、当該Ｎ個のリソース割り当てパラメータ集合から、当該第２サービスのサービスタイプに対応する第２リソース割り当てパラメータ集合を確定するように構成され、また、第２ターゲットリソースを確定するように構成され、
送受信機１４２０が第２移動局に、当該第２リソース割り当てパラメータ集合の指示情報と、第２ターゲットリソースの指示情報とを送信するように制御するように構成され、当該第２リソース割り当てパラメータ集合に基づいて、当該第２ターゲットリソースを使用して、当該第２移動局と当該第２サービスを伝送するように構成される。
【０４４４】
選択肢として、当該プロセッサー１４１０は、具体的に、当該第２リソース割り当てパラメータ集合に基づいて、当該第２ターゲットリソースを確定するように構成される。
【０４４５】
選択肢として、当該Ｎ個のリソース割り当てパラメータ集合とＭ個のサービスタイプとの対応関係は、当該デバイス１４００に予め設定される。
【０４４６】
選択肢として、当該プロセッサー１４１０は、具体的に、送受信機１４２０がネットワークデバイスから、当該Ｎ個のリソース割り当てパラメータ集合とＭ個のサービスタイプとの対応関係を取得するように制御するように構成される。
【０４４７】
選択肢として、当該プロセッサー１４１０は、具体的に、当該ネットワークデバイスが当該Ｔ個のサービスタイプに基づいて、当該Ｎ個のリソース割り当てパラメータ集合とＭ個のサービスタイプとの対応関係を確定し、またそれを当該移動局に送信することができるように、送受信機１４２０が当該ネットワークデバイスに当該デバイスのサポート可能なＴ個のサービスタイプを報告するように制御するように構成され、ここで、当該Ｍ個のサービスタイプが、当該Ｔ個のサービスタイプに属し、Ｔ≧Ｎであり、当該Ｔ個のサービスタイプのうちの各サービスタイプが、一つのリソース割り当てパラメータ集合に対応する。
【０４４８】
選択肢として、当該プロセッサー１４１０は、具体的に、第１マッピング関係情報を取得するように構成され、ここで、当該第１マッピング関係情報が、複数のサービスのうちの各サービスのサービスタイプを示すために用いられ、ここで、当該第１マッピング関係が第２マッピング関係と同じであり、当該第２マッピング関係情報が、当該ネットワークデバイスが当該複数のサービスのうちの各サービスのサービスタイプを確定する時に使用される情報であり、
当該第１マッピング関係情報に基づいて、当該デバイスのサポート可能なＫ個のサービスに対応するＴ個のサービスタイプを確定するように構成され、ここで、Ｋ≧Ｔである。
【０４４９】
選択肢として、当該プロセッサー１４１０は、具体的に、送受信機１４２０がアクセス層（ＡＳ）シグナリングを介して、当該ネットワークデバイスに当該デバイスのサポート可能なＴ個のサービスタイプを報告するように制御するように構成され、又は、
当該プロセッサー１４１０は、具体的に、送受信機１４２０が非アクセス層（ＮＡＳ）シグナリングを介して、モビリティ管理エンティティＭＭＥを経由して、当該ネットワークデバイスに当該デバイスのサポート可能なＴ個のサービスタイプを報告するように制御するように構成される。
【０４５０】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０４５１】
選択肢として、当該プロセッサー１４１０は、具体的に、送受信機１４２０が、当該第２サービスを伝送する時間帯内において、当該第２リソース割り当てパラメータ集合以外のリソース割り当てパラメータ集合に基づくサービス伝送を避けるように制御するように構成される。
【０４５２】
選択肢として、当該Ｎ個のサービスタイプは、基本サービスタイプを含み、当該基本サービスタイプに対応するリソース割り当てパラメータ集合は、準静的のスケジューリングに基づくデータ伝送のためのすべてのパラメータを含み、当該第２移動局に、当該基本サービスタイプに対応するリソース割り当てパラメータ集合が含まれる。
【０４５３】
当該第２リソース割り当てパラメータ集合が、周期スケジューリングに基づくサービス伝送のための一部のパラメータを含む場合、当該プロセッサー１４１０は、具体的に、送受信機１４２０が、当該第１リソース割り当てパラメータ集合と、当該基本サービスタイプに対応するリソース割り当てパラメータ集合と、当該第２ターゲットリソースとに基づいて、当該第２移動局と当該第２サービスを伝送するように制御するように構成される。
【０４５４】
本発明の実施例によるサービス伝送デバイス１４００は、本発明の実施例の方法における第１移動局（例えば、移動局＃Ｂ）に対応することが可能であり、また、サービス伝送デバイス１４００内の各ユニット、即ち、モジュールと上記その他の操作及び／又は機能のそれぞれは、図４の方法４００に対応するフローを実現するために用いられ、簡潔上、ここでそれ以上説明しない。
【０４５５】
本発明の実施例によるサービス伝送デバイスは、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって当該第１移動局と第２移動局とは第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定することができ、当該第２リソース割り当てパラメータ集合に基づいて、第２移動局と当該第１サービスを伝送し、それによって異なるサービスで準静的スケジューリングに対して異なる要求を柔軟、迅速に対応することができる。
【０４５６】
図１５は、本発明の実施例におけるサービス伝送デバイス１５００の概略的なブロック図である。図１５に示すように、当該デバイス１５００は、プロセッサー１５１０と送受信機１５２０とを含み、プロセッサー１５１０が送受信機１５２０に接続され、選択肢として、当該デバイス１５００は、記憶装置１５３０をさらに含み、記憶装置１５３０がプロセッサー１５１０に接続され、さらに、選択肢として、当該デバイス１５００は、バスシステム１５４０をさらに含む。ここで、プロセッサー１５１０、記憶装置１５３０、及び送受信機１５２０は、バスシステム１５４０を介して接続されることでき、当該記憶装置１５３０は、命令を記憶するように構成され、当該プロセッサー１５１０は、当該記憶装置１５３０に記憶されている命令を実行するように構成され、送受信機１５２０が第１移動局より送信された第２リソース割り当てパラメータ集合の指示情報と第２ターゲットリソースの指示情報とを受信するように制御するように構成され、当該第２リソース割り当てパラメータ集合が第２サービスのサービスタイプに対応し、当該第２リソース割り当てパラメータ集合が、当該第１移動局がＮ個のリソース割り当てパラメータ集合とＭ個のサービスタイプとの対応関係、及び第２サービスのサービスタイプに基づいて、当該Ｎ個のリソース割り当てパラメータ集合から確定されたものであり、
第２リソース割り当てパラメータ集合の指示情報に基づいて、当該第２リソース割り当てパラメータ集合を確定するように構成され、当該第２ターゲットリソースの指示情報に基づいて、当該第２ターゲットリソースを確定するように構成され、
送受信機１５２０が、当該第２リソース割り当てパラメータ集合に基づいて、当該第２ターゲットリソースを使用して当該第１移動局と当該第２サービスを伝送するように制御するように構成される。
【０４５７】
選択肢として、当該第２ターゲットリソースは、当該第１移動局が当該第２リソース割り当てパラメータ集合に基づいて確定されたものである。
【０４５８】
選択肢として、各リソース割り当てパラメータ集合内のリソース割り当てパラメータは、送信周期、受信周期、アップリンク電力制御パラメータ、合成型自動再送要求（ＨＡＲＱ）プロセス数のうちの少なくとも一つのパラメータを含む。
【０４５９】
選択肢として、当該プロセッサー１５１０は、具体的に、送受信機１５２０が、当該第２サービスを伝送する時間帯内において、当該第２リソース割り当てパラメータ集合以外のリソース割り当てパラメータ集合に基づくサービス伝送を避けるように制御するように構成される。
【０４６０】
選択肢として、当該Ｎ個のサービスタイプは、基本サービスタイプを含み、当該基本サービスタイプに対応するリソース割り当てパラメータ集合は、準静的のスケジューリングに基づくデータ伝送のためのすべてのパラメータを含み、当該デバイスに、当該基本サービスタイプに対応するリソース割り当てパラメータ集合が記憶される。
【０４６１】
当該第２リソース割り当てパラメータ集合が、周期スケジューリングに基づくサービス伝送のための一部のパラメータを含む場合、当該プロセッサー１５１０は、具体的に、送受信機１５２０が、当該第２リソース割り当てパラメータ集合と、当該基本サービスタイプに対応するリソース割り当てパラメータ集合と、当該第２ターゲットリソースとに基づいて、当該第１移動局と当該第２サービスを伝送するように制御するように構成される。
【０４６２】
本発明の実施例によるサービス伝送デバイス１５００は、本発明の実施例の方法における第２移動局（例えば、移動局＃Ｃ）に対応することが可能であり、また、サービス伝送デバイス１５００内の各ユニット、即ち、モジュールと上記その他の操作及び／又は機能のそれぞれは、図７の方法７００に対応するフローを実現するために用いられ、簡潔上、ここでそれ以上説明しない。
【０４６３】
本発明の実施例によるサービス伝送デバイスは、第１移動局に予めネゴシエーションさせることによって、複数個のリソース割り当てパラメータ集合を確定し、当該複数個のリソース割り当てパラメータ集合は、多種の準静的スケジューリング方式にそれぞれ対応しており、それによって当該第１移動局と第２移動局とは第２サービスを伝送しようとするときに、当該第１移動局は、当該第２サービスのサービスタイプに基づいて、当該複数のＮ個のリソース割り当てパラメータ集合から、当該第２サービスのサービスタイプに対応する第２リソース割り当てパラメータ集合を確定することができ、当該第２リソース割り当てパラメータ集合に基づいて、第２移動局と当該第１サービスを伝送し、それによって異なるサービスで準静的スケジューリングに対して異なる要求を柔軟、迅速に対応することができる。
【０４６４】
なお、本発明の実施例において、当該プロセッサーは、中央処理ユニット（ＣＰＵ：Ｃｅｎｔｒａｌ  Ｐｒｏｃｅｓｓｉｎｇ  Ｕｎｉｔ）であっても良く、当該プロセッサーは、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良い。
【０４６５】
当該記憶装置は、読み取り専用記憶装置とランダムアクセス記憶装置を含むことが可能であり、プロセッサーに命令とデータとを提供する。記憶装置の一部は不揮発性記憶装置を含んでも良い。例えば、記憶装置は、デバイスタイプの情報を記憶しても良い。
【０４６６】
当該バスシステムは、データバスを含む以外に、電源バス、制御バス及び状態信号バスなどを含んでも良い。明確に説明するために、図に、描くバスをバスシステムとして標記している。
【０４６７】
実現過程において、上記方法の実施例における各ステップは、プロセッサにおけるハードウェアの集積論理回路、又はソフトウェア形態の命令により完成されてもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。重複を避けるために、ここでそれ以上詳しく説明しない。
【０４６８】
なお、本発明の各実施例において、上記の各過程の番号は実施の前後順序を意味とせず、各課程の実施順序は、その機能と自身のロジックによって確定されるべきであり、本発明の実施例の実施過程を制限するものになるわけではない。
【０４６９】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０４７０】
当業者は、説明の便利と簡潔上、上記に記載されているシステム、装置及びユニットの具体的な動作については、上記の方法実施例の対応されているフローを参照することができ、ここでそれ以上述べない。
【０４７１】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０４７２】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０４７３】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０４７４】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０４７５】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019510386.tif 000003
【図２】
2019510386.tif 000004
【図３】
2019510386.tif 000005
【図４】
2019510386.tif 000006
【図５】
2019510386.tif 000007
【図６】
2019510386.tif 000008
【図７】
2019510386.tif 000009
【図８】
2019510386.tif 000010
【図９】
2019510386.tif 000011
【図１０】
2019510386.tif 000012
【図１１】
2019510386.tif 000013
【図１２】
2019510386.tif 000014
【図１３】
2019510386.tif 000015
【図１４】
2019510386.tif 000016
【図１５】
2019510386.tif 000017
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
サービス伝送方法であって、
第１移動局は、ネットワークデバイスから、Ｎ個のリソースパラメータ集合を受信することと、
前記第１移動局は、前記ネットワークデバイスに第１指示情報を送信することと、
前記第１移動局は、前記ネットワークデバイスより送信された第２指示情報を受信することと、
前記第１移動局は、前記Ｎ個のリソースパラメータ集合から、第１サービスに適合する第１リソースパラメータ集合を確定し、前記第１リソースパラメータ集合と第１リソースを使用して、前記ネットワークデバイス又は第２移動局と前記第１サービスを伝送することと、
を含み、ここで、各リソースパラメータ集合が、少なくとも一つのリソースパラメータを含み、Ｎ≧２であり、
前記第１指示情報が前記第１移動局の伝送する必要がある前記第１サービスのサービス関連情報を示すために用いられ、
前記第２指示情報が、第１リソースを示すために用いられる、
ことを特徴とする前記サービス伝送方法。
【請求項２】
前記第１リソースは、前記ネットワークデバイスが前記第１サービスのサービス関連情報及び／又は前記第１リソースパラメータ集合に基づいて、前記第１移動局に割り当てられたものである、
ことを特徴とする請求項１に記載のサービス伝送方法。
【請求項３】
前記第１移動局が、ネットワークデバイスから、Ｎ個のリソースパラメータ集合を受信することは、
前記第１移動局は、ネットワークデバイスから、Ｎ個のリソースパラメータ集合とＭ個のサービス関連情報との対応関係を受信すること、を含み、
ここで、Ｍ≧Ｎであり、前記Ｍ個のサービス関連情報のうちの各サービス関連情報が１個のリソースパラメータ集合に対応し、
前記第１移動局が、前記Ｎ個のリソースパラメータ集合から、前記第１サービスに適合する第１リソースパラメータ集合を確定することは、
前記第１移動局は、Ｎ個のリソースパラメータ集合とＭ個のサービス関連情報との対応関係と、前記第１サービスのサービス関連情報とに基づいて、前記Ｎ個のリソースパラメータ集合から、前記第１サービスに適合する第１リソースパラメータ集合を確定することを含む、
ことを特徴とする請求項１又は２に記載のサービス伝送方法。
【請求項４】
前記第１移動局は、前記ネットワークデバイスより送信された第３指示情報を受信することをさらに含み、
前記第３指示情報が、第１移動局が前記第１リソースパラメータ集合を利用して前記第１サービスを伝送するように指示するために用いられ、
前記第１移動局が、前記Ｎ個のリソースパラメータ集合から、前記第１サービスに適合する第１リソースパラメータ集合を確定することは、
前記第１移動局は、前記第３指示情報に基づいて、前記Ｎ個のリソースパラメータ集合から、前記第１サービスに適合する第１リソースパラメータ集合を確定することを含む、
ことを特徴とする請求項１又は２に記載のサービス伝送方法。
【請求項５】
前記第１移動局が、前記ネットワークデバイスより送信された第３指示情報を受信することは、
前記第１移動局は、ダウンリンク制御チャネルを介して、前記ネットワークデバイスより送信された第３指示情報を受信することを含み、
任意選択で、前記第１移動局が、ダウンリンク制御チャネルを介して、前記ネットワークデバイスより送信された第３指示情報を受信することは、
前記第１移動局は、前記ダウンリンク制御チャネル内の第１リザーブリソースを介して、前記第３指示情報を受信すること、又は、
前記第１移動局は、第１予め設定されたフォーマットを確定し、前記ダウンリンク制御チャネル内の、フォーマットが前記第１予め設定されたフォーマットである情報を前記第３指示情報とすること、又は、
前記第１移動局は、第１予め設定された無線ネットワーク一時識別子（ＲＮＴＩ）を確定し、前記ダウンリンク制御チャネル内の、前記第１予め設定されたＲＮＴＩを含む情報を前記第３指示情報とすること、を含む、
ことを特徴とする請求項４に記載のサービス伝送方法。
【請求項６】
前記第１移動局が、ネットワークデバイスから、Ｎ個のリソースパラメータ集合を受信することは、
前記第１移動局は、ネットワークデバイスから、Ｎ個のリソースパラメータ集合とＮ個のインデックス識別子との１対１の対応関係を受信することを含み、
前記第３指示情報が、前記第１リソースパラメータ集合に対応するインデックス識別子を含み、
任意選択で、前記インデックス識別子は、番号又は無線ネットワーク一時識別子（ＲＮＴＩ）を含む、
ことを特徴とする請求項４又は５に記載のサービス伝送方法。
【請求項７】
第１移動局が、ネットワークデバイスから、Ｎ個のリソースパラメータ集合を受信する前に、前記サービス伝送方法は、
前記ネットワークデバイスがＴ個のサービス関連情報に基づいて、前記Ｎ個のリソースパラメータ集合を確定し、それを前記移動局に送信することができるように、第１移動局は、前記ネットワークデバイスに前記第１移動局のサポート可能なＴ個のサービス関連情報を報告することをさらに含み、ここで、Ｔ≧Ｎであり、前記Ｔ個のサービス関連情報のうちの各サービス関連情報が１個のリソースパラメータ集合に対応し、
任意選択で、各リソースパラメータ集合内のリソースパラメータは、送信周期、受信周期、アップリンク電力制御パラメータ、合成型自動再送要求（ＨＡＲＱ）プロセス数のうちの少なくとも一つのパラメータを含む、
ことを特徴とする請求項１〜６のいずれか１項に記載のサービス伝送方法。
【請求項８】
第１移動局が、前記ネットワークデバイスに前記第１移動局のサポート可能なＴ個のサービス関連情報を報告する前に、前記サービス伝送方法は、
前記第１移動局は第１マッピング関係情報を受信することと、
前記第１移動局が前記第１マッピング関係情報に基づいて、前記第１移動局のサポート可能なＫ個のサービスに対応するＴ個のサービス関連情報を確定することと、
をさらに含み、
ここで、前記第１マッピング関係情報が、複数のサービスのうちの各サービスのサービス関連情報を示すために用いられ、前記第１マッピング関係が第２マッピング関係と同じであり、前記第２マッピング関係情報が、前記ネットワークデバイスが前記複数のサービスのうちの各サービスのサービス関連情報を確定する時に使用される情報であり、Ｋ≧Ｔである、
ことを特徴とする請求項７に記載のサービス伝送方法。
【請求項９】
前記第１移動局が、前記ネットワークデバイスに前記第１移動局のサポート可能なＴ個のサービス関連情報を報告することは、
前記第１移動局はアクセス層（ＡＳ）シグナリングによって、前記ネットワークデバイスに前記第１移動局のサポート可能なＴ個のサービス関連情報を報告すること、又は、
前記第１移動局は非アクセス層（ＮＡＳ）シグナリングによって、前記ネットワークデバイスに前記第１移動局のサポート可能なＴ個のサービス関連情報を報告すること、
を含む、
ことを特徴とする請求項７に記載のサービス伝送方法。
【請求項１０】
前記第１移動局が、前記ネットワークデバイスに第１指示情報を送信することは、
前記第１移動局はアップリンクデータチャネルを介して、前記ネットワークデバイスに、前記第１指示情報を送信し、前記第１指示情報が前記データパケットのメディアアクセス制御（ＭＡＣ）層にベアラされること、又は、
前記第１移動局はアップリンク制御チャネルを介して、前記ネットワークデバイスに、前記第１指示情報を送信すること、又は、
前記第１移動局は無線リソース制御（ＲＲＣ）シグナリングによって、前記ネットワークデバイスに前記第１指示情報を送信すること、
を含む、
ことを特徴とする請求項１〜９のいずれか１項に記載のサービス伝送方法。
【請求項１１】
前記サービス伝送方法は、さらに、
前記第１移動局は、前記ネットワークデ
バイスより送信された第４指示情報を受信することと、
前記第１移動局は、前記第４指示情報に基づいて、前記第１リソースパラメータ集合に基づくサービス伝送を停止することと、を含み、
前記第４指示情報は、前記第１リソースパラメータ集合に基づくサービス伝送を停止するように前記第１移動局に指示するために用いられ、
任意選択で、前記第１移動局が、前記ネットワークデバイスより送信された第４指示情報を受信することは、
前記第１移動局はダウンリンク制御チャネルを介して、前記ネットワークデバイスより送信された第４指示情報を受信することを含む、
ことを特徴とする請求項１〜１０のいずれか１項に記載のサービス伝送方法。
【請求項１２】
前記第１移動局がダウンリンク制御チャネルを介して、前記ネットワークデバイスより送信された第４指示情報を受信することは、
前記第１移動局は前記ダウンリンク制御チャネル内の第２リザーブリソースによって、前記第４指示情報を受信すること、又は、
前記第１移動局は、第２フォーマットを確定し、前記ダウンリンク制御チャネル内の、フォーマットが前記第２フォーマットである情報を前記第４指示情報とすること、又は、
前記第１移動局は第２ＲＮＴＩを確定し、前記ダウンリンク制御チャネル内の、前記第２ＲＮＴＩを含む情報を前記第４指示情報とすること、
を含む、
ことを特徴とする請求項１１に記載のサービス伝送方法。
【請求項１３】
前記サービス伝送方法は、
前記第１移動局は、前記第１サービスを伝送する時間帯内において、前記第１リソースパラメータ集合以外のリソースパラメータ集合に基づくサービス伝送を避けることをさらに含む、
ことを特徴とする請求項１〜１２のいずれか１項に記載のサービス伝送方法。
【請求項１４】
前記Ｎ個のサービス関連情報に基本サービス関連情報が含まれ、前記基本サービス関連情報に対応するリソースパラメータ集合は、準静的スケジューリングを行うためのすべてのパラメータを含み、
任意選択で、前記第１リソースパラメータ集合が準静的スケジューリングを行うための一部のパラメータを含む場合、前記第１移動局が、前記第１リソースパラメータ集合に基づいて、前記第１リソースを利用して前記第１サービスを伝送することは、
前記第１移動局は、前記第１リソースパラメータ集合、前記基本サービス関連情報に対応するリソースパラメータ集合、及び前記第１リソースに基づいて、前記第１サービスを伝送すること、
を含む、
ことを特徴とする請求項１〜１３のいずれか１項に記載のサービス伝送方法。
【請求項１５】
サービス伝送装置であって、
ネットワークデバイスからＮ個のリソースパラメータ集合を受信するように構成される取得ユニットと、
前記ネットワークデバイスに第１指示情報を送信し、前記ネットワークデバイスより送信された第２指示情報を受信するように構成される通信ユニットと、
前記Ｎ個のリソースパラメータ集合から、第１サービスに適合する第１リソースパラメータ集合を確定するように構成される確定ユニットと、
を含み、ここで、各リソースパラメータ集合が、少なくとも一つのリソースパラメータを含み、Ｎ≧２であり、
前記第１指示情報は、前記装置の伝送する必要がある前記第１サービスのサービス関連情報を示すために用いられ、前記第２指示情報が、第１リソースを示すために用いられ、
前記通信ユニットは、前記第１リソースパラメータ集合と前記第１リソースとを使用して、前記ネットワークデバイス又は第２移動局と前記第１サービスを伝送するようにさらに構成される、
ことを特徴とする前記サービス伝送装置。
【国際調査報告】
2019510386.tif 000018
2019510386.tif 000019
2019510386.tif 000020
2019510386.tif 000021